(57)【要約】プル型データ配信サービスにおいて用いられる情報取得装置および情報提供装置は、ネットワーク上の電子メールサーバと情報サーバに接続されて、ネットワークを介して受信した電子メールを電子メールサーバより受信しデータを取得し、取得した受信メールのデータを解析し、情報サーバ内の定義ファイルやコンテンツを取得して定義ファイルで定義された様式でコンテンツを表示し、解析により取得した受信メールのデータ内に前記所在情報が存在すると認識した場合は、認識した所在情報を定義ファイルやコンテンツを取得するために使用するネットワーク上の所在情報を記憶する。
2004027627.tif 000002
【特許請求の範囲】
【請求項１】
ネットワーク上の電子メールサーバと情報サーバに接続する通信手段と、電子メールを受信するための電子メール受信プロトコル処理手段と、前記電子メール受信プロトコル処理手段を用いてネットワーク上の別端末から送信された電子メールを電子メールサーバより受信しデータを取得するメール受信手段と、取得した受信メールのデータを解析する解析手段と、情報サーバ内の情報を受信するための情報受信プロトコル手段と、情報サーバ内の定義ファイルやコンテンツを取得し定義アイルで定義された様式でコンテンツを表示するブラウザ手段と、前記ブラウザ手段が定義ファイルやコンテンツを取得するために使用するネットワーク上の所在情報を記憶する所在メモリと、前記解析手段の解析により取得した受信メールのデータ内に前記所在情報が存在すると認識した場は、認識した所在情報を前記所在メモリに記憶するよう制御する制御手段とを備えることを特徴とする情報取得装置。
【請求項２】
前記電子メールを受信するためのプロトコルとはＰＯＰ（Ｐｏｓｔ  Ｏｆｆｉｃｅ  Ｐｒｏｔｏｃｏｌ）を含み、前記情報を受信するためのプロトコルとはＨＴＴＰ（Ｈｙｐｅｒｔｅｘｔ  Ｔｒａｎｓｆｅｒ  Ｐｒｏｔｏｃｏｌ）を含み、前記所在情報とはＵＲＬ（Ｕｎｉｆｏｒｍ  Ｒｅｓｏｕｒｃｅ  Ｌｏｃａｔｏｒ）であり、前記解析手段の解析はＵＲＬを検出することを特徴とする請求項１に記載の情報取得装置。
【請求項３】
前記解析手段における前記ＵＲＬの検出方法は予め取り決められた特定の文字列を検出することを特徴とする請求項２に記載の情報取得装置。
【請求項４】
前記予め取り決められた特定の文字列はｈｔｔｐ：／／の文字列を検出することを特徴とする請求項３に記載の情報取得装置。
【請求項５】
ユーザ識別情報を記憶するＩＤメモリを備え、前記予め取り決められた特定の文字列とはメール送信者を認証する為のユーザ識別情報を含み、前記解析手段においてユーザ識別情報の一致によるメール送信者の認証を行うことを特徴とする請求項３または請求項４記載の情報取得装置。
【請求項６】
前記認証結果に応じて、前記所在情報の記憶を許可するように制御する制御手段とを備えることを特徴とする請求項５に記載の情報取得装置。
【請求項７】
外部からの指示を受け付ける指示受付手段と、前記所在情報に関連するコンテンツのタイトルを示すタイトル情報を記憶するタイトルメモリと、タイトルメモリに記憶されているタイトル情報を一覧表示するタイトル表示手段と、前記所在メモリと前記タイトルメモリにはユーザが前記指示受付手段を用いて登録したコンテンツの前記所在情報と前記タイトル情報を関連付けて記憶すると共に、受信メール内に前記所在情報を認識した場合はメール内の前記所在情報で示されるインターネット上の情報サーバ内の定義ファイルを取得して定義ファイル内よりコンテンツのタイトルを抜き出し前記タイトル情報として扱い、受信メール内の前記所在情報と抜き出したタイトル情報を関連付けて記憶するように制御し、ユーザが前記指示受付手段を使用して前記タイトル情報の一覧の表示指示をした場合は、前記タイトル表示手段を用いて前記タイトル情報の一覧を表示するように制御し、ユーザがコンテンツを取得するために前記指示受付手段を使用してタイトルの選択指示をした場合は、関連付けられた所在情報を元にコンテンツを取得し表示するよう制御する制御手段とを備えることを特徴とする請求項１に記載の情報取得装置。
【請求項８】
前記定義ファイルとはＨＴＭＬファイルであり、前記電子メールを受信するためのプロトコルとはＰＯＰを含み、前記情報を受信するためのプロトコルとはＨＴＴＰを含み、前記所在情報とはＵＲＬであり、前記解析手段の解析はＵＲＬを検出することを特徴とする請求項７記載の情報取得装置。
【請求項９】
前記解析手段における前記ＵＲＬの検出方法は予め取り決められた特定の文字列を検出することを特徴とする請求項８記載の情報取得装置。
【請求項１０】
前記予め取り決められた特定の文字列はｈｔｔｐ：／／の文字列を検出することを特徴とする請求項９に記載の情報取得装置。
【請求項１１】
ファルダ識別情報を記憶するファルダメモリを備え、前記予め取り決められた特定の文字列とは前記タイトル情報の一覧における格納フォルダを指定する為のフォルダ識別情報を示す文字列を含み、前記解析手段において前記ファルダ識別情報の検出を行い、前記フォルダ識別情報が示す格納フォルダに関連付けて前記タイトル情報を記憶し、ユーザが前記指示受付手段を使用して前記タイトル情報の一覧の表示指示をした場合は、前記タイトル表示手段を用いて関連付けた格納フォルダ内に前記タイトル情報を表示するように制御することを特徴とする請求項９または請求項１０に記載の情報取得装置。
【請求項１２】
ユーザ識別情報を記憶するＩＤメモリを備え、前記予め取り決められた特定の文字列とはメール送信者を認証する為のユーザ識別情報を含み、前記解析手段においてユーザ識別情報の一致によるメール送信者の認証を行うことを特徴とする請求項９または請求項１０記載の情報取得装置。
【請求項１３】
前記認証結果に応じて、前記所在情報の記憶を許可するように制御する制御手段とを備えることを特徴とする請求項１２に記載の情報取得装置。
【請求項１４】
前記指示受付手段により押下可能なボタンを含むＯＳＤ（Ｏｎ  Ｓｃｒｅｅｎ  Ｄｉｓｐｌａｙ）を表示する手段と、取得した受信メールのデータ内で認識した前記所在情報をボタンとしてＯＳＤ表示し、前記指示受付手段で押下されたボタンをユーザが選択した所在情報と認識する制御手段とを備えることを特徴とする請求項１または請求項７に記載の情報取得装置。
【請求項１５】
ユーザ識別情報を記憶するＩＤメモリを備え、前記予め取り決められた特定の文字列とはメール送信者を確認する為のユーザ識別情報を含み、電子メールを受信する前に前記解析手段においてユーザ識別情報の一致によるメール送信者の確認を行うことを特徴とする請求項３または請求項４に記載の情報取得装置。
【請求項１６】
前記確認結果に応じて、電子メールの受信を許可するように制御する制御手段とを備えることを特徴とする請求項１５に記載の情報取得装置。
【請求項１７】
ユーザ識別情報を記憶するＩＤメモリを備え、前記予め取り決められた特定の文字列とはメール送信者を確認する為のユーザ識別情報を含み、電子メールを受信する前に前記解析手段においてユーザ識別情報の一致によるメール送信者の確認を行うことを特徴とする請求項９または請求項１０に記載の情報取得装置。
【請求項１８】
前記確認結果に応じて、電子メールの受信を許可するように制御する制御手段とを備えることを特徴とする請求項１７に記載の情報取得装置。
【請求項１９】
ネットワーク上の電子メールサーバに接続する通信手段と、電子メールを送信するための電子メール送信プロトコル処理手段と、放送波に重畳されて送信されるＵＲＬ情報を受信して取得するＵＲＬ情報取得手段と、前記ＵＲＬ情報を格納する電子メールの送信先のアドレスを記憶するＵＲＬ送信先メモリと、ＵＲＬ情報を受信した際に前記ＵＲＬ送信先メモリに記憶されているアドレスを送信先にして前記ＵＲＬ情報取得手段が取得するＵＲＬ情報を格納した電子メールデータを作成し前記電子メール送信プロトコル処理手段と前記通信手段を用いてネットワーク上の電子メールサーバに送信する制御手段とを備えることを特徴とする情報提供装置。
【請求項２０】
前記通信手段はネットワーク上の情報サーバにも接続し、情報サーバ内の情報を受信するための情報受信プロトコル手段と、情報サーバ内の定義ファイルやコンテンツを取得し定義ファイルで定義された様式でコンテンツを表示するブラウザ手段と、前記ブラウザ手段が定義ファイルやコンテンツを取得するために使用するネットワーク上の所在情報であるＵＲＬ情報を記憶する所在メモリと、前記ＵＲＬ情報取得手段が取得するＵＲＬ情報の取り扱いを１）前記ＵＲＬ情報を格納した電子メールデータを作成し前記電子メール送信プロトコル処理手段と前記通信手段を用いてネットワーク上の電子メールサーバに送信する、または２）前記所在メモリに記憶するかを選択する制御手段を備えることを特徴とする請求項１９記載の情報提供装置。
【請求項２１】
電子メールにＵＲＬ情報が格納されていることを識別するためのＵＲＬ識別情報を記憶するＵＲＬ識別情報メモリと、前記ＵＲＬ情報取得手段が取得するＵＲＬ情報と前記ＵＲＬ識別情報を格納した電子メールデータを作成する制御手段とを備えることを特徴とする請求項１９から２０の何れかに記載の情報提供装置。
【請求項２２】
ユーザ識別情報を記憶するＩＤメモリと、前記ＵＲＬ情報取得手段が取得するＵＲＬ情報と前記ユーザ識別情報を格納した電子メールデータを作成する制御手段とを備えることを特徴とする請求項１９から２１の何れかに記載の情報提供装置。
【請求項２３】
送信先のファルダ識別情報を記憶するファルダメモリと、前記ＵＲＬ情報取得手段が取得するＵＲＬ情報と前記送信先のフォルダ識別情報を格納した電子メールデータを作成する制御手段とを備えることを特徴とする請求項１９から２２の何れかに記載の情報提供装置。
【請求項２４】
外部からの指示を受け付ける指示受付手段と、送信先の名称を記憶する送信先名称メモリと、前記送信先名称メモリに記憶されている名称と前記ファルダメモリに記憶されている送信先のファルダ識別情報とを一覧表示する送信先表示手段と、前記送信先メモリと前記フォルダメモリと前記ＵＲＬ送信先メモリにはユーザが前記指示受付手段を用いて登録した送信先の名称とフォルダ識別情報とアドレスを関連付けて記憶すると共に、前記ＵＲＬ情報取得手段がＵＲＬ情報を取得した場合は、前記送信先表示手段を用いて前記一覧を表示するように制御し、ユーザが前記指示受付手段を用いて受信したＵＲＬ情報を電子メールで送信する送信先を選択指示をした場合は、関連付けられたアドレス情報と取得したＵＲＬ情報を元に電子メールデータを作成し送信するよう制御する制御手段とを備えることを特徴とする請求項１９から２３の何れかに記載の情報提供装置。
【請求項２５】
前記指示受付手段により押下可能なボタンを含むＯＳＤ（Ｏｎ  Ｓｃｒｅｅｎ  Ｄｉｓｐｌａｙ）を表示する手段と、前記送信先名称メモリに記憶されている名称と前記ファルダメモリに記憶されている送信先のファルダ識別情報とを同時に押下できるボタンとしてＯＳＤ表示し、前記指示受付手段で押下されたボタンをユーザが選択した送信先と認識する制御手段とを備えることを特徴とする請求項２４記載の情報提供装置。
【発明の詳細な説明】
【技術分野】  本発明は、インターネット等のネットワーク上の電子メールサーバや情報サーバに接続して電子メールを受信するとともにホームページのような情報を取得する、または放送波を受信するとともに電子メール送信機能を持ったデジタルテレビジョン放送受信機やパーソナルコンピュータや携帯電話器や携帯情報端末機に関するものである。
【背景技術】  特開２００２−５６０２８号公報にも、一例が提案されているように、ブックマークを携帯情報端末にダウンロードして使用することについては従来知られている。以下に従来の情報取得装置および情報提供装置について説明する。図２８は、従来の情報取得装置および情報提供装置の構成を示すブロック図である。
図２８に示すように、２１はモデムで、図示していない通信会社の通信回線やサービスプロバイダを介してインターネット網に接続されており、後述するマイコン２２の制御で通信回線からのデータを受信して復調し出力することと、送信データを変調して通信回線に出力する。
モデム２１においては電話回線を使用するいわゆるモデムのみでなく、電話線を使用するＡＤＳＬモデムや光ファーバー網を使用するＦＴＴＨのＯＮＵやケーブルテレビ回線を使用するケーブルモデム等あらゆる通信端末でも良く、接続方式はダイヤルアップ接続のみでなく常時接続の方式でも良い。２２はマイコンで、情報取得装置２３の各要素の制御を行うと共に、後述するホームページプロトコル処理やＷＷＷブラウザ機能をソフトウェアプログラムにより実現している。２４はいわゆるマウスで左右キーやポインティングする為の移動情報取得手段等を有する情報取得装置２３のユーザインターフェースである。
マイコン２２はマウス２４の出力するデータを受信しユーザの指示を解釈する。２５はホームページ受信プロトコル処理部であり、ＴＣＰ／ＩＰやＨＴＴＰ等の通信プロコトル処理を行う部分でモデム２１を介したホームページに関するデータ通信を行う。２６はＷＷＷブラウザ部であり、パソコンでのインターネットエキスプローラーと同様の処理を行うソフトウェアであり、ホームページ受信プロトコル処理部２５が出力する個々のデータである画像ファイルやテキストファイル等を入力し、ファイルの属性に応じて適当にデコードすると共に、同様に入力するＨＴＭＬファイルの内容に応じてデコードしたコンテンツを組み立ててホームページを再生し画素データに変換するとともにＨＴＭＬファイルを解釈しホームページのＵＲＬやタイトルを取得する。
再生されたホームページはグラフィック部２７の表示プレーンに画素データで描画された後映像データとして出力される。グラフィック部２７はマイコン２２の指示により描画データの表示サイズ縮小や拡大のスケーリング処理も行う。グラフィック部２７には画素変換やスケーリング処理のためのメモリが通常接続されているが本従来の形態に直接関係しないので省略している。２８はメール受信／送信プロトコル処理部であり、モデム２１が受信した電子メール関係のデータを入力しＴＣＰ／ＩＰやＰＯＰ等のプロトコル処理を行い出力することと入力する電子メールデータをＳＭＴＰ等のプロトコル処理を行いモデム２１から送信する。
２９はメール取得／作成部であり、メール受信プロトコル処理部８が出力したデータを入力し受信メールのデータを抜き出すこととマウス２４を用いてドラッグしてコピーした後述するＵＲＬ情報ＩＵＲＬを貼り付けた電子メールデータを作成し出力する。３３はタイトルメモリであり、ユーザの登録したブックマークのタイトルを記憶する為のメモリである。ＷＷＷブラウザ部が表示している現在閲覧中のホームページのタイトルをマイコン２２の制御で書き込む事ができる。ユーザが登録したブックマークのタイトル一覧（以後ブックマーク一覧とも言う）を表示する指示をマウス２４を用いて行った場合は、マイコン２２の制御により書き込まれているタイトルを読み出して、グラフィック部２７を使用して一覧表示する。
３２はＵＲＬメモリであり、ユーザが登録したブックマークのＵＲＬを記憶する為のメモリである。ＷＷＷブラウザ部が表示している現在閲覧中のホームページのＵＲＬをマイコン２２の制御で書き込む事が可能である。タイトルメモリ３３とＵＲＬメモリ３２に書き込まれているタイトルとＵＲＬは同一のホームページについては関連付けられている。詳細は後述する。前述したブックマーク一覧の中からユーザが閲覧するホームページのタイトルを選択した場合には、マイコン２２の制御で関連付けられているＵＲＬを読み出し、ＷＷＷブラウザ部２６とホームページ受信プロトコル部２５とモデム３１を使用して該当する情報サーバ３４に接続し、読み出したＵＲＬで指定されるファイルを受信する。
次に図２９と図３０を用いて動作の説明をする。図２９、図３０は従来の形態における動作フローチャートである。図２９においてユーザがＷＷＷブラウザで特定のホームページを閲覧中であるとし、ユーザがそのホームページをブックマーク登録したいと欲した場合、ユーザはマウス２４を用いてブックマーク登録の操作を行う（ステップＳ３１）。操作は画面上のＯＳＤに応じて行って良い。図３１は従来の形態におけるブックマーク登録を確認する表示を示した図である。図３１においては現在閲覧しているホームページをブックマーク登録する際、確認するためのＯＳＤが表示されている。
図２９でその後マイコン２２はその指示を解釈しＷＷＷブラウザ部２６が取得しているＨＴＭＬファイルよりホームページのＵＲＬとタイトルを抜き出す（ステップＳ３２）。次にマイコン２２の制御により抜き出したＵＲＬをＵＲＬメモリ３２にタイトルをタイトルメモリ３３に記憶する（ステップＳ３３）。この時にタイトルとＵＲＬは関連付けて記憶される。その関連付けはそれぞれの記憶したアドレスを別途図示しないメモリに予めプログラムにより関連付けている領域を設けて保持することや、予めメモリに保持するアドレスに相関関係を持たす事で可能である。
以上の動作によりユーザが現在ＷＷＷブラウザで閲覧中のホームページをブックマーク登録することが可能である。
次にブックマーク一覧を表示してホームページを閲覧する場合の動作を図３０を用いて説明する。図３０は従来の形態における動作フローチャートである。図３０では、ユーザがマウス２４を用いてブックマーク一覧表示の指示があった場合（ステップＳ４１）、マイコン２２の制御でタイトルメモリ３３に記憶されているタイトルを読み出してグラフィクス部２７を使用して一覧表示してユーザの選択を待つ（ステップＳ４２）。
ブックマーク一覧表示した場合の例を図３２を用いて説明する。図３２は従来の形態におけるブックマーク一覧の表示を示した図である。図３２では登録されているホームページ３つのタイトルが一覧表として表示している事が分かる。一覧表の個々のタイトルはマウス２４で選択し押下できるボタンとなっており、ユーザはマウス２４を用いてタイトルを選択し決定する事ができる。
図３０において、ユーザがタイトルを選択し決定した場合（ステップＳ４３）、マイコン２２の制御により選択されたタイトルに関連付けられているＵＲＬをＵＲＬメモリ３２から読み出す（ステップＳ４４）。次にマイコン２２は読み出したＵＲＬを使用し、ＷＷＷブラウザ部２６とホームページ受信プロトコル部２５とモデム２１を使用して該当する情報サーバ３４に接続し、読み出したＵＲＬで指定されるコンテンツのＨＴＭＬファイルを受信する（ステップＳ４５）。
次にマイコン２２はＨＴＭＬファイルを解釈し、定義されている個々のデータである画像ファイルやテキストファイル等をＷＷＷブラウザ部２６とホームページ受信プロトコル部２５とモデム２１を使用して取得し、ファイルの属性に応じて適当にデコードすると共に、同様に入力するＨＴＭＬファイルの内容に応じてデコードしたコンテンツを組み立ててホームページを再生し、画素データに変換してグラフィクス部２７を使用して表示すると共に、ＨＴＭＬファイルを解釈しホームページのＵＲＬやタイトルを取得する（ステップＳ４６）。以上のように登録したホームページをブックマーク一覧で表示することや保守する事ができる。
次に電子メールを用いて現在閲覧中のホームページのＵＲＬを送信する動作を、図３３を用いて説明する。図３３は従来の形態における動作フローチャートである。閲覧中のホームページのＵＲＬを電子メールに貼り付けて送信する場合（ステップＳ９１）、閲覧中のブラウザのＵＲＬ欄やブラウザ画面上のＵＲＬをマウス２４を用いてドラッグしてコピーする（ステップＳ９２）。例えば図３１で示したｈｔｔｐ：／／ＷＷＷ．ＡＢＣＤＥ．Ｃ０．ＪＰ／ｔｏｐ．ｃｏｍをドラッグしコピーする。次にメール作成部２９を用い電子メールの本文のエディタを起動させコピーしたＵＲＬを貼り付けるとともにメール送信部２８、モデム２１を用いて送信する（ステップＳ９３）。
【発明の開示】
しかしながら上記のような構成では、あるホームページをブックマークに登録する場合には、ユーザが一旦情報サーバに接続してＨＴＭＬファイルからＵＲＬ情報を取得する操作をする必要があり、受信した電子メールからＵＲＬを取得して自動的にブックマークに登録する事ができないため、ＵＲＬ情報を取得する端末から離れた場所の別の端末ではブックマークを登録する事ができないという問題が生じていた。
また、ブックマークに登録する場合に受信メール内に記載されているＵＲＬをコピーしてブックマークに貼り付ける操作を手動で行う必要があり、そのためには文字列の範囲を指定するマウスのようなポインティングデバイスが必要となり、テレビのリモコンのようなキーのみのデバイスでは操作できないという問題が生じていた。
また、ＵＲＬを電子メールで紹介することにより対価を得るビジネスモデルの構築ができないという問題が生じていた。
また、放送波で送信されるＵＲＬ情報ＩＵＲＬを受信してＵＲＬ情報を格納した電子メールを送信することができないことにより受信機端末から離れた場所や別の端末に対してブックマークを登録することや受信機端末の蓄積領域を使わずに後に別端末や自端末を用いＵＲＬで示されている情報を視聴することを実現できない。
また、電子メールにブラウザで表示されているＵＲＬをコピーしてブックマークに貼り付ける操作を手動で行う必要があり、そのためには文字列の範囲を指定するマウスのようなポインティングデバイスが必要となり、テレビのリモコンのようなキーのみのデバイスでは操作できないという問題が生じていた。また、ＵＲＬを電子メールで紹介することにより対価を得るビジネスモデルの構築ができないという問題が生じていた。
さらに、上述の方法では、ユーザがブラウザで表示しているＵＲＬを電子メールにコピーするという作業は、ユーザが時間に余裕のある時にしか行えない。そのために、本来ユーザにとって好ましいＵＲＬが放送されていても、ユーザはそのことに気づかずに入手できないというプル型データ配信に固有の問題がある。この意味からは、プル型データ配信である放送波から、所望のＵＲＬのみをプッシュ型のように取得できることが非常に望ましい。
本発明は上記従来の問題点を解決する情報取得装置および情報提供装置を提供することを目的とする。
本発明は、ネットワーク上の電子メールサーバと情報サーバに接続する通信手段と、電子メールを受信するための電子メール受信プロトコル処理手段と、前記電子メール受信通信プロトコル処理手段を用いてネットワーク上の別端末から送信された電子メールを電子メールサーバより受信しデータを取得するメール受信手段と、取得した受信メールのデータを解析する解析手段と、情報サーバ内の情報を受信するための情報受信通信プロトコル手段と、情報サーバ内の定義ファイルやコンテンツを取得し定義ファイルで定義された様式でコンテンツを表示するブラウザ手段と、前記ブラウザ手段が定義ファイルやコンテンツを取得するために使用するネットワーク上の所在情報を記憶する所在メモリと、前記解析手段の解析により取得した受信メールのデータ内に前記所在情報が存在すると認識した場合は、認識した所在情報を前記所在メモリに記憶するよう制御する制御手段とを備えることを特徴とする。
以上のように本発明の情報取得装置は、あるホームページをブックマークに登録する場合には、ユーザが一旦情報サーバに接続してＨＴＭＬファイルからＵＲＬ情報を取得する操作をする必要が無く、受信した電子メールからＵＲＬを取得して自動的にブックマークに登録する事ができるため、ＵＲＬ情報を取得する端末から離れた場所の別の端末においてもブックマークを登録することを実現できる。また、ブックマークに登録する場合に受信メール内に記載されているＵＲＬをコピーしてブックマークに貼り付ける操作を手動で行う必要が無く、テレビのリモコンのようなキーのみのデバイスでも操作を実現できるものである。またＵＲＬを電子メールで紹介することにより対価を得るビジネスモデルの構築も実現できる。
また本発明の情報提供装置は放送波等で送信されるＵＲＬ情報をブックマークに登録することに加えてＵＲＬ情報を格納した電子メールを自動的に作成し予め登録されている登録先に送信することができるため、簡単に端末から離れた場所や別の端末に対してブックマークを登録することや自端末の蓄積領域を使わずメールサーバの蓄積領域を利用して後に別端末や自端末を用いＵＲＬで示されている情報を視聴することを実現できる。
また、電子メールを送信する場合にＵＲＬをコピーして本文に貼り付ける操作を手動で行う必要が無く、テレビのリモコンのようなキーのみのデバイスでも操作を実現できるものである。またＵＲＬを電子メールで紹介することにより対価を得るビジネスモデルの構築も実現できる。
また本発明の情報提供装置と情報取得装置を用いれば、電子メールの受信側で送信者の認証を行いブックマークの自動登録可否の制御や送信側で受信側におけるブックマーク格納フォルダの指定もできる。また、送信端末が自端末の場合はＵＲＬ情報Ｉが格納されている電子メールを受信しないようにすることもできる。
また、本発明による情報取得装置および情報提供装置を用いれば、プル型データ配信サービスである放送波に含まれるＵＲＬ情報のうちで、ユーザの所望するもののみを自動的に取得して、所得したＵＲＬを電子メールの一部としてユーザに提供すことで、プッシュ型データ配信サービスのような便宜をユーザに提供できる。さらに、電子メールをＵＲＬの提供手段として用いることによって、ユーザが不在等でＵＲＬ情報を取得できない場合にも、電子メールはメールサーバ上に保存される。それゆえに、ユーザは提供されたＵＲＬ情報をリアルタイムにピックアップする必要がなく、時間の制約を受けることなく、所望のＵＲＬを入手できる。また、電子メールを利用できる環境下を満足さえすれば、入手する場所の制約すら受けない。
【図面の簡単な説明】  図１は、本発明の第１の実施形態にかかるＵＲＬ情報蓄積システムの構成を示すブロック図である。
図２は、図１に示したＵＲＬ情報蓄積システムの登録情報メモリにおけるデータの関連付けの説明図である。
図３は、図１に示したＵＲＬ情報蓄積システムの登録情報メモリにおけるデータの関連付けの説明図である。
図４は、図１に示したＵＲＬ情報蓄積システムにおける、送信書式情報メモリ１２３に記憶されている書式情報の説明図である。
図５は、図１に示したＵＲＬ情報蓄積システムにおける、ＵＲＬ情報を含ませた電子メールの送信動作を表すフローチャートである。
図６は、図１に示したＵＲＬ情報蓄積システムにおける、ＵＲＬ情報が含まれた電子メール受信しブックマーク登録する動作を表すフローチャートである。
図７は、図１に示したＵＲＬ情報蓄積システムにおいて、ディスプレイに表示されるオンスクリーンメッセージＯＳＭの説明図である。
図８は、図６に示す、電子メール受信時の処理の詳細を示すフローチャートである。
図９は、図１に示したＵＲＬ情報蓄積システムにおいて、ブックマーク一覧を表示して、ホームページを閲覧する場合の動作を表すフローチャートである。
図１０は、本発明の第２の実施形態におけるブロック図である。
図１１は、本発明の第２の実施形態における第一の動作フローチャートである。
図１２は、本発明の第２の実施形態における第二の動作フローチャートである。
図１３は、本発明の第２の実施形態におけるデータ構造例図である。
図１４は、本発明の第２の実施形態における第一の受信メールデータ例図である。
図１５は、本発明の第２の実施形態における第二の受信メールデータ例図である。
図１６は、本発明の第２の実施形態における第三の受信メールデータ例図である。
図１７は、本発明の第２の実施形態における第三の動作フローチャートである。
図１８は、本発明の第２の実施形態における第四の動作フローチャートである。
図１９は、本発明の第２の実施形態における第四の受信メールデータ例図である。
図２０は、本発明の第２の実施形態におけるブックマーク一覧表示例図である。
図２１は、本発明の第３の実施形態におけるブロック図である。
図２２は、本発明の第３の実施形態におけるデータ構造例図である。
図２３は、本発明の第３の実施形態における第一の動作フローチャートである。
図２４は、本発明の第３の実施形態における第二の動作フローチャートである。
図２５は、本発明の第３の実施形態におけるＵＲＬ情報取り扱い確認表示例図である。
図２６は、本発明の第３の実施形態におけるＵＲＬ情報送信先確認表示例図である。
図２７は、本発明の第３の実施の形態における第一の送信メールデータ例図である。
図２８は、従来の形態のブロック図である。
図２９は、従来の形態における第一の動作フローチャートである。
図３０は、従来の形態における第二の動作フローチャートである。
図３１は、従来の形態におけるブックマーク登録確認表示例図である。
図３２は、従来の形態におけるブックマーク一覧表示例図である。
図３３は、従来の形態における第三の動作フローチャートである。
【発明を実施するための最良の形態】  （第１の実施形態）
以下に、図１、図２、図３、図４、図５、および図６を参照して、本発明の第１の実施の形態に係る、ＵＲＬ情報蓄積システムについて説明する。図１に示すように、ＵＲＬ情報蓄積システムＩＳ１は、チューナ１０１、トランスポートストリームデコーダ（図１では、「ＴＳＤ」と表示）１０２、ＡＶデコーダ（図１では、「ＡＶＤ」と表示）１０３、自端末ＩＤメモリ１０４、マイコン１０５、受光器１０７、ＯＳＤコントローラ１０８、モデム１１０、コネクタ１１１、バッファメモリ１１４、ブックマークメモリ１１７、ＵＲＬ識別情報メモリ１１８、登録情報メモリ１１９、送信条件情報メモリ１２１、送信書式情報メモリ１２３、タイトルメモリ１３３を含む。マイコン１０５は、ＵＲＬ情報蓄積システムＩＳ１の各要素の制御を行う。なお、このように構成されたＵＲＬ情報蓄積システムＩＳ１は、本発明の目的である情報提供装置と情報取得装置の機能を同時に満たすことができることを、後ほど詳しく説明する。
本実施形態においては、ＵＲＬ情報蓄積システムＩＳ１は、デジタルテレビジョン受信器に組み込まれて構成されている。つまり、ＵＲＬ情報蓄積システムＩＳ１は、デジタル放送を受信して、本発明に固有の処理の前後の処理をデジタルテレビジョン受信機に負うものである。この意味において、本明細書において、ＵＲＬ情報蓄積システムＩＳ１の動作で、主にデジタルテレビジョン受信器の機能を利用するものについては、特に誤解を生じない場合には、デジタルテレビジョン受信機の動作として説明する。
チューナ１０１で、アンテナ２０１が受信したデジタルテレビジョン放送の選局を行った後、復調したトランスポートストリームＴＳを出力する。トランスポートストリームデコーダ１０２は、チューナ１０１から出力されたトランスポートストリームＴＳをデコードして、ユーザが選択した番組の映像／音声ストリームＡＶＳと、データ放送関係のパケットＰＤと、番組表情報ＩＰとをフィルタリングして出力する。
本発明においては、デジタル放送波に含まれている、放送される番組に関する情報である番組表情報ＩＰには、それぞれの番組に関連するホームページのＵＲＬが組み込まれていることを前提としている。番組表情報ＩＰにＵＲＬを組み込んで放送する事は、技術的には容易であり将来実現が期待されている。また、フィルタリングはＰＡＴパケットやＰＭＴパケット内に記載されているパケットＩＤ（ＰＩＤ）に基づいて行われる事は、デジタルテレビジョンにおいて周知の技術である。
ＵＲＬ情報ＩＵＲＬ取得器１１５と関連情報ＩＲ取得器１２２とは、それぞれ、トランスポートストリームデコーダ１０２から出力される番組表情報ＩＰからＵＲＬ情報ＩＵＲＬと関連情報ＩＲを取得してマイコン１０５に入力する。マイコン１０５は、関連情報ＩＲをＵＲＬ情報ＩＵＲＬ対応づけてバッファメモリ１１４に格納させる。
バッファメモリ１１４は、トランスポートデコーダ１０２がフィルタリングしたデータ放送のパケットデータＰＤと、ＵＲＬ情報ＩＵＲＬ取得器１１５で取得されたＵＲＬ情報ＩＵＲＬと、関連情報ＩＲ取得器１２２で取得された関連情報ＩＲと、外部の情報サーバ（図示せず）から取得するホームページのデータ等を含むデジタルデータＤを記憶する。
ＡＶデコーダ１０３は、トランスポートストリームデコーダ１０２から出力される映像／音声ストリームＡＶＳをデコードして、映音像信号Ａａｖを出力する。リモコン１０６は、ボタンキー等の操作手段を備えたユーザインターフェースである。リモコン１０６は、ユーザのボタンキーの操作に基づいて、ユーザの指示を表す指示信号Ｓｃを発生させる。
受光器１０７は、リモコン１０６で発生された指示信号Ｓｃを受信し、電気信号に変換して、マイコン１０５に出力する。ＯＳＤコントローラ１０８は、ディスプレイ２０３にオンスクリーンメッセージＯＳＭとして表示される画像を表す画素データＳｐｘを生成してＡＶデコーダ１０３に出力する。オンスクリーンメッセージＯＳＭには、データ放送画面の画像、外部の情報サーバ（図示せず）から入手したホームページ画面の画像、およびデジタルテレビジョン放送受信機（ＵＲＬ情報蓄積システムＩＳ１）を操作する為の操作画面の画像を構成する文字やグラフィクスデータが含まれる。
モデム１１０は、通信会社の通信回線やサービスプロバイダを介してインターネット網ＮＷに接続されている。そして、モデム１１０は、インターネット網ＮＷから電子メールやホームページのデータを入手し、入手したデータを復調して、マイコン１０５に出力する。さらに、モデム１１０は、マイコン１０５が作成した電子メール等の送信データを変調して通信回線に出力する。説明の便宜上、モデム１１０がインターネット網ＮＷから入手してマイコン１０５に渡すデータを受信データＤｎｉと呼び、モデム１１０がマイコン１０５から入手してインターネット網ＮＷに出力するデータを送信データＤｎｏと呼び、受信データＤｎｉと送信データＤｎｏをまとめて通信データＤｎと総称する。
モデム１１０は、電話回線を使用するいわゆるモデムに限定されるものではなく、電話回線を使用するＡＤＳＬモデムや、光ファーバー網を使用するＦＴＴＨのＯＮＵや、ケーブルテレビ回線を使用するケーブルモデム等あらゆる通信端末でも良く、接続方式はダイヤルアップ接続のみでなく常時接続の方式でも良い。要するに、モデム１１０はＵＲＬ情報蓄積システムＩＳ１とインターネット網ＮＷとの伝送路の違いによる信号形態の違いを相殺するために、通信データＤｎを変復調できる機能を有していればよい。
マイコン１０５は、送信条件照合処理部１０５ａ、メール送受信プロトコル処理部１０５ｂ、メール作成部１０５ｃ、メール解析部１０５ｄ、およびＷＷＷブラウザ部１０５ｅを含む。具体的には、送信条件照合処理部１０５ａは、ＵＲＬ情報ＩＵＲＬまたは関連情報ＩＲ内のデータにおいて、後述する送信条件に合致するデータが存在するか否かを照合する送信条件照合処理を行うプログラムを備えている。
メール送受信プロトコル処理部１０５ｂは、モデム１１０を利用して電子メールを送受信するためのプロトコル処理を実施する。受信した電子メールを解析するプログラム、そしてデータ放送やホームページをデコードして表示するためのＷＷＷブラウザを備えている。メール作成部１０５ｃは、電子メールを作成するプログラムを含む。メール解析部１０５ｄは、電子メールに含まれている情報の有無を判断する。ＷＷＷブラウザ部１０５ｅは、データ放送やホームページをデコードしてディスプレイ２０３に表示させる。メール取得制御部１０５ｆは、後述するようにＵＲＬ情報蓄積システムＩＳ１に送られてくる電子メールの取得動作を制御する。
メールサーバＡ１２０は、デジタル放送受信機（ＵＲＬ情報蓄積システムＩＳ１）が使用するメールサーバであり、デジタル放送受信機（ＵＲＬ情報蓄積システムＩＳ１）のメールアドレスが登録されている。デジタル放送受信機（ＵＲＬ情報蓄積システムＩＳ１）は、電子メールをこのメールサーバＡ１２０から受信する。
メールサーバＢ１１２は、別のメールアドレスを所有する相手端末（図示せず）が使用するメールサーバである。つまり、ＵＲＬ情報蓄積システムＩＳ１が２台あり、それぞれに別のユーザが互いに相手にＵＲＬ情報を電子メールで送るような場合に、利用されるサーバである。
ＵＲＬ識別情報メモリ１１８は、電子メール本体において、ＵＲＬ情報を配信するメールを識別するまたはＵＲＬ情報ＩＵＲＬを識別するために用いるＵＲＬ識別情報Ｕｉｄｘが記憶されている。ＵＲＬ識別情報Ｕｉｄｘは複数個あっても良い。ＵＲＬ識別情報Ｕｉｄｘは送受の間で予め取り決められている必要がある。
タイトルメモリ１３３は、ユーザがブックマーク登録したホームページのタイトルを記憶する。なお、タイトルメモリ１３３は、マイコン１０５の指示に基づいて、ＷＷＷブラウザ（ＷＷＷブラウザ部１０５ｅ）が表示している閲覧中のホームページのタイトルを記憶したり、受信したホームページのＨＴＭＬファイルに記載されているタイトルを抜き出して記憶する。ユーザがブックマーク一覧を表示する指示をリモコン１０６を用いて行った場合は、マイコン１０５は、タイトルメモリ１３３から記憶されているタイトルを読み出して、ＯＳＤコントローラ１０８を使用して、ディスプレイ２０３にタイトルを一覧表示させる。
ＵＲＬメモリ１３２は、マイコン１０５の制御によりユーザがブックマーク登録したホームページのＵＲＬを記憶する。ＵＲＬメモリ１３２は、マイコン１０５の指示に基づいて、ＷＷＷブラウザが表示している現在閲覧中のホームページのＵＲＬを記憶したり、メール解析部１０５ｄの検出したＵＲＬを記憶する。
タイトルメモリ１３３に記憶されているタイトルと、ＵＲＬメモリ１３２に記憶されているＵＲＬは、同一のホームページについては、後述するブックマークメモリ１１７を用いて関連付けられている。そして、ユーザが前述のブックマーク一覧の中から閲覧するホームページのタイトルを選択する場合には、マイコン１０５は選択されたタイトルに関連付けられているＵＲＬをＵＲＬメモリ１３２から読み出し、ＷＷＷブラウザとモデム１１０を使用して、該当する情報サーバ（図示せず）からＵＲＬで指定されるファイルを受信する。なお、メール送受信プロトコル処理部１０５ｂ、メール解析部１０５ｄ、およびＷＷＷブラウザ部１０５ｅ、およびメール取得制御部１０５ｆは、マイコン１０５中のプログラムとして構成できるだけでなく、ハードウェアで構成してもよい。
自端末ＩＤメモリ１０４は、自端末の端末ＩＤ（図面においては、「Ｔｉｄ」と表記）が記憶されている。端末ＩＤは、個々の端末に固有に与えられる。ＵＲＬを含ませた電子メールの送受信時に、マイコン１０５の制御で読み出される。なお、自端末ＩＤメモリ１０４への端末ＩＤの記憶は、ＯＳＤコントローラ１０８を利用してディスプレイ２０３に入力用のオンスクリーンメッセージＯＳＭを表示させて、ユーザに自分の所有する端末の範囲で固有となるリモコン１０６を用いて端末ＩＤを入力することにより実行してもよい。さらに、予めデジタルテレビジョン放送受信機（ＵＲＬ情報蓄積システムＩＳ１）の出荷時に、端末ＩＤとして固有の値を記憶させておいても良い。このように、端末ＩＤは、ユーザの使用範囲で任意に設定しても良いし、出荷時にメーカーの管理によって一義的に設定しても良い。
登録情報メモリ１１９は、端末の名称と端末内のフォルダを示すフォルダＩＤと端末に記憶されているメールアドレスと、端末が自端末であるか否かを表す情報とを関連付けて記憶している。なお、登録情報メモリ１１９へのこれらの情報の記憶は、ＯＳＤコントローラ１０８を利用してディスプレイ２０３にオンスクリーンメッセージＯＳＭを表示させて、ユーザがリコン１０６を用いて入力させることにより実行しても良い。
図２を参照して、上述の登録情報メモリ１１９におけるデータの関連付けについて説明する。データの関連付けは、端末毎に、端末名、フォルダＩＤ、自端末か他端末かどうかを表す自他識別、メールアドレス、および端末ＩＤの情報が記憶されることで実現される。なお、図２には、説明の便宜上、これらの関連付け情報を模式的に表として表している。この意味において、登録情報メモリ１１９に記憶されている関連付け情報を、便宜上、関連付け表と呼ぶ。
本実施形態においては、４の端末が登録されている関連付け表ＴＲが例示されている。関連付け表ＴＲの列Ｃ１、Ｃ２、Ｃ３、Ｃ４、およびＣ５はそれぞれ、関連付け情報Ｉｒｄの各項目である、端末名、フォルダＩＤ、自他識別、メールアドレス、および端末ＩＤが対応している。そして、列Ｌ１、Ｌ２、Ｌ３、およびＬ４は、４つの端末の個々に対応している。つまり、行Ｌ１には、端末名が「自分」であり、フォルダＩＤが「ＭｙＵＲＬ」、自他識別が「自」、メールアドレスが「ｙａｍａｄａ＠ｘｙｚ．ｃｏ．ｊｐ」、そして端末ＩＤが「Ｆ４５６７８９」である端末が登録されている。行Ｌ２には、端末名が「ＭｙＰＣ」であり、フォルダＩＤが「ＵＲＬ」、自他識別が「他」、メールアドレスが「ｙａｍａｄａ＠ｘｙｚ．ｃｏ．ｊｐ」、そして端末ＩＤが「Ｊ１２３４５」である端末が登録されている。列Ｌ３には、端末名が「自分」であり、フォルダＩＤが「ＴＥＭＰ」、自他識別が「他」、メールアドレスが「ｙａｍａｄａ＠ｘｙｚ．ｃｏ．ｊｐ」、そして端末ＩＤが「Ｊ１１２３４である端末が登録されている。行Ｌ４には、端末名が「鈴木」であり、フォルダＩＤが「山田」、自他識別が「他」、メールアドレスが「ｓｕｚｕｋｉ＠ａｂｃ．ｃｏｍ」、そして端末ＩＤが「ＡＧＨＴ７８」である端末の関連付け情報Ｉｒｄが記録されている。
上述のように、行Ｌ１の端末名が「自分」の端末は、ユーザのメールアドレスおよび自端末ＩＤが関連付けて記憶されている。また、行Ｌ２の端末名が「ＭｙＰＣ」の端末は、「自分」とメールアドレスが「ｙａｍａｄａ＠ｘｙｚ．ｃｏ．ｊｐ」と同じであることから、行Ｌ１と行Ｌ２のそれぞれに登録されている端末は、同一のユーザに属することがわかる。しかしながら、端末ＩＤが「Ｆ４５６７８９」と「Ｊ１２３４５」と異なることから、行Ｌ１と行Ｌ２には登録されている端末は同一ではないことが分かる。
また、行Ｌ２と行Ｌ３には、フォルダＩＤが「ＵＲＬ」と「ＴＥＭＰ」と異なる点を除けば、同一の情報が記録されている。よって、行Ｌ２と行Ｌ３に登録されている端末は同一であることが分かる。なお、フォルダＩＤは、電子メールに含ませたＵＲＬが示すホームページを記憶するフォルダを指定する為のＩＤであり、受信側で使用される。
なお、行Ｌ４には、すべての項目が他の行に登録されている端末と異なる情報が記録されている。よって、行Ｌ４に登録されている端末は、行Ｌ１あるいは行Ｌ２（Ｌ３）に登録されている端末のユーザとは異なるユーザに属する異なる端末であることが分かる。
なお、端末としては、パーソナルコンピュータ（ＰＣ）、携帯電話機、および携帯型情報端末等を登録できることは言うまでも無い。また、ＵＲＬ情報ＩＵＲＬと関連情報ＩＲの入手は、放送に限定されるものではなく、モデム１１０を用いて通信網より受信しても良い。また、ＵＲＬを含ませた電子メールを送受信できる構成を示したが、送信あるいは受信のみの形態においても同様に構成できる。
図１に戻って、ブックマークメモリ１１７は、ブックマークのフォルダ構造、つまり、フォルダ名とそれぞれのフォルダ内に記憶されているホームページのタイトルおよびＵＲＬの所在とを階層的に記憶する。具体的には、ブックマークメモリ１１７には、フォルダＩＤに対応するフォルダ名、およびユーザが設定したフォルダ名が記憶されている。また、タイトルメモリ１３３に記憶されているタイトルと、ＵＲＬメモリ１３２に記憶されているＵＲＬとについて、それぞれが記憶されているアドレスが関連付けて記憶されている。
送信条件情報メモリ１２１は、取得したＵＲＬ情報ＩＵＲＬを端末に自動的に送信するための条件を記憶する。送信条件情報メモリ１２１への自動送信条件の記憶は、ＯＳＤコントローラ１０８を使用してディスプレイ２０３に入力用のオンスクリーンメッセージＯＳＭを表示せて、ユーザがリモコン１０６を用いて送信条件を入力させることにより実行できる。
次に、図３を参照して、上述の送信条件情報メモリ１２１において記憶される自動送信条件について説明する。本例においては、自動送信条件データＩｓｃは、送信先情報と自動送信条件データＩｓｃに大別される。送信先情報は、さらにフォルダＩＤ、メールアドレス、および端末ＩＤに細分化される。自動送信条件データＩｓｃは、ＵＲＬ内の文字列と関連情報ＩＲのキーワードに細分化される。自動送信条件データＩｓｃＩｓｃは、送信先毎に送信先情報と自動送信条件データＩｓｃが記憶されることで実現される。なお、図３には、説明の便宜上、これらの情報が表として表されている。この意味において、送信条件情報メモリ１２１に記憶されている自動送信条件データＩｓｃを自動送信条件表と呼ぶ。
本実施形態においては、３つの送信先が、自動送信条件表ＴＳＣに登録されている。自動送信条件表ＴＳＣの列Ｃ１１、Ｃ１２、Ｃ１３、Ｃ１４、およびＣ１５はそれぞれ、自動送信条件表ＴＳＣ項目であり、フォルダＩＤ、メールアドレス、端末ＩＤ、ＵＲＬ内の文字列、および関連情報ＩＲのキーワードがそれぞれ対応している。そして、列Ｌ１１、Ｌ１２、およびＬ１３は、３つの送信先の個々に対応している。つまり、行Ｌ１１には、フォルダＩＤが「ＵＲＬ」、メールアドレスが「ｙａｍａｄａ＠ｘｙｚ．ｃｏ．ｊｐ」、端末ＩＤが「Ｊ１２３４５」である送信先と、ＵＲＬ内の文字列が「ｏｐｑ．ｃｏ．ｊｐ、ａａａ．ｃｏｍ，ｂｂｂ．ｃｏｍ」、関連情報ＩＲのキーワードが「野球、サッカー」である自動送信条件データＩｓｃからなる自動送信条件データＩｓｃが登録されている。
行Ｌ１２には、フォルダＩＤが「ＴＥＭＰ」、メールアドレスが「ｙａｍａｄａ＠ｘｙｚ．ｃｏ．ｊｐ」、端末ＩＤが「Ｊ１２３４５」である送信先と、ＵＲＬ内の文字列が「ａａａ．ｃｏｍ，ｋｅｙ．ｃｏ．ｊｐ」、関連情報ＩＲのキーワードが「田中  太郎」である自動送信条件データＩｓｃからなる自動送信条件データＩｓｃが登録されている。
行Ｌ１３には、フォルダＩＤが「山田」、メールアドレスが「Ｓｕｚｕｋｉ＠ａｂｃ．ｃｏｍ」、端末ＩＤが「ＡＧＨＴ７８」である送信先と、ＵＲＬ内の文字列および関連情報ＩＲのキーワードが共にブランクである自動送信条件データＩｓｃからなる自動送信条件データＩｓｃが登録されている。
本例では、自動送信条件表ＴＳＣに登録されている送信先条件は、図２に例示した関連付け表ＴＲにおいて記憶されている端末の内で、「自分」以外のものに対応している。マイコン１０５は、登録情報メモリ１１９に記憶されている「自分」以外の端末についての情報を読み出し、送信条件情報メモリ１２１の該当領域に書き込む事ができる。
自動送信条件データＩｓｃのＵＲＬ内の文字列のデータは、取得するＵＲＬ情報ＩＵＲＬの文字列と比較する為のデータであり、複数のドメインネームが記憶されている。関連情報ＩＲのキーワードのデータは、取得する関連情報ＩＲと比較する為のデータであり、複数のジャンルや俳優名が記憶されている。送信先情報のメールアドレスが「Ｓｕｚｕｋｉ＠ａｂｃ．ｃｏｍ」に対応する自動送信条件データＩｓｃが無いのは、ユーザが自動的に送信させないように、敢えて設定していないからである。
ＵＲＬ情報ＩＵＲＬ取得器１１５がＵＲＬ情報ＩＵＲＬを取得した場合、マイコン１０５は、送信条件情報メモリ１２１に記憶されているＵＲＬ内の文字列のデータ（Ｃ１４）および関連情報ＩＲのキーワード（Ｃ１５）を読み出す。そして、送信条件照合処理部１０５ａによって、ＵＲＬ情報ＩＵＲＬ内にＵＲＬ内の文字列のデータが含まれるかどうか、またはＵＲＬ情報ＩＵＲＬと関連する関連情報ＩＲ内に関連情報ＩＲのキーワードを一致する物があるかどうかが照合される。合致した場合は、対応する送信先を認識して、自動送信条件表ＴＳＣから送信先情報を読み出す。
送信書式情報メモリ１２３は、ＵＲＬ情報ＩＵＲＬを含む電子メールの書式情報を記憶する。書式情報Ｆｍｔは、デジタルテレビジョン放送受信機（ＵＲＬ情報蓄積システムＩＳ１）が出荷される時に予め記憶されている。マイコン１０５は、ＵＲＬ情報ＩＵＲＬを含む電子メールを送受信する場合に、書式情報Ｆｍｔを読み出す。
図４を参照して、送信書式情報メモリ１２３に記憶されている書式情報Ｆｍｔについて説明する。図４には、電子メールの本体が例示されている。「Ｓｕｂｊｅｃｔ：」には、ＵＲＬを配信するメールである事を示すデータであるＵＲＬの文字、送信先の端末を示す端末ＩＤ（ＴＯ：ＡＧＨＴ７８）、送信元の端末を示す端末ＩＤ（Ｆｒｏｍ：Ｆ４５６７８９）が順番に配置されている。本文には、２つの端末ＩＤ（ＡＧＨＴ７８）の間には、フォルダＩＤ（Ｆｏｌｄｅｒ＝山田）およびＵＲＬ情報ＩＵＲＬ（ｈｔｔｐ：／／ＷＷＷ．ｔａｎａｋａｙａ．ｃｏ．ｊｐ／ａａａ．ｈｔｍｌ）が配置されている。これらのデータは、送信時にマイコン１０５によって自動的に配置される。なお、「Ｄａｔｅ：」、「Ｆｒｏｍ：」、「Ｔｏ：」については、一般的な電子メールと同一の書式であるので説明は省略する。
なお、本実施の形態ではデジタルテレビジョン放送受信機について説明したが、アナログのテレビジョン受信機の場合も同様に可能である。
次に図５を参照して、ＵＲＬ情報蓄積システムＩＳ１における、ＵＲＬ情報ＩＵＲＬを含ませた電子メールの送信動作について説明する。ＵＲＬ情報蓄積システムＩＳ１に電源が投入されると、アンテナ２０１を介してテレビジョン放送波の受信が開始される。
先ず、ステップＳ１０１において、受信したテレビジョン放送波からチューナ１０１およびトランスポートストリームデコーダ１０２を経て、パケットデータＰＤおよび番組表情報ＩＰが抽出される。ＵＲＬ情報ＩＵＲＬ取得器１１５および関連情報ＩＲ取得器１２２は、それぞれ、番組表情報ＩＰからＵＲＬ情報ＩＵＲＬと関連情報ＩＲを取得する。そして、制御はステップＳ１０２に進む。
ステップＳ１０２において、マイコン１０５によって、送信条件情報メモリ２１から自動送信条件データＩｓｃが読み出される。そして、送信条件照合処理部１０５ａによって、ステップＳ１０１で取得されたＵＲＬ情報ＩＵＲＬまたは関連情報ＩＲが、ステップＳ１０２で読み出された自動送信条件データＩｓｃと照合されて、自動送信条件データＩｓｃと合致する情報があるか否かが判断される。合致する情報がある場合は、Ｙｅｓと判断されて制御は、ステップＳ１０４に進む。一方、合致する情報がない場合は、Ｎｏと判断されて、ＵＲＬ情報蓄積システムＩＳ１の動作は終了する。
ステップＳ１０４において、マイコン１０５によって、自動送信条件データＩｓｃが合致する送信先が認識されると共に、送信書式情報メモリ１２３から電子メールの書式情報Ｆｍｔが読み出される。そして、ステップＳ１０１で取得したＵＲＬ情報ＩＵＲＬを該当する認識された送信先に電子メールで送信する処理に移行する。そして、制御はステップＳ１０５に進む。
ステップＳ１０５において、ＵＲＬ識別情報メモリ１１８からＵＲＬ識別情報Ｕｉｄｘが読み出されると共に、自端末ＩＤメモリ１０４から自端末ＩＤを読み出されて、バッファメモリ１１４に記憶される。そして、制御はステップＳ１０６に進む。
ステップＳ１０６において、ステップＳ１０４において把握した送信先のフォルダＩＤおよび端末ＩＤおよびメールアドレスが、送信条件情報メモリ１２１から読み出されて、バッファメモリ１１４に記憶される。そして、制御はステップＳ１０７に進む。
ステップＳ１０７において、ステップＳ１０５で読み出されたＵＲＬ識別情報Ｕｉｄｘおよび自端末ＩＤと、ステップＳ１０６で読み出された送信先のフォルダＩＤおよび端末ＩＤおよびメールアドレスを用いて、ステップＳ１０４で把握された送信書式（書式情報Ｆｍｔ）に則り、電子メールの本体が作成される。そして、制御はステップＳ１０８に進む。
ステップＳ１０８において、ステップＳ１０７で作成された電子メールがモデム１１０を介して送信される。そして、ＵＲＬ情報蓄積システムＩＳ１による電子メールの送信動作が終了する。
次に図６を参照して、ＵＲＬ情報ＩＵＲＬが含まれた電子メール受信しブックマーク登録する動作について説明する。本実施の形態ではユーザが現在ＷＷＷブラウザで閲覧中のホームページをブックマークに記憶することに加えて、受信した電子メール内に含まれているＵＲＬに関するホームページを、ブックマークに自動登録することができる。また、前述した２つの方法で記憶したホームページを同一のブックマーク一覧で表示することや管理する事ができる。
ユーザがＷＷＷブラウザで特定のホームページを閲覧中であるとし、ユーザがそのホームページをブックマーク登録したいと欲した場合、ユーザは、ステップＳ１１１において、ユーザはリモコン１０６を用いてブックマーク登録の操作を行う。操作は専用キーを押しても良いし、画面上のＧＵＩに応じて行っても良い。そして、制御はステップＳ１１２に進む。
ステップＳ１１２において、マイコン１０５によって、ユーザの指示が解釈されて、ＷＷＷブラウザ部が取得しているＨＴＭＬファイルより、ホームページのＵＲＬとタイトルが抜き出される。そして、制御はステップＳ１１３に進む。
ステップＳ１１３において、抜き出されたＵＲＬとタイトルがそれぞれＵＲＬメモリ１３２とタイトルメモリ１３３とに記憶される。この時にタイトルとＵＲＬは、関連付けて記憶される。その関連付けは、それぞれの記憶したアドレスをブックマークメモリ１１７に関連付けて保持する事で可能である。以上の動作により、ユーザが現在ＷＷＷブラウザで閲覧中のホームページをブックマークに登録することが可能である。そして、制御は終了する。
一方、電子メールを受信した場合は、ステップＳ１１４においてＹｅｓと判断される。この場合、メール送受信プロトコル処理部１０５ｂによって、受信メールの本体が取得される。さらに、送信書式情報メモリ１２３から電子メールの書式情報Ｆｍｔが読み出されて、メールの書式が把握される。
さらに、ステップＳ１１５において、信電子メール本体の所定の場所において、ＵＲＬ識別情報Ｕｉｄｘの存在有無が判断される。つまり、ＵＲＬ識別情報メモリ１１８からＵＲＬ識別情報Ｕｉｄｘを読み出され、メール解析部１０５ｄにより、受信電子メール本体の所定の場所において、ＵＲＬ識別情報Ｕｉｄｘの存在有無が解析される。有りと判断される場合、制御はステップＳ１１６に進む。
ステップＳ１１６において、自端末ＩＤメモリ１０４から自端末ＩＤが読み出されて、受信電子メール本体の所定の送信先の端末ＩＤを示す場所において、自端末ＩＤと一致する文字列が存在するか否かが判断される。データの一致があった場合は、Ｙｅｓと判断されると共にブックマークへの自動登録可能と判定される。そして、制御はステップＳ１１７に進む。
ステップＳ１１７において、ＵＲＬは検出されたが、自端末ＩＤが不一致あるいは検出できなかった場合は、ＯＳＤコントローラ１０８を使用して、検出したＵＲＬに関連するホームページをブックマークに登録するか否かを確認するオンスクリーンメッセージＯＳＭがディスプレイ２０３に表示されてユーザの選択を促す。
図７に、ディスプレイ２０３に表示されるオンスクリーンメッセージＯＳＭを例示する。同図は、ユーザの操作により電子メールを受信し、内容を表示している例である。受信メールとオンスクリーンメッセージＯＳＭは画面上に同時に表示されている。受信メール内にＵＲＬが２つ含まれていることが検出されて、２つのＵＲＬをブックマークに登録するＵＲＬを選択するためのオンスクリーンメッセージＯＳＭを表示されている。オンスクリーンメッセージＯＳＭでは、検出したＵＲＬをボタンとして並べて表示されている。マイコン１０５は、リモコン１０６によるボタンの選択や押下を解釈する事ができる。ユーザはリモコン１０６の上下キーと決定キーを用いてボタンを押すことにより、登録するＵＲＬを選択決定する事が可能である。検出した全てのＵＲＬを登録しない場合は、戻るボタンを選択決定すれば記憶動作を解除する事ができる。
図６に戻って、ステップＳ１１７において、ユーザがリモコン１０６を用いて登録すると指示した場合、あるいは、ステップＳ１１６でＹＥＳの場合、制御はステップＳ１１８に進む。
ステップＳ１１８において、ステップＳ１１５で検出されたＵＲＬがＵＲＬメモリ１３２に記憶される。そして、制御はステップＳ１１９に進む。
ステップＳ１１９において、検出されたＵＲＬを使用して、ＷＷＷブラウザ部とモデム１１０を使用して、該当する情報サーバ（図示せず）に接続して、検出したＵＲＬで指定されるコンテンツのＨＴＭＬファイルが受信される。そして、制御は次のステップＳ１２０に進む。
ステップＳ１２０において、受信したＨＴＭＬファイルが解釈されて、タイトルが抜き出される。そして、制御はステップＳ１２６に進む。
ステップＳ１２６において、受信電子メール本体の所定の場所において、フォルダＩＤの文字列が存在するか否かが判断される。フォルダＩＤが検出されなかった場合は、制御はステップＳ１２１に進む。一方検出された場合は、制御はステップＳ１２７に進む。
ステップＳ１２１においては、ステップＳ１１３におけるのと同様の方法で、ステップＳ１２０で抜き出されたタイトルが、ステップＳ１１５において検出されたＵＲＬと関連付けられてタイトルメモリ１３３に記憶される。
そして、制御は終了する。
ステップＳ１２７においては、送信者が特にＵＲＬを記憶するフォルダを指定しなかったと解釈されて、ステップＳ１２１と同様にタイトルがＵＲＬと関連付けられてタイトルメモリ１３３に記憶されると共に、デフォルトで決められているブックマークメモリ１１７内のフォルダに記憶するように登録制御される。デフォルトのフォルダとは例えばルートフォルダが考えられる。そして、制御は終了する。
なお、上述のステップＳ１１４でフォルダＩＤを検出した場合は、ステップＳ１１３と同様な方法で、ステップＳ１２０で抜き出したタイトルを、ステップＳ５において検出したＵＲＬと関連付けてタイトルメモリ１３３に記憶する（ステップＳ１１７）。この場合は、送信者がＵＲＬを記憶するフォルダを指定したと解釈されて、フォルダＩＤで示されるブックマークメモリ１１７内のフォルダに、記憶するよう制御する。なお、ＨＴＭＬファイルにはタイトルが含まれており、その識別方法はＨＴＭＬにおいて一般的であるので説明は省略する。
ステップＳ１１５やステップＳ１１７においてユーザが拒否した場合は、受信したメールを削除するか否かを、ＯＳＤコントローラ１０８を使用しオンスクリーンメッセージＯＳＭを表示して、ユーザの判定を待つ（ステップＳ１２２）。ユーザの判定が削除であれば、受信メールを削除する（ステップＳ１２３）。
次に、図８を参照して、上述のステップＳ１１４における動作について、詳細に説明する。本実施の形態においては、ユーザが自分の所有する端末間で、前述したようなＵＲＬを含ませた電子メールを送受信することが考えられる。例えばテレビジョン受信機が放送から取得したＵＲＬ情報ＩＵＲＬを自動的に送信し、後に別の場所において、ＰＣあるいは携帯電話機で受信するという使用法が考えられる。また、そのような場合、それぞれの端末においてメールアドレスが同一であることも想定され、ユーザが電子メールを受信する際に、その端末が本来受信したい端末であるとは限らない。仮に受信したい端末以外で受信してしまうと、メールサーバでは消去されてしまい本来受信させたい端末で受信できなくなる。従ってそのような場合に対応する例を説明する。
なお、本図に示すフローチャートは、上述の図４を参照して説明した電子メールを受信する場合の動作を示している。電子メールを受信した場合（ステップＳ１６１）、マイコン１０５は、モデム１１０、メール受信プロトコル処理部１０５ｂ、メール解析部１０５ｄを用いて、受信する予定の電子メールの差出人メールアドレス（図４）においては「Ｆｒｏｍ：ｙａｍａｄａ＠ｘｆｚ．ｃｏ．ｊｐ」）を認識し、自端末に与えられている図示していない不揮発性のメモリに格納されているメールアドレスと同じかどうかを検証する（ステップＳ１６２）。同じであれば、次にＳｕｂｊｅｃｔを検証して、送信元端末ＩＤ領域（図４）では「Ｆｒｏｍ：」に続く領域）に、自端末ＩＤメモリ１０４に記憶されている自端末ＩＤと一致するか否かを検証する（ステップＳ１６３）。
一致するものがあれば、そのメールは自端末が送信したものと判断し、その電子メールを受信しない（ステップＳ１６４）。ステップＳ１６２やステップＳ１６３の検証において、差出人のメールアドレスが自端末のメールアドレスと同一でない場合、またはＳｕｂｊｅｃｔの差出人領域に自端末ＩＤと一致するデータが無い場合は、その電子メールを受信して（ステップＳ１６５）、図６におけるステップＳ１１５に移行する。
以上のように、従来の電子メールには無い端末ＩＤを用いた受信可否の制御を行うことにより、メールサーバ内の電子メールの削除を調整する事ができる。このことにより、送信端末が誤って、自身が送信したＵＲＬ情報ＩＵＲＬを含ませた電子メールを受信することにより、本来受信したい端末において受信できないという課題を解決している。なお、端末ＩＤをＳｕｂｊｅｃｔに配置しているのは、ＩＭＡＰ４等の主要な電子メール受信プロトコルにおいて、受信前にＳｕｂｊｅｃｔを読み出す事が可能である為である。
次にブックマーク一覧を表示して、ホームページを閲覧する場合の動作を図９を用いて説明する。
ユーザがリモコン１０６を用いて、ブックマーク一覧表示指示があった場合（ステップＳ２２１）、マイコン１０５は、ブックマークメモリ１１７に記憶されているフォルダ名と、階層構造とタイトルメモリ１３３に記憶されているタイトルを読み出し、ＯＳＤコントローラ１０８を使用して、一覧表示する（ステップＳ２２２）。
ブックマーク一覧表示した場合の例を図２０を用いて説明する。図１２は本発明の第一の実施の形態におけるブックマーク一覧表示を示した図である。図２０では、記憶されているホームページ３つのタイトルが一覧表として表示している事が分かる。一覧表の個々のタイトルはリモコン１０６で選択し押下できるボタンとなっており、ユーザはリモコン１０６を用いてタイトルを選択し決定する事ができる。
図９において、ユーザがタイトルを選択し決定した場合（ステップＳ２２３）、マイコン１０５は、選択されたタイトルに関連付けられているＵＲＬをＵＲＬメモリ１３２から読み出す（ステップＳ２２４）。次にマイコン１０５は、読み出したＵＲＬを使用し、ＷＷＷブラウザ部とモデム１１０を使用して該当する情報サーバ（図示せず）に接続し、読み出したＵＲＬで指定されるコンテンツのＨＴＭＬファイルを受信する（ステップＳ２２５）。
次にマイコン１０５は、ＨＴＭＬファイルを解釈し、定義されている個々のデータである画像ファイルやテキストファイル等をＷＷＷブラウザ部とモデム１１０を使用して取得し、ファイルの属性に応じて適当にデコードすると共に、同様に入力するＨＴＭＬファイルの内容に応じて、デコードしたコンテンツを組み立ててホームページを再生する。次にマイコン１０５は、再生したホームページを、画素データに変換してＯＳＤコントローラ１０８を使用して表示すると共に、ＨＴＭＬファイルを解釈しホームページのＵＲＬやタイトルを取得する（ステップＳ２２６）。
以上のように本発明の実施の形態は、デジタルテレビジョン放送受信機から自動的に送信された電子メールは、外部のメールサーバに蓄積される。従って、デジタルテレビジョン放送受信機内に取得する情報の蓄積領域を確保する必要は無い。また、放送から逐次的に送られてくる情報の内、予め決められた条件で選択された情報は、自動的にメールサーバに蓄積される。従って、ユーザは、様々なメディアから逐次的に送られてくる情報を、自分の嗜好に則って選択できると共に、携帯電話機やＰＣ等、自分の所有する別の端末を用いて、電子メールを受信可能な如何なる場所において、いつでも受信して視聴する事やブックマーク登録ができる。
さらに、プル型データ配信サービスである放送波に含まれるＵＲＬ情報のうちで、ユーザの所望するもののみを自動的に取得して、所得したＵＲＬを電子メールの一部としてユーザに提供すことで、プッシュ型データ配信サービスのような便宜をユーザに提供できる。さらに、電子メールをＵＲＬの提供手段として用いることによって、ユーザが不在等でＵＲＬ情報を取得できない場合にも、電子メールはメールサーバ上に保存される。それゆえに、ユーザは提供されたＵＲＬ情報をリアルタイムにピックアップする必要がなく、時間の制約を受けることなく所望のＵＲＬを入手できる。また、電子メールを利用できる環境下を満足さえすれば、入手する場所の制約すら受けない。さらに、端末ＩＤを電子メールに含ませることによって、同端末ＩＤに基づいて、ユーザがＵＲＬの蓄積を望む端末に集中させることもできる。
（第２の実施形態）
以下本発明の第２の実施の形態を図面を参照しながら説明する。
図１０は本発明の第１の実施形態の構成を示すブロック図である。第１の実施形態は情報取得装置の実施形態を示す。図１０において、１はモデムで、図示していない通信会社の通信回線やサービスプロバイダを介してインターネット網に接続されており、後述するマイコン２の制御で通信回線からのデータを受信して復調し出力することと、送信データを変調して通信回線に出力する。モデム１においては電話回線を使用するいわゆるモデムのみでなく、電話線を使用するＡＤＳＬモデムや光ファーバー網を使用するＦＴＴＨのＯＮＵやケーブルテレビ回線を使用するケーブルモデム等あらゆる通信端末でも良く、接続方式はダイヤルアップ接続のみでなく常時接続の方式でも良い。
２はマイコンで、情報取得装置３の各要素の制御を行うと共に、後述するホームページ受信プロトコル処理やメール受信プロトコル処理やメール取得制御やメール解析やＷＷＷブラウザ機能をソフトウェアプログラムにより実現している。４はリモコンで上下左右のカーソルキーや決定キーや戻るキーやブックマーク一覧表示キー等を有する情報取得装置３のユーザインターフェースである。
マイコン２は図示していないリモコン受光回路を介してリモコン４の出力する赤外線に重畳されたデータを受信しユーザの指示を解釈する。５はホームページ受信プロトコル処理部であり、ＴＣＰ／ＩＰやＨＴＴＰ等の通信プロコトル処理を行う部分でモデム１を介したホームページに関するデータ通信を行う。６はＷＷＷブラウザ部であり、パソコンでのＩｎｔｅｒｎｅｔ  Ｅｘｐｌｏｒｅｒ（マイクロソフト社の商標）と同様のソフトウェアであり、ホームページ受信プロトコル処理部５が出力する個々のデータである画像やテキスト等を入力し、ＹＥＳルの属性に応じて適当にデコードすると共に、同様に入力するＨＴＭＬファイルの内容に応じてデコードしたコンテンツを組み立ててホームページを再生し画素データに変換すると共に、ＨＴＭＬファイルを解釈しホームページのＵＲＬやタイトルを取得する。
再生されたホームページはグラフィック部７の表示プレーンに画素データで描画された後映像データとして出力される。グラフィック部７はマイコン２の指示により描画データの表示サイズ縮小や拡大のスケーリング処理も行う。グラフィック部７には画素変換やスケーリング処理のためのメモリが通常接続されているが本発明に直接関係しないので省略している。８はメール受信プロトコル処理部であり、モデム１が受信した電子メール関係のデータを入力しＴＣＰ／ＩＰやＰＯＰ等のプロトコル処理を行い出力する。９はメール取得部であり、メール受信プロトコル処理部８が出力したデータを入力し受信メールのデータを抜き出す。
１０はメール解析部であり、メール取得部９の抜き出した受信メールのデータを解析しＵＲＬ情報ＩＵＲＬやユーザＩＤやフォルダＩＤ等予め決められた文字列を検出しその結果を出力する。電子メール機能には一般的には送信機能もあるが本発明に直接関係しないので説明を省略している。１１は端末ＩＤメモリであり、電子メールの送信者を認証するために用いる自端末の端末ＩＤが記憶されている。自分の端末ＩＤを知っている送信者を認証する。端末ＩＤは複数あっても良い。
メール解析部１０において端末ＩＤと同一の文字列が含まれているかどうかを解析する時にマイコン２の制御で読み出される。端末ＩＤの書き込みは、マイコン２の制御によりグラフィック部７を使用して入力用のＯＳＤ（Ｏｎ  Ｓｃｒｅｅｎ  Ｄｉｓｐｌａｙ）を表示し、ユーザにリモコン４を用いて端末ＩＤを入力させ決定した上で書き込む事が可能である。１５はファルダＩＤメモリであり、後述するが電子メール内に含まれているＵＲＬに関連するホームページのブックマークへの登録について、登録するフォルダを指定する為に送られてくるフォルダＩＤを記憶するためのメモリである。ここで言うフォルダＩＤとはファルダ名であっても良い。
メール解析部１０においてフォルダＩＤを示す文字列が含まれているかどうかを解析した結果、フォルダＩＤがあった場合はマイコン２の制御により書き込まれる。フォルダＩＤはＵＲＬの数に対応して複数個あってもよい。１６はＵＲＬ識別情報Ｕｉｄｘメモリで、受信した電子メールがＵＲＬ情報ＩＵＲＬを登録する目的で送信されたものかどうかを識別するために用いるＵＲＬ識別情報Ｕｉｄｘが記憶されている。
ＵＲＬ識別情報Ｕｉｄｘは複数個あっても良い。ＵＲＬ識別情報Ｕｉｄｘは送信者との間で予め取り決められている必要がある。１３はタイトルメモリであり、ユーザが登録したブックマークのタイトルを記憶する為のメモリである。ＷＷＷブラウザ部が表示している現在閲覧中のホームページのタイトルをマイコン２の制御で書き込む場合と、ホームページ受信プロトコル処理部が受信したＨＴＭＬファイルに記載されているタイトルをマイコン２の制御により抜き出して書き込む事ができる。
ユーザがブックマーク一覧を表示する指示をリモコン４を用いて行った場合は、マイコン２の制御により書き込まれているタイトルを読み出して、グラフィック部７を使用して一覧表示する。１２はＵＲＬメモリであり、ユーザが登録したブックマークのＵＲＬを記憶する為のメモリである。ＷＷＷブラウザ部が表示している現在閲覧中のホームページのＵＲＬをマイコン２の制御で書き込む場合と、メール解析部１０の検出したＵＲＬをマイコン２の制御で書き込む事が可能である。
タイトルメモリ１３とＵＲＬメモリ１２に書き込まれているタイトルとＵＲＬは同一のホームページについては関連付けられている。詳細は後述する。前述したブックマーク一覧の中からユーザが閲覧するホームページのタイトルを選択した場合には、マイコン２の制御で関連付けられているＵＲＬを読み出し、ＷＷＷブラウザ部６とホームページ受信プロトコル部５とモデム１を使用して該当する情報サーバ１４に接続し、読み出したＵＲＬで指定されるＹＥＳルを受信する。なお、ホームページプロトコル処理やメール受信プロトコル処理やメール取得制御やメール解析やＷＷＷブラウザ機能はソフトウェアプログラムでなくハードウェアで実現する場合もある。
次に図１１と図１２を用いて動作の説明をする。図１１、図１２は本発明の第一の実施形態における動作フローチャートである。本実施形態ではユーザが現在ＷＷＷブラウザで閲覧中のホームページをブックマークに登録することに加えて受信電子メール内に記載されているＵＲＬに関するホームページをブックマークに自動登録することができる。また、前述した両方法で登録したホームページを同一のブックマーク一覧で表示することや管理する事ができる。
図１１においてユーザがＷＷＷブラウザで特定のホームページを閲覧中であるとし、ユーザがそのホームページをブックマーク登録したいと欲した場合、ユーザはリモコン４を用いてブックマーク登録の操作を行う（ステップＳ１）。操作は専用キーを押しても良いし画面上のＧＵＩに応じて行っても良い。その後マイコン２はその指示を解釈しＷＷＷブラウザ部６が取得しているＨＴＭＬファイルよりホームページのＵＲＬとタイトルを抜き出す（ステップＳ２）。次にマイコン２の制御により抜き出したＵＲＬをＵＲＬメモリ１２にタイトルをタイトルメモリ１３に記憶する（ステップＳ３）。この時にタイトルとＵＲＬは関連付けて記憶される。その関連付けはそれぞれの記憶したアドレスを別途図示しないメモリに関連付けて保持することや、予めメモリに保持するアドレスに相関関係を持たす事で可能である。
一例としてＵＲＬメモリとタイトルメモリを同一メモリ上で領域を分けて記憶し、アドレスの相関関係で関連付ける例を図１３を用いて説明する。図１３は本発明の第一の実施形態におけるデータ構造図である。図１３では７個のホームページを登録する事ができ現在３つのホームページが登録されている例である。アドレスとはタイトルとＵＲＬが記憶されているメモリのアドレスであり図１３では１６進で示されている。この場合タイトルとＵＲＬはアドレス（４ｎ）と（４ｎ＋２）というように関連付けられており、７つのホームページに固有のｎ（０〜６）を割り振ることにより固有のホームページのタイトルとＵＲＬを関連付けて管理する事ができる。
以上の動作によりユーザが現在ＷＷＷブラウザで閲覧中のホームページをブックマークにＵＲＬとタイトル登録することが可能である。また、電子メールをユーザの操作で受信した場合は（ステップＳ４）、マイコン２の制御によりモデム１とメール受信プロトコル処理部８とメール受信部９とを使用して受信メールのデータを取得する。次にマイコン２はメール解析部１０を使用してデータ中に予め決められた文字列の存在有無を解析しＵＲＬを検出する（ステップＳ５）。
この解析について図１４と図１５を用いて説明する。図１４、図１５は本発明の第一の実施形態における受信メールデータを示した図である。図１４と図１５はメール取得部９が出力した受信メールのテキストデータを示している。図１４ではメール解析部１０においてはｈｔｔｐ：／／という文字列を検索してＵＲＬを検出する例であり、データ内のｈｔｔｐ：／／ｗｗｗ．ｔａｎａｋａｙａ．ｃｏ．ｊｐ／ａａａ．ｈｔｍというＵＲＬが検出可能である事が分かる。ＵＲＬの末尾は改行を持って認識する事が可能である。
図１５ではメール解析部１０においてはＪ１２３４５という端末ＩＤとｈｔｔｐ：／／という文字列を検索してＵＲＬを検出する例であり、ｈｔｔｐ：／／ｗｗｗ．ｔａｎａｋａｙａ．ｃｏ．ｊｐ／ａａａ．ｈｔｍというＵＲＬが検出可能である事が分かる。ＵＲＬの末尾は改行を持って認識する事が可能である。また詳細は後述するがＪ１２３４５という端末ＩＤを用いることにより送信者の認証やブックマークへの登録制御も可能である。
図１１において、メール解析部１０は受信メールのデータ内に端末ＩＤメモリ１１に記憶されている端末ＩＤと一致する文字列が存在するか否かも解析する。マイコン２の制御により端末ＩＤメモリ中の端末ＩＤは全て読み出され受信メールのデータと照合される。データの一致があった場合はユーザ認証が通るとともにブックマークへの登録可能と判定する（ステップＳ６）。なお図１５ではＵＲＬの上下に端末ＩＤは位置しているがＳｕｂｊｅｃｔにあっても良く予め取り決められた位置であれば良い。
図１１において、ＵＲＬは検出したが端末ＩＤが不一致あるいは検出できなかった場合は、マイコン２の制御によりグラフィック部７を使用して検出したＵＲＬに関連するホームページをブックマークに登録するか否かを確認するＯＳＤを表示しユーザの選択を待つ（ステップＳ７）。この表示について図７を用いて説明する。図７は本発明の第一の実施形態における受信メールを表示する場合の図である。
図７ではユーザの操作で電子メールを受信し内容を表示している例である。受信メール内にＵＲＬが２つ記載されており、マイコン２は前述した方法で検出して、２つのＵＲＬをブックマークに登録するＵＲＬを選択するＯＳＤを表示している。ＯＳＤでは検出したＵＲＬをボタンとして並べて表示しており、マイコン２はリモコン２によるボタンの選択や押下を解釈する事ができる。そのことによりユーザはリモコン４の上下キーと決定キーを用いてボタンを押して登録するＵＲＬを選択決定する事が可能である。検出した全てのＵＲＬを登録しない場合は、戻るボタンを選択決定すれば登録動作を解除する事ができる。
図１１において、ユーザがリモコン４を用いて登録すると指示した場合、ステップＳ５で検出したＵＲＬをマイコン２の制御によりＵＲＬメモリ１２に記憶する（ステップＳ８）。そしてメール解析部１０は受信メールのデータ内に予め決められていたフォルダＩＤを示す文字列が存在するか否かも解析する（ステップＳ１４）。図１６を用いて説明する。図１６は本発明の第一の実施形態における受信メールデータを示した図である。図１６ではメール解析部１０においてはＪ１２３４５という端末ＩＤとｈｔｔｐ：／／という文字列を検索してＵＲＬを検出する例であり、ｈｔｔｐ：／／ｗｗｗ．ｔａｎａｋａｙａ．ｃｏ．ｊｐ／ａａａ．ｈｔｍというＵＲＬが検出可能である事が分かる。
ＵＲＬの末尾は改行を持って認識する事が可能である。またＪ１２３４５という端末ＩＤを検出することにより送信者の認証も可能である。また、Ｆｏｌｄｅｒ＝レストランという文字列については、Ｆｏｌｄｅｒ＝は次に続く文字列がフォルダＩＤであることを示しており、レストランという文字列のフォルダＩＤを検出可能である。送信者はブックマーク一覧内のレストランというフォルダの中に前記ＵＲＬを登録したいためにこのようにしてフォルダＩＤも含めている。Ｆｏｌｄｅｒ＝というフォルダＩＤを示す文字列はメール受信事前に送信者との間で取り決められていれば特にどのような文字列であっても良い。マイコン２は検出したフォルダＩＤを抜き取りステップＳ５において検出したＵＲＬと関連付けてフォルダＩＤメモリ１５に記憶する（ステップＳ１５）。
それとともにマイコン２は検出したＵＲＬを使用しＷＷＷブラウザ部６とホームページ受信プロトコル部５とモデム１を使用して該当する情報サーバ１４に接続し検出したＵＲＬで指定されるコンテンツのＨＴＭＬファイルを受信する（ステップＳ９）。次にマイコン２はホームページ受信プロトコル受信部５の受信したＨＴＭＬファイルを解釈しタイトルを抜き出して（ステップＳ１０）、ステップＳ１４でフォルダＩＤを検出しなかった場合は、タイトルメモリ１３にステップＳ３と同様な方法でステップＳ５において検出したＵＲＬと関連付けて記憶する（ステップＳ１１）。
この場合は送信者が特にＵＲＬを登録するフォルダを指定しなかったと解釈しデフォルトで決められているフォルダ内に登録するようマイコン２は制御する。デフォルトのフォルダとは例えばルートフォルダが考えられる。
ステップＳ１４でフォルダＩＤを検出した場合は、タイトルメモリ１３にステップＳ３と同様な方法でステップＳ５において検出したＵＲＬと関連付けて記憶する（ステップＳ１７）。この場合は送信者がＵＲＬを登録するフォルダを指定したと解釈しフォルダＩＤメモリ１５に記憶されているフォルダＩＤで示されるフォルダ内に登録するようマイコン２は制御する。
なお、ＨＴＭＬファイルにタイトルが含まれておりその識別方法はＨＴＭＬにおいて一般的であるので説明は省略する。ステップＳ５やステップＳ７においてユーザが拒否した場合は受信したメールを削除するかをマイコン２の制御によりグラフィクス部７を使用してＯＳＤを表示してユーザの判定を待つ（ステップＳ１２）。ユーザの判定が削除であれば受信メールを削除する（ステップＳ１３）。
次にステップＳ４についてより詳細に図１７と図１８を用いて説明する。図１７と図１８は本発明の第一の実施形態における動作フローチャートである。本実施形態においてはユーザが自分の所有する端末間で前述したようなＵＲＬを登録する目的の電子メールを送受信することも考えられる。例えばテレビジョン受信機から送信しＰＣで受信するという使用法が考えられる。逆の場合も考えられる。そのような場合、それぞれの端末においてメールアドレスが同一であることも想定され、ユーザが電子メールを受信する際にその端末が本来受信させたい端末であるとは限らない。
仮に受信させたい端末以外で受信してしまうとメールサーバでは消去されてしまい本来受信させたい端末で受信できなくなる。従ってそのような場合に対応する例を説明する。図１９は本発明の第一の実施形態における受信メールのデータを示した図である。
図１８のフローチャートは図１９で示す電子メールを受信する場合の例である。ユーザがある端末を用いて電子メールを受信する指示をした場合（ステップＳ６１）、モデム１、メール受信プロトコル処理部８、メール取得部９、メール解析部１０を用いてマイコンは受信する予定の電子メールの差出人メールアドレス（図１９においてはＦｒｏｍ：ｙａｍａｄａ＠ｘｆｚ．ｃｏ．ｊｐ）を認識し自端末に与えられている図示していない不揮発性のメモリに格納されているメールアドレスと同じかどうかを検証する（ステップＳ６２）。
もし同じであれば次にＳｕｂｊｅｃｔを検証し、差出人領域（図１９ではＦｒｏｍ：に続く領域）に端末ＩＤメモリ１１に記憶されている端末ＩＤと一致するか否かを検証する（ステップＳ６３）。一致するものがあればそのメールは自端末が送信したものと判断しその電子メールを受信しない（ステップＳ６４）。ステップＳ６２やステップＳ６３の検証で差出人のメールアドレスが自端末のメールアドレスと同一でない場合またはＳｕｂｊｅｃｔの差出人領域に端末ＩＤと一致するデータが無い場合はその電子メールを受信して（ステップＳ６５）、図１１におけるステップＳ５に移行する。
この場合端末ＩＤが書かれている差出人領域は電子メール中のＳｕｂｊｅｃｔ中のＦｒｏｍ：に続く領域でなく図１６のように本文中にあっても良い。また別の例を図１７を用いて説明する。図１７は本発明の第一の実施形態における動作フローチャートである。図１７のフローチャートは図１６で示す電子メールを受信する場合の例である。ユーザがある端末を用いて電子メールを受信する指示をした場合（ステップＳ５１）、モデム１、メール受信プロトコル処理部８、メール取得部９、メール解析部１０を用いてマイコンは受信する予定の電子メールのＳｕｂｊｅｃｔ情報（図１６においてはＵＲＬ）を認識しＵＲＬ識別情報メモリ１６に格納されているＵＲＬ識別情報Ｕｉｄｘと同じかどうかを検証する（ステップＳ５２）。
もし同じであれば次に本文を検証し端末ＩＤメモリ１１に記憶されている端末ＩＤと一致するデータがあるかどうかを検証する（ステップＳ５３）。一致するものがあればそのメールは自端末が送信したものと判断しその電子メールを受信しない（ステップＳ５４）。
ステップＳ５２やステップＳ５３の検証でＵＲＬ識別情報Ｕｉｄｘが検出できない場合または端末ＩＤを検出できない場合はその電子メールを受信して（ステップＳ５５）図１１におけるステップＳ５に移行する。この場合ＵＲＬ識別情報ＵｉｄｘはＳｕｂｊｅｃｔでなく本文中にあっても良く端末ＩＤはＳｕｂｊｅｃｔにあっても良い。
次にブックマーク一覧を表示してホームページを閲覧する場合の動作を図１２を用いて説明する。
図１２では、ユーザがリモコン４を用いてブックマーク一覧表示指示があった場合（ステップＳ２１）、マイコン２の制御でタイトルメモリ１３に記憶されているタイトルを読み出してグラフィクス部７を使用して一覧表示してユーザの選択を待つ（ステップＳ２２）。
ブックマーク一覧表示した場合の例を図２０を用いて説明する。図２０は本発明の第一の実施形態におけるブックマーク一覧表示を示した図である。図２０では登録されているホームページ３つのタイトルが一覧表として表示している事が分かる。一覧表の個々のタイトルはリモコン４で選択し押下できるボタンとなっており、ユーザはリモコン４を用いてタイトルを選択し決定する事ができる。
図１２において、ユーザがタイトルを選択し決定した場合（ステップＳ２３）、マイコン２の制御により選択されたタイトルに関連付けられているＵＲＬをＵＲＬメモリ１２から読み出す（ステップＳ２４）。次にマイコン２は読み出したＵＲＬを使用し、ＷＷＷブラウザ部６とホームページ受信プロトコル部５とモデム１を使用して該当する情報サーバ１４に接続し、読み出したＵＲＬで指定されるコンテンツのＨＴＭＬファイルを受信する（ステップＳ２５）。
次にマイコン２はＨＴＭＬファイルを解釈し、定義されている個々のデータである画像ファイルやテキストファイル等をＷＷＷブラウザ部６とホームページ受信プロトコル部５とモデム１を使用して取得し、ファイルの属性に応じて適当にデコードすると共に、同様に入力するＨＴＭＬファイルの内容に応じてデコードしたコンテンツを組み立ててホームページを再生し、画素データに変換してグラフィクス部７を使用して表示すると共に、ＨＴＭＬファイルを解釈しホームページのＵＲＬやタイトルを取得する（ステップＳ２６）。
以上のようにユーザが現在ＷＷＷブラウザで閲覧中のホームページをブックマーク登録することに加えて、受信電子メール内に記載されているＵＲＬに関するホームページを同一のブックマークに登録することができるので、両方法で登録したホームページを同一のブックマーク一覧で表示することや保守する事ができる。
以上のように本発明の情報取得装置は、ユーザが現在ＷＷＷブラウザで閲覧中のホームページをブックマークに登録することに加えて受信電子メール内に記載されているＵＲＬに関するホームページをブックマークに自動登録することができる。その場合、送信者の認証や格納フォルダの指定もできる。また、送信端末が自端末の場合は受信しないようにすることもできる。
なお、前述した両方法で登録したホームページを同一のブックマーク一覧で表示することや管理する事ができるため、あるホームページをブックマークに登録する場合には、受信した電子メールからＵＲＬを取得して自動的にブックマークに登録する事により、端末から離れた場所や別の端末からブックマークを登録する事ができる。また、ブックマークに登録する場合に受信メール内に記載されているＵＲＬをコピーしてブックマークに貼り付ける操作を手動で行う必要も無く、文字列の範囲を指定するマウスのようなポインティングデバイスを使わずにテレビのリモコンのようなキーのみのデバイスで操作できる。
（第３の実施形態）
以下本発明の第３の実施形態を図面を参照しながら説明する。第３の実施形態は情報提供装置の例である。
図２１は本発明の第３の実施形態の構成を示すブロック図である。図２１において、５３はデジタルテレビジョン放送受信機である。４１はチューナで、アンテナが受信したデジタルテレビジョン放送の選局を行った後復調したトランスポートストリームＴＳを出力する。４２はトランスポートストリームデコーダで、チューナ４１が出力するトランスポートストリームＴＳを入力し、ユーザが選択した番組の映像／音声ストリームＡＶＳやデータ放送関係のパケットをフィルタリングして出力する。そのフィルタリングはＰＡＴパケットやＰＭＴパケット内に記載されているＰＩＤを用いて行われる事はデジタルテレビジョンにおいて周知の技術であるので詳細説明は省略する。
４３はＡＶデコーダでトランスポートストリームデコーダ２が出力する映像／音声ストリームＡＶＳを入力し、ＡＶデコードして出力する。４４はバッファメモリで、トランスポートデコーダ４２がフィルタリングしたデータ放送のパケットや後述するＵＲＬ情報ＩＵＲＬや後述するモデム５０を用いて図示しない情報サーバから取得するホームページのデータ等をマイコン４５の制御により展開して記憶する。
４５はマイコンで、デジタルテレビジョン放送受信機５３の各要素の制御を行うとともにモデム５０を用いて電子メールを送信するためのプロトコル処理や電子メールを作成するプログラムそしてデータ放送やホームページをデコードして表示するためのブラウザを備えている。４６はリモコンで、ユーザインターフェースである。４７は受光回路で、リモコン４６からの信号を受信し電気信号をマイコン４５に出力する。４８はＯＳＤコントローラで、データ放送画面や図示しない情報サーバから得た情報をマイコン４５の制御により、構成する文字やグラフィクスデータを画素データに変換しＡＶデコーダ４３に出力する。
ＡＶデコーダ４３ではビデオデコードした映像とＯＳＤコントローラ４８から入力した文字やグラフィクスを合成して出力する。５０はモデムで、通信会社の通信回線やサービスプロバイダを介してインターネット網に接続されており、マイコン４５の制御で通信回線から電子メールやホームページのデータを受信して復調しマイコン４５に出力することと、電子メール等の送信データを変調して通信回線に出力する。６０はメールサーバＡで、デジタル放送受信機５３が使用するメールサーバでありデジタル放送受信機５３が送受信するメールはこのメールサーバとやり取りされる。６２はメールサーバＢで、図示しない相手端末が使用するメールサーバである。
モデム５０においては電話回線を使用するいわゆるモデムのみではなく、電話回線を使用するＡＤＳＬモデムや光ファーバー網を使用するＦＴＴＨのＯＮＵやケーブルテレビ回線を使用するケーブルモデム等あらゆる通信端末でも良く、接続方式はダイヤルアップ接続のみでなく常時接続の方式でも良い。５５はＵＲＬ情報取得回路で、前述したバッファメモリ４４に展開されている放送波により送信されるホームページ等のＵＲＬ情報ＩＵＲＬを取得し図示していないメモリに格納するとともにマイコン４５に出力する。
例えばＢＳデジタル放送等ではブックマークサービスにより広告主のホームページ等のＵＲＬを送信する規格があり、その規格に則って放送されるＵＲＬ情報ＩＵＲＬをデジタル放送受信機５３は取得することができる。５８はＵＲＬ識別情報メモリで、第２の実施形態で説明したＵＲＬ識別情報Ｕｉｄｘを格納するメモリでありマイコン４５はＵＲＬ識別情報Ｕｉｄｘを読み出すことができる。ＵＲＬ識別情報Ｕｉｄｘは複数あっても良い。ＵＲＬ識別情報Ｕｉｄｘはユーザが登録する場合やデジタル放送受信機５３のメーカーが予め書き込んで出荷する場合がある。ユーザの登録はマイコン４５の制御でＯＳＤコントローラ４８を用い登録させるＯＳＤを表示しリモコン４６を用いてユーザに入力させることで可能である。
５９はＵＲＬ送信先情報メモリで、ＵＲＬ情報ＩＵＲＬを電子メールで送信するために登録している送信先の名称とメールアドレスと送信先が自端末かどうかの情報を関連付けて記憶している。送信先の登録はマイコン４５の制御でＯＳＤコントローラ４８を用い送信先の名称およびメールアドレスの入力と自端末かどうかを選択させるＯＳＤを表示しリモコン４６を用いてユーザに入力させることで可能である。５６はフォルダＩＤメモリで、第２の実施形態で説明したフォルダＩＤを格納するためのメモリである。
フォルダＩＤはユーザによって送信先と同様に登録され送信先と関連付けられて記憶されている。４４は端末ＩＤメモリで、第２の実施形態で説明した端末ＩＤを格納するためのメモリである。端末ＩＤはユーザによって送信先と同様に登録され送信先と関連付けられて記憶されている。ここでいうフォルダＩＤと端末ＩＤは送信先のフォルダＩＤと端末ＩＤであり予め送信先から提供されるものである。ここで図２２を用いて各データの関連付けについて説明する。図２２は本発明の第二の実施形態におけるデータ構造図である。
図２２では送信先名、フォルダＩＤ、自端末かどうかの情報、メールアドレス、端末ＩＤのデータが同じメモリに領域を分けてアドレスにより関連付けられている。図２２では４つの送信先が登録されている。送信先名が自分の送信先は自端末かどうかの情報が自端末を示すデータとなっており、自端末のメールアドレスや端末ＩＤが関連付けて記憶されている。送信先名がＭｙＰＣの送信先は自端末とメールアドレスが同じであることから同じユーザの端末であるが自端末かどうかの情報が他端末を示すデータとなっており端末ＩＤも自端末と異なり他端末であることが分かる。
またＭｙＰＣの送信先はＵＲＬとＴＥＭＰの２つのフォルダＩＤが登録されている。送信先名が鈴木の送信先はメールアドレスと端末ＩＤが自端末と異なる他端末であることが分かる。関連付けはアドレス（表では１６進表示）の下位４ビットをもってデータ識別を行い、上位４ビットをもって送信先名識別ができるようになっている。図２１において５７はブックマークメモリでＵＲＬ情報取得回路５５が取得したＵＲＬ情報ＩＵＲＬのホームページを後に閲覧するためにブックマークとして格納するメモリである。
なお、本実施形態ではデジタルテレビジョン放送受信機について説明したが、アナログのテレビジョン受信機の場合も同様に可能である。
次に図２３と図２４を用いてＵＲＬ情報ＩＵＲＬの電子メール送信動作について説明する。図２３、図２４は本発明の第二の実施形態における動作フローチャートである。
図２３と図２４において、放送よりＵＲＬ情報ＩＵＲＬを受信しＵＲＬ情報取得回路５５が取得すると（ステップＳ７１）、マイコン４５はＯＳＤコントローラ４８を制御して取得したＵＲＬ情報ＩＵＲＬをＵＲＬ送信先情報メモリ５９に登録されている送信先に電子メールで送信するか否かを確認するＯＳＤを表示する（ステップＳ７２）。このＯＳＤの表示例を図２５に示した。
図２５は本発明の第二の実施形態におけるＵＲＬ情報ＩＵＲＬの取扱い確認表示を示した図である。図２５では受信したＵＲＬ情報ＩＵＲＬの取り扱い方法を選択できるように電子メールで登録されている送信先に送信するボタンとブックマークに登録するボタンを表示してユーザがリモコン４６を用いて選択決定できるようになっている。またどちらも行わない場合は戻るボタンを選択することもできる。図２３と図２４において、ユーザがリモコン４６を用いて電子メールで送信する指示を行った場合は、マイコン４５はＵＲＬ送信先情報メモリ５９とフォルダＩＤメモリ５６に記憶されている図２２で示したデータを読み出し、ＯＳＤコントローラ４８を制御して送信先と送信フォルダを選択させるＯＳＤを表示する。このＯＳＤの例を図２６に示した。
図２６は本発明の第二の実施形態におけるＵＲＬ情報ＩＵＲＬの送信先確認表示を示した図である。図２６では登録されている送信先と関連付けられているフォルダＩＤがペアで選択できるボタンが表示されておりユーザがリモコン４６を用いて選択決定できるようになっている。図２２における鈴木を選択したい場合は次ページのボタンを選択決定すれば良くどれも選択したくない場合は戻るボタンを選択決定すればよい。図示していないが次ペーボタンを選択決定した場合は前ページのボタンも表示される。
図２３と図２４において、ユーザがリモコン４６を用いて送信先と送信フォルダを選択決定した場合（ステップＳ７３）、図２３の例ではマイコン４５の制御でＵＲＬ情報取得回路５５の図示しないメモリからＵＲＬを読み出し、ＵＲＬ識別情報Ｕｉｄｘメモリ５８からＵＲＬ識別情報Ｕｉｄｘを読み出すとともに端末ＩＤメモリ４４から該当する送信先の端末ＩＤを読み出して電子メールを作成する（ステップＳ７４）。図２７にステップＳ７３で送信先に鈴木、フォルダＩＤに山田を選択した場合のマイコン４５が作成する電子メールの例を示した。
図２７は本発明の第３の実施形態における送信メールのデータを示した図である。ＳｕｂｊｅｃｔにＵＲＬ識別情報ＵｉｄｘであるＵＲＬの文字が書かれ本文に鈴木の端末ＩＤであるＡＧＨＴ７８がかかれていることが分かる。この場合ＵＲＬ識別情報ＵｉｄｘはＳｕｂｊｅｃｔでなく本文に書かれても良く端末ＩＤはＳｕｂｊｅｃｔにも書かれても良い。次に図２４の例ではマイコン４５の制御でＵＲＬ情報取得回路５５の図示しないメモリからＵＲＬを読み出し、端末ＩＤメモリ４４から自端末の端末ＩＤと該当する送信先の端末ＩＤを読み出して電子メールを作成する（ステップＳ８１）。
図４にステップＳ７３で送信先に鈴木、フォルダＩＤに山田を選択した場合のマイコン４５が作成する電子メールの例を示した。図４は本発明の第３の実施形態における送信メールのデータを示した図である。Ｓｕｂｊｅｃｔの送信先識別領域（Ｔｏ：に続く領域）に鈴木の端末ＩＤであるＡＧＨＴ７８がかかれており差出人識別領域（Ｆｒｏｍ：に続く領域）に自端末の端末ＩＤであるＪ１２３４５が書かれていることが分かる。この場合それぞれの識別領域はＳｕｂｊｅｃｔでなく本文に書かれても良い。次にマイコン４５の制御によりモデム５０を用いてメール送信プロトコル処理を行い送信先に送信する（実際はメールサーバＡに送信してメールサーバＡからメールサーバＢに送信される）。
またステップＳ７２でブックマークに登録することをユーザがリモコン４６を用いて指示した場合は、マイコン４５はＯＳＤコントローラ４８を用いて受信したＵＲＬ情報ＩＵＲＬをブックマークに登録するか否かを確認する図３１で示したようなＯＳＤを表示しユーザに選択させる（ステップＳ７６）。ユーザがＹＥＳを選択決定した場合は受信したＵＲＬ情報ＩＵＲＬをマイコン４５の制御でＵＲＬ情報取得回路の図示しないメモリから読み出してブックマークメモリ５７に記憶する（ステップＳ７７）。ステップＳ７６でＮＯを選択決定した場合は終了する。なお、本第３の実施形態では放送波からＵＲＬ情報ＩＵＲＬを受信する例を示したが、モデム５０を用いて通信網からＵＲＬ情報ＩＵＲＬを受信する場合も同様に考えられる。
以上のように本発明の情報提供装置は、放送波等で送信されるＵＲＬ情報ＩＵＲＬをブックマークに登録することに加えてＵＲＬを確認した電子メールを自動的に作成し用いて予め登録されている登録先に送信することができる。その場合、受信側において送信者の認証を可能にすることや格納するフォルダの指定もできる。
また、端末から離れた場所や別の端末に対しブックマークを登録する事ができる。
また、ＵＲＬ情報ＩＵＲＬを格納した電子メールを送信する場合にブラウザ等に記載されているＵＲＬをコピーして電子メールの本文に貼り付ける操作を手動で行う必要も無く、文字列の範囲を指定するマウスのようなポインティングデバイスを使わずにテレビのリモコンのようなキーのみのデバイスで操作できる。
また、第２の実施形態に記載した情報取得装置および第２の実施形態に記載した情報提供装置の組み合わせもありうる。
【産業上の利用可能性】  プル型データ配信サービスにおいて、ユーザの所望する情報をプッシュ型データ配信サービスの如く蓄積できるサービス等に利用できる。
【図１】
2004027627.tif 000003
【図２】
2004027627.tif 000004
【図３】
2004027627.tif 000005
【図４】
2004027627.tif 000006
【図５】
2004027627.tif 000007
【図６】
2004027627.tif 000008
【図７】
2004027627.tif 000009
【図８】
2004027627.tif 000010
【図９】
2004027627.tif 000011
【図１０】
2004027627.tif 000012
【図１１】
2004027627.tif 000013
【図１２】
2004027627.tif 000014
【図１３】
2004027627.tif 000015
【図１４】
2004027627.tif 000016
【図１５】
2004027627.tif 000017
【図１６】
2004027627.tif 000018
【図１７】
2004027627.tif 000019
【図１８】
2004027627.tif 000020
【図１９】
2004027627.tif 000021
【図２０】
2004027627.tif 000022
【図２１】
2004027627.tif 000023
【図２２】
2004027627.tif 000024
【図２３】
2004027627.tif 000025
【図２４】
2004027627.tif 000026
【図２５】
2004027627.tif 000027
【図２６】
2004027627.tif 000028
【図２７】
2004027627.tif 000029
【図２８】
2004027627.tif 000030
【図２９】
2004027627.tif 000031
【図３０】
2004027627.tif 000032
【図３１】
2004027627.tif 000033
【図３２】
2004027627.tif 000034
【図３３】
2004027627.tif 000035
【手続補正書】
【提出日】平成16年2月13日(2004.2.13)
【手続補正００１】
【補正対象書類名】特許請求の範囲
【補正対象項目名】特許請求の範囲
【補正方法】変更
【補正の内容】
【請求項１】（削除）
【請求項２】（削除）
【請求項３】（削除）
【請求項４】（削除）
【請求項５】（削除）
【請求項６】（削除）
【請求項７】（削除）
【請求項８】（削除）
【請求項９】（削除）
【請求項１０】（削除）
【請求項１１】（削除）
【請求項１２】（削除）
【請求項１３】（削除）
【請求項１４】（削除）
【請求項１５】（削除）
【請求項１６】（削除）
【請求項１７】（削除）
【請求項１８】（削除）
【請求項１９】（削除）
【請求項２０】（削除）
【請求項２１】（削除）
【請求項２２】（削除）
【請求項２３】（削除）
【請求項２４】（削除）
【請求項２５】（削除）
【請求項２６】（追加）電子メールサーバ（１１２，１２０）およびコンテンツデータ（Ｄｎ）を格納する情報サーバ（１４）とネットワーク（ＮＷ）を介して相互に接続されて、電子メールを含む情報（Ｄｎ）を交換する情報交換システムにおいて、当該コンテンツデータ（Ｄｎ）を取得する情報取得装置（ＩＳ１）であって、
電子メールサーバ（１１２，１２０）より電子メール（Ｄｎ）を受信するための電子メール受信プロトコル処理手段（１０５ｂ）と、
前記電子メール（Ｄｎｉ）からデータ（Ｄｎ）を取得するデータ取得手段（１１１，１１０，１０５；Ｓ１１４）と
取得したデータ（Ｄｎ）を解析して、前記コンテンツデータのネットワーク（ＮＷ）におけるアドレスを示す所在情報（ＩＵＲＬ）を検出する第１の解析手段（１０５ｄ；Ｓ１１６）と、
前記検出された所在情報（ＩＵＲＬ）を記憶する所在情報メモリ（１３２；Ｓ１１８）とを備え、
前記第１の解析手段（１０５ｄ；Ｓ１１５）は、前記取得したデータ（Ｄｎ）において、所定の文字列に続く文字列をＵＲＬとして検出し、前記電子メール受信プロトコル処理手段（１０５ｂ）はＰＯＰ（Ｐｏｓｔ  Ｏｆｆｉｃｅ  Ｐｒｏｔｏｃｏｌ）を含み、前記所在情報（ＩＵＲＬ）はＵＲＬ（Ｕｎｉｆｏｒｍ  Ｒｅｓｏｕｒｃｅ  Ｌｏｃａｔｏｒ）であることを特徴とする情報取得装置（ＩＳ１）。
【請求項２７】（追加）前記所定の文字列は、ｈｔｔｐ：／／であることを特徴とする請求項２６に記載の情報取得装置（ＩＳ１）。
【請求項２８】（追加）電子メールサーバ（１１２，１２０）およびコンテンツデータ（Ｄｎ）を格納する情報サーバ（１４）とネットワーク（ＮＷ）を介して相互に接続されて、電子メールを含む情報（Ｄｎ）を交換する情報交換システムにおいて、当該コンテンツデータ（Ｄｎ）を取得する情報取得装置（ＩＳ１）であって、
電子メールサーバ（１１２，１２０）より電子メール（Ｄｎ）を受信するための電子メール受信プロトコル処理手段（１０５ｂ）と、
前記電子メール（Ｄｎｉ）からデータ（Ｄｎ）を取得するデータ取得手段（１１１，１１０，１０５；Ｓ１１４）と、
取得したデータ（Ｄｎ）を解析して、前記コンテンツデータのネットワーク（ＮＷ）におけるアドレスを示す所在情報（ＩＵＲＬ）を検出する第１の解析手段（１０５ｄ；Ｓ１１６）と、
前記検出された所在情報（ＩＵＲＬ）を記憶する所在情報メモリ（１３２；Ｓ１１８）と、
少なくともユーザ自身を表すユーザ識別情報（ＩＲ、Ｔｉｄ）を、記憶しておくＩＤメモリ（１０５，１０４、１２１）と、
前記取得されたデータ（Ｄｎ）を解析して、前記電子メール（Ｄｎｉ）の送信者を表すユーザ識別情報（Ｔｉｄ）を検出する第２の解析手段（１０５ｄ；Ｓ１１６）と、
前記検出されたユーザ識別情報（ＩＲ，Ｔｉｄ）が前記ＩＤメモリ（１０５，１０４，１２１）に記憶されているユーザ識別情報（Ｔｉｄ）に一致する場合に、前記電子メールの送信者を認証するメール送信者認証手段（Ｓ１６２、Ｓ１６３）とを備える情報取得装置（ＩＳ１）。
【請求項２９】（追加）前記電子メール送信者が認証される場合に、前記所在情報メモリ（１３２；Ｓ１１８）は前記検出された所在情報（ＩＵＲＬ）を記憶することを特徴とする請求項２８に記載の情報取得装置（ＩＳ１）。
【請求項３０】（追加）前記認証結果に応じて、前記電子メールの受信許可および受信禁止のいずれかを行う電子メール受信制御手段（Ｓ１６４，Ｓ１６５）とを備えることを特徴とする請求項２９に記載の情報取得装置（ＩＳ１）。
【請求項３１】（追加）前記検出されたユーザ識別情報（Ｔｉｄ）が前記自身のユーザ識別情報（Ｔｉｄ）と異なる場合には、前記電子メール受信制御手段（Ｓ１６４）は前記電子メール（Ｄｎｉ）の受信を許可することを特徴とする請求項３０に記載の情報取得装置（ＩＳ１）。
【請求項３２】（追加）前記ユーザ識別情報（ＩＲ）は、メールアドレスと端末ＩＤ（Ｔｉｄ）であり、前記検出されたメールアドレスおよび端末ＩＤ（Ｔｉｄ）が共に、それぞれ、前記自身のメールアドレスおよび端末ＩＤ（Ｔｉｄ）と一致する場合には、前記電子メール受信制御手段（Ｓ１６５）は前記電子メール（Ｄｎｉ）の受信を禁止することを特徴とする請求項３０に記載の情報取得装置（ＩＳ１）。
【請求項３３】（追加）電子メールサーバ（１１２，１２０）およびコンテンツデータ（Ｄｎ）を格納する情報サーバ（１４）とネットワーク（ＮＷ）を介して相互に接続されて、電子メールを含む情報（Ｄｎ）を交換する情報交換システムにおいて、当該コンテンツデータ（Ｄｎ）を取得する情報取得装置（ＩＳ１）であって、
電子メールサーバ（１１２，１２０）より電子メール（Ｄｎ）を受信するための電子メール受信プロトコル処理手段（１０５ｂ）と、
前記電子メール（Ｄｎｉ）からデータ（Ｄｎ）を取得するデータ取得手段（１１１，１１０，１０５；Ｓ１１４）と
取得したデータ（Ｄｎ）を解析して、前記コンテンツデータのネットワーク（ＮＷ）におけるアドレスを示す所在情報（ＩＵＲＬ）を検出する第１の解析手段（１０５ｄ；Ｓ１１６）と、
前記検出された所在情報（ＩＵＲＬ）を記憶する所在情報メモリ（１３２；Ｓ１１８）と、
外部からの指示を受け付ける指示受付手段（１０６，１０７）と、
前記所在情報（ＩＵＲＬ）に関連するコンテンツのタイトルを示すタイトル情報を記憶するタイトルメモリ（１３３）と、
前記タイトルメモリ（１３３）に記憶されているタイトル情報を一覧表示するタイトル表示手段（１０８，２０３）とを備え、
前記所在情報メモリ（１３２）と前記タイトルメモリ（１３）にはユーザが前記指示受付手段（１０６，１０７）を用いて登録するコンテンツの前記所在情報（ＵＲＬ）と前記タイトル情報とが関連付けて記憶されることを特徴とする情報取得装置（ＩＳ１）。
【請求項３４】（追加）さらに、前記電子メールから検出された所在情報（ＩＵＲＬ）で示される前記情報サーバ（１４）から取得される定義ファイルより前記タイトル情報を抽出し、当該所在情報（ＵＲ１）と抽出されたタイトル情報を関連付けて記憶するように制御し、
ユーザが前記指示受付手段（１０６，１０７）を使用して前記タイトル情報の一覧の表示指示をする場合は、前記タイトル表示手段（１０８，２０３）に前記タイトル情報の一覧を表示させ、
ユーザがコンテンツを取得するために前記指示受付手段（１０６，１０７）を使用してタイトルの選択指示をする場合は、関連付けられた所在情報（ＩＵＲＬ）に基づいてコンテンツを取得し表示するよう制御する制御手段を備えることを特徴とする請求項３３に記載の情報取得装置（ＩＳ１）。
【請求項３５】（追加）前記定義ファイルとはＨＴＭＬファイルであることを特徴とする請求項３４記載の情報取得装置。
【請求項３６】（追加）さらに、フォルダ識別情報（Ｃ２）を記憶するフォルダメモリ（１５）と、
前記取得されたデータ（Ｄｎ）を解析して、前記電子メール（Ｄｎｉ）の格納先を表すフォルダ識別情報を検出する第３の検出手段（１０５ｄ；Ｓ１２６）とを備え、
前記フォルダ識別情報が示す格納フォルダに関連付けて前記タイトル情報を記憶し、ユーザが前記指示受付手段を使用して前記タイトル情報の一覧の表示指示させる場合は、前記タイトル表示手段を用いて関連付けた格納フォルダ内に前記タイトル情報が表示されることを特徴とする請求項３５に記載の情報取得装置（ＩＳ１）。
【請求項３７】（追加）電子メールサーバ（１１２，１２０）およびコンテンツデータ（Ｄｎ）を格納する情報サーバ（１４）とネットワーク（ＮＷ）を介して相互に接続されて、電子メールを含む情報（Ｄｎ）を交換する情報交換システムにおいて、当該コンテンツデータ（Ｄｎ）を取得する情報取得装置（ＩＳ１）であって、
電子メールサーバ（１１２，１２０）より電子メール（Ｄｎ）を受信するための電子メール受信プロトコル処理手段（１０５ｂ）と、
前記電子メール（Ｄｎｉ）からデータ（Ｄｎ）を取得するデータ取得手段（１１１，１１０，１０５；Ｓ１１４）と
取得したデータ（Ｄｎ）を解析して、前記コンテンツデータのネットワーク（ＮＷ）におけるアドレスを示す所在情報（ＩＵＲＬ）を検出する第１の解析手段（１０５ｄ；Ｓ１１６）と、
前記検出された所在情報（ＩＵＲＬ）を記憶する所在情報メモリ（１３２；Ｓ１１８）と、
前記指示受付手段により押下可能なボタンを含むＯＳＤ（Ｏｎ  Ｓｃｒｅｅｎ  Ｄｉｓｐｌａｙ）を表示する手段と、
前記所在情報（ＩＵＲＬ）をボタンとしてＯＳＤ表示し、前記指示受付手段で押下されたボタンをユーザが選択した所在情報と認識する制御手段とを備える情報取得装置（ＩＳ１）。
【請求項３８】（追加）電子メールサーバ（１１２，１２０）およびコンテンツデータ（Ｄｎ）を格納する情報サーバ（１４）とネットワーク（ＮＷ）を介して相互に接続されて、電子メールを含む情報（Ｄｎ）を交換する情報交換システムにおいて、当該コンテンツデータ（Ｄｎ）のネットワーク（ＮＷ）におけるアドレス情報を提供する情報提供装置（ＩＳ１）であって、
前記電子メールを送信するための電子メール送信プロトコル処理手段（１０５ｂ）と、
放送波を受信して、当該放送波に重畳されているＵＲＬ情報（ＩＵＲＬ）を取得するＵＲＬ情報取得手段（１１５）と、
前記ＵＲＬ情報（ＩＵＲＬ）を格納する電子メールの送信先のアドレスを記憶するＵＲＬ送信先メモリ（１０５ａ）と、
前記ＵＲＬ情報（ＩＵＲＬ）を受信した際に前記ＵＲＬ送信先メモリ（１０５ａ）に記憶されているアドレスを送信先にして取得されたＵＲＬ情報（ＩＵＲＬ）を格納した電子メールデータを作成する第１の電子メール作成手段（１０５ｃ）と、
前記電子メール送信プロトコル処理手段（１０５ｂ）に、前記作成された電子メールを前記電子メールサーバ（１１２、１２０）に送信させる制御手段とを備える情報提供装置（ＩＳ１）。
【請求項３９】（追加）さらに、前記情報サーバ（１４）から情報を受信するための情報受信プロトコル手段（５）と、
前記情報サーバ（１４）から定義ファイルおよびコンテンツを取得して、当該定義ファイルで定義される様式で当該コンテンツを表示するブラウザ手段（６）と、
前記ブラウザ手段（６）が定義ファイルおよびコンテンツを取得する情報サーバ（１４）のネットワーク上の所在情報であるＵＲＬ情報（ＩＵＲＬ）を記憶する所在情報メモリ（１２）と、
前記取得されたＵＲＬ情報（ＩＵＲＬ）を格納した電子メールデータを作成して前記電子メールサーバ（１１２，１２０）への送信と、および当該ＵＲＬ情報（ＩＵＲＬ）を前記所在情報メモリに記憶とのいずれかを実行する制御手段を備えることを特徴とする請求項３８に記載の情報提供装置（ＩＳ１）。
【請求項４０】（追加）さらに、電子メールにＵＲＬ情報が格納されていることを識別するためのＵＲＬ識別情報（Ｕｉｄｘ）を記憶するＵＲＬ識別情報メモリ（１１８）と、
前記取得されたＵＲＬ情報（ＩＵＲＬ）と前記ＵＲＬ識別情報（Ｕｉｄｘ）を格納した電子メールデータを作成する第２の電子メール作成手段（１０５ｃ）制御手段とを備える請求項３９に記載の情報提供装置。
【請求項４１】（追加）さらに、少なくともユーザ自身を示すユーザ識別情報（ＩＲ，Ｔｉｄ）を記憶しておくＩＤメモリ（１０５、１０４、１２１）と、
前記取得されたＵＲＬ情報と前記ユーザ識別情報（ＩＲ、Ｔｉｄ）とを格納した電子メールデータを作成する第３の電子メール作成手段（１０５ｃ）とを備える請求項４０に記載の情報提供装置（ＩＳ１）。
【請求項４２】（追加）さらに、電子メールの送信先でのフォルダ識別情報（Ｃ１１）を記憶するフォルダメモリ（１５）と、
前記取得されたＵＲＬ情報（ＩＲＵＬ）と前記送信先のフォルダ識別情報（Ｃ１２）とを格納した電子メールデータを作成する第４の電子メール作成手段（１０５ｃ）とを備える請求項４１に記載の情報提供装置（ＩＳ１）。
【請求項４３】（追加）さらに、外部からの指示を受け付ける指示受付手段（１０６、１０７）と、
送信先の名称を記憶する送信先名称メモリ（１０５ａ）と、
前記送信先名称メモリ（１０５ａ）に記憶されている名称と前記フォルダメモリ（１５）に記憶されている送信先のフォルダ識別情報とを一覧表示する送信先表示手段（２０３）とを備え、
前記送信先メモリと前記フォルダメモリと前記ＵＲＬ送信先メモリにはユーザが前記指示受付手段を用いて登録した送信先の名称とフォルダ識別情報とアドレスを関連付けて記憶されることを特徴とする請求項３８に記載の情報提供装置（ＩＳ１）。
【請求項４４】（追加）さらに、前記ＵＲＬ情報（ＩＵＲＬ）が取得される場合は、前記送信先表示手段（１０６，１０７）を用いて前記一覧を表示するように制御し、
ユーザが前記指示受付手段（１０６，１０７）を用いて受信したＵＲＬ情報（ＩＵＲＬ）を電子メールで送信する送信先を選択指示する場合は、関連付けられたアドレス情報と取得したＵＲＬ情報（ＩＵＲＬ）に基づいて電子メールデータを作成し送信するよう制御する制御手段とを備える請求項４３に記載の情報提供装置（ＩＳ１）。
【請求項４５】（追加）さらに、前記指示受付手段により押下可能なボタンを含むＯＳＤ（Ｏｎ  Ｓｃｒｅｅｎ  Ｄｉｓｐｌａｙ）を表示する手段と、
前記送信先名称メモリに記憶されている名称と前記フォルダメモリ（１５）に記憶されている送信先のフォルダ識別情報とを同時に押下できるボタンとしてＯＳＤ表示し、
前記指示受付手段で押下されたボタンをユーザが選択した送信先と認識する制御手段とを備える請求項４４に記載の情報提供装置（ＩＳ１）。
【手続補正書】
【提出日】平成16年12月20日(2004.12.20)
【手続補正１】
【補正対象書類名】特許請求の範囲
【補正対象項目名】全文
【補正方法】変更
【補正の内容】
【特許請求の範囲】
【請求項１】
電子メールサーバおよびコンテンツデータを格納する情報サーバとネットワークを介して相互に接続されて、電子メールを含む情報を交換する情報交換システムにおいて、当該コンテンツデータを取得する情報取得装置であって、
電子メールサーバより電子メールを受信するための電子メール受信プロトコル処理手段と、
前記電子メールからデータを取得するデータ取得手段と、
取得したデータを解析して、前記コンテンツデータのネットワークにおけるアドレスを示す所在情報を検出する第１の解析手段と、
前記検出された所在情報を記憶する所在情報メモリとを備え、
前記第１の解析手段は、前記取得したデータにおいて、所定の文字列に続く文字列をＵＲＬとして検出し、前記所在情報はＵＲＬであることを特徴とする情報取得装置。
【請求項２】
前記所定の文字列は、ｈｔｔｐ：／／であることを特徴とする請求項１に記載の情報取得装置。
【請求項３】
電子メールサーバおよびコンテンツデータを格納する情報サーバとネットワークを介して相互に接続されて、電子メールを含む情報を交換する情報交換システムにおいて、当該コンテンツデータを取得する情報取得装置であって、
電子メールサーバより電子メールを受信するための電子メール受信プロトコル処理手段と、
前記電子メールからデータを取得するデータ取得手段と、
取得したデータを解析して、前記コンテンツデータのネットワークにおけるアドレスを示す所在情報を検出する第１の解析手段と、
前記検出された所在情報を記憶する所在情報メモリと、
少なくともユーザ自身を表すユーザ識別情報を、記憶しておくＩＤメモリと、
前記取得されたデータを解析して、前記電子メールの送信者を表すユーザ識別情報を検出する第２の解析手段と、
前記検出されたユーザ識別情報が前記ＩＤメモリに記憶されているユーザ識別情報に一致する場合に、前記電子メールの送信者を認証するメール送信者認証手段とを備える情報取得装置。
【請求項４】
前記電子メール送信者が認証される場合に、前記所在情報メモリは前記検出された所在情報を記憶することを特徴とする請求項３に記載の情報取得装置。
【請求項５】
前記認証結果に応じて、前記電子メールの受信許可および受信禁止のいずれかを行う電子メール受信制御手段とを備えることを特徴とする請求項４に記載の情報取得装置。
【請求項６】
前記検出されたユーザ識別情報が前記自身のユーザ識別情報と異なる場合には、前記電子メール受信制御手段は前記電子メールの受信を許可することを特徴とする請求項５に記載の情報取得装置。
【請求項７】
前記ユーザ識別情報は、メールアドレスと端末ＩＤであり、前記検出されたメールアドレスおよび端末ＩＤが共に、それぞれ、前記自身のメールアドレスおよび端末ＩＤと一致する場合には、前記電子メール受信制御手段は前記電子メールの受信を禁止することを特徴とする請求項５に記載の情報取得装置。
【請求項８】
電子メールサーバおよびコンテンツデータを格納する情報サーバとネットワークを介して相互に接続されて、電子メールを含む情報を交換する情報交換システムにおいて、当該コンテンツデータを取得する情報取得装置であって、
電子メールサーバより電子メールを受信するための電子メール受信プロトコル処理手段と、
前記電子メールからデータを取得するデータ取得手段と、
取得したデータを解析して、前記コンテンツデータのネットワークにおけるアドレスを示す所在情報を検出する第１の解析手段と、
前記検出された所在情報を記憶する所在情報メモリと、
外部からの指示を受け付ける指示受付手段と、
前記所在情報に関連するコンテンツのタイトルを示すタイトル情報を記憶するタイトルメモリと、
前記タイトルメモリに記憶されているタイトル情報を一覧表示するタイトル表示手段とを備え、
前記所在情報メモリと前記タイトルメモリにはユーザが前記指示受付手段を用いて登録するコンテンツの前記所在情報と前記タイトル情報とが関連付けて記憶されることを特徴とする情報取得装置。
【請求項９】
さらに、前記電子メールから検出された所在情報で示される前記情報サーバから取得される定義ファイルより前記タイトル情報を抽出し、当該所在情報と抽出されたタイトル情報を関連付けて記憶するように制御し、
ユーザが前記指示受付手段を使用して前記タイトル情報の一覧の表示指示をする場合は、前記タイトル表示手段に前記タイトル情報の一覧を表示させ、
ユーザがコンテンツを取得するために前記指示受付手段を使用してタイトルの選択指示をする場合は、関連付けられた所在情報に基づいてコンテンツを取得し表示するよう制御する制御手段を備えることを特徴とする請求項８に記載の情報取得装置。
【請求項１０】
前記定義ファイルとはＨＴＭＬファイルであることを特徴とする請求項９記載の情報取得装置。
【請求項１１】
さらに、フォルダ識別情報を記憶するフォルダメモリと、
前記取得されたデータを解析して、前記電子メールの格納先を表すフォルダ識別情報を検出する第３の検出手段とを備え、
前記フォルダ識別情報が示す格納フォルダに関連付けて前記タイトル情報を記憶し、ユーザが前記指示受付手段を使用して前記タイトル情報の一覧の表示指示させる場合は、前記タイトル表示手段を用いて関連付けた格納フォルダ内に前記タイトル情報が表示されることを特徴とする請求項１０に記載の情報取得装置。
【請求項１２】
電子メールサーバおよびコンテンツデータを格納する情報サーバとネットワークを介して相互に接続されて、電子メールを含む情報を交換する情報交換システムにおいて、当該コンテンツデータを取得する情報取得装置であって、
電子メールサーバより電子メールを受信するための電子メール受信プロトコル処理手段と、
前記電子メールからデータを取得するデータ取得手段と、
取得したデータを解析して、前記コンテンツデータのネットワークにおけるアドレスを示す所在情報を検出する第１の解析手段と、
前記検出された所在情報を記憶する所在情報メモリと、
前記指示受付手段により押下可能なボタンを含むＯＳＤを表示する手段と、
外部から指示を受け付ける指示受付手段と、
前記所在情報をボタンとしてＯＳＤ表示し、前記指示受付手段で押下されたボタンをユーザが選択した所在情報と認識する制御手段とを備える情報取得装置。
【請求項１３】
電子メールサーバおよびコンテンツデータを格納する情報サーバとネットワークを介して相互に接続されて、電子メールを含む情報を交換する情報交換システムにおいて、当該コンテンツデータのネットワークにおけるアドレス情報を提供する情報提供装置であって、
前記電子メールを送信するための電子メール送信プロトコル処理手段と、
放送波を受信して、当該放送波に重畳されているＵＲＬ情報を取得するＵＲＬ情報取得手段と、
前記ＵＲＬ情報を格納する電子メールの送信先のアドレスを記憶するＵＲＬ送信先メモリと、
前記ＵＲＬ情報を受信した際に前記ＵＲＬ送信先メモリに記憶されているアドレスを送信先にして取得されたＵＲＬ情報を格納した電子メールデータを作成する第１の電子メール作成手段と、
前記電子メール送信プロトコル処理手段に、前記作成された電子メールを前記電子メールサーバに送信させる制御手段とを備える情報提供装置。
【請求項１４】
さらに、前記情報サーバから情報を受信するための情報受信プロトコル手段と、
前記情報サーバから定義ファイルおよびコンテンツを取得して、当該定義ファイルで定義される様式で当該コンテンツを表示するブラウザ手段と、
前記ブラウザ手段が定義ファイルおよびコンテンツを取得する情報サーバのネットワーク上の所在情報であるＵＲＬ情報を記憶する所在情報メモリと、
前記取得されたＵＲＬ情報を格納した電子メールデータを作成して前記電子メールサーバへの送信と、および当該ＵＲＬ情報を前記所在情報メモリに記憶とのいずれかを実行する制御手段を備えることを特徴とする請求項１３に記載の情報提供装置。
【請求項１５】
さらに、電子メールにＵＲＬ情報が格納されていることを識別するためのＵＲＬ識別情報を記憶するＵＲＬ識別情報メモリと、
前記取得されたＵＲＬ情報と前記ＵＲＬ識別情報を格納した電子メールデータを作成する第２の電子メール作成手段制御手段とを備える請求項１４に記載の情報提供装置。
【請求項１６】
さらに、少なくともユーザ自身を示すユーザ識別情報を記憶しておくＩＤメモリと、
前記取得されたＵＲＬ情報と前記ユーザ識別情報とを格納した電子メールデータを作成する第３の電子メール作成手段とを備える請求項１５に記載の情報提供装置。
【請求項１７】
さらに、電子メールの送信先でのフォルダ識別情報を記憶するフォルダメモリと、
前記取得されたＵＲＬ情報と前記送信先のフォルダ識別情報とを格納した電子メールデータを作成する第４の電子メール作成手段とを備える請求項１６に記載の情報提供装置。
【請求項１８】
さらに、外部からの指示を受け付ける指示受付手段と、
送信先の名称を記憶する送信先名称メモリと、
前記送信先名称メモリに記憶されている名称と前記フォルダメモリに記憶されている送信先のフォルダ識別情報とを一覧表示する送信先表示手段とを備え、
前記送信先メモリと前記フォルダメモリと前記ＵＲＬ送信先メモリにはユーザが前記指示受付手段を用いて登録した送信先の名称とフォルダ識別情報とアドレスを関連付けて記憶されることを特徴とする請求項１３に記載の情報提供装置。
【請求項１９】
さらに、前記ＵＲＬ情報が取得される場合は、前記送信先表示手段を用いて前記一覧を表示するように制御し、
ユーザが前記指示受付手段を用いて受信したＵＲＬ情報を電子メールで送信する送信先を選択指示する場合は、関連付けられたアドレス情報と取得したＵＲＬ情報に基づいて電子メールデータを作成し送信するよう制御する制御手段とを備える請求項１８に記載の情報提供装置。
【請求項２０】
さらに、前記指示受付手段により押下可能なボタンを含むＯＳＤを表示する手段と、
前記送信先名称メモリに記憶されている名称と前記フォルダメモリに記憶されている送信先のフォルダ識別情報とを同時に押下できるボタンとしてＯＳＤ表示し、
前記指示受付手段で押下されたボタンをユーザが選択した送信先と認識する制御手段とを備える請求項１９に記載の情報提供装置。
【請求項２１】
前記所定の文字列は、ＵＲＬが格納されていることを識別するためのＵＲＬ識別情報であることを特徴とする請求項１に記載の情報取得装置。
【手続補正２】
【補正対象書類名】明細書
【補正対象項目名】全文
【補正方法】変更
【補正の内容】
【発明の詳細な説明】
【技術分野】
【０００１】
本発明は、インターネット等のネットワーク上の電子メールサーバや情報サーバに接続して電子メールを受信するとともにホームページのような情報を取得する、または放送波を受信するとともに電子メール送信機能を持ったデジタルテレビジョン放送受信機やパーソナルコンピュータや携帯電話器や携帯情報端末機に関するものである。
【背景技術】
【０００２】
特開２００２−５６０２８号公報（特許文献１）にも、一例が提案されているように、ブックマークを携帯情報端末にダウンロードして使用することについては従来知られている。以下に従来の情報取得装置および情報提供装置について説明する。図２８は、従来の情報取得装置および情報提供装置の構成を示すブロック図である。
【０００３】
図２８に示すように、２１はモデムで、図示していない通信会社の通信回線やサービスプロバイダを介してインターネット網に接続されており、後述するマイコン２２の制御で通信回線からのデータを受信して復調し出力することと、送信データを変調して通信回線に出力する。
【０００４】
モデム２１においては電話回線を使用するいわゆるモデムのみでなく、電話線を使用するＡＤＳＬモデムや光ファーバー網を使用するＦＴＴＨのＯＮＵやケーブルテレビ回線を使用するケーブルモデム等あらゆる通信端末でも良く、接続方式はダイヤルアップ接続のみでなく常時接続の方式でも良い。２２はマイコンで、情報取得装置２３の各要素の制御を行うと共に、後述するホームページプロトコル処理やＷＷＷブラウザ機能をソフトウェアプログラムにより実現している。２４はいわゆるマウスで左右キーやポインティングする為の移動情報取得手段等を有する情報取得装置２３のユーザインターフェースである。
【０００５】
マイコン２２はマウス２４の出力するデータを受信しユーザの指示を解釈する。２５はホームページ受信プロトコル処理部であり、ＴＣＰ／ＩＰやＨＴＴＰ等の通信プロコトル処理を行う部分でモデム２１を介したホームページに関するデータ通信を行う。２６はＷＷＷブラウザ部であり、パソコンでのインターネットエキスプローラーと同様の処理を行うソフトウェアであり、ホームページ受信プロトコル処理部２５が出力する個々のデータである画像ファイルやテキストファイル等を入力し、ファイルの属性に応じて適当にデコードすると共に、同様に入力するＨＴＭＬファイルの内容に応じてデコードしたコンテンツを組み立ててホームページを再生し画素データに変換するとともにＨＴＭＬファイルを解釈しホームページのＵＲＬやタイトルを取得する。
【０００６】
再生されたホームページはグラフィック部２７の表示プレーンに画素データで描画された後映像データとして出力される。グラフィック部２７はマイコン２２の指示により描画データの表示サイズ縮小や拡大のスケーリング処理も行う。グラフィック部２７には画素変換やスケーリング処理のためのメモリが通常接続されているが本従来の形態に直接関係しないので省略している。２８はメール受信／送信プロトコル処理部であり、モデム２１が受信した電子メール関係のデータを入力しＴＣＰ／ＩＰやＰＯＰ等のプロトコル処理を行い出力することと入力する電子メールデータをＳＭＴＰ等のプロトコル処理を行いモデム２１から送信する。
【０００７】
２９はメール取得／作成部であり、メール受信プロトコル処理部２８が出力したデータを入力し受信メールのデータを抜き出すこととマウス２４を用いてドラッグしてコピーした後述するＵＲＬ情報ＩＵＲＬを貼り付けた電子メールデータを作成し出力する。３３はタイトルメモリであり、ユーザの登録したブックマークのタイトルを記憶する為のメモリである。ＷＷＷブラウザ部が表示している現在閲覧中のホームページのタイトルをマイコン２２の制御で書き込む事ができる。ユーザが登録したブックマークのタイトル一覧（以後ブックマーク一覧とも言う）を表示する指示をマウス２４を用いて行った場合は、マイコン２２の制御により書き込まれているタイトルを読み出して、グラフィック部２７を使用して一覧表示する。
【０００８】
３２はＵＲＬメモリであり、ユーザが登録したブックマークのＵＲＬを記憶する為のメモリである。ＷＷＷブラウザ部が表示している現在閲覧中のホームページのＵＲＬをマイコン２２の制御で書き込む事が可能である。タイトルメモリ３３とＵＲＬメモリ３２に書き込まれているタイトルとＵＲＬは同一のホームページについては関連付けられている。詳細は後述する。前述したブックマーク一覧の中からユーザが閲覧するホームページのタイトルを選択した場合には、マイコン２２の制御で関連付けられているＵＲＬを読み出し、ＷＷＷブラウザ部２６とホームページ受信プロトコル部２５とモデム３１を使用して該当する情報サーバ３４に接続し、読み出したＵＲＬで指定されるファイルを受信する。
【０００９】
次に図２９と図３０を用いて動作の説明をする。図２９、図３０は従来の形態における動作フローチャートである。図２９においてユーザがＷＷＷブラウザで特定のホームページを閲覧中であるとし、ユーザがそのホームページをブックマーク登録したいと欲した場合、ユーザはマウス２４を用いてブックマーク登録の操作を行う（ステップＳ３１）。操作は画面上のＯＳＤに応じて行って良い。図３１は従来の形態におけるブックマーク登録を確認する表示を示した図である。図３１においては現在閲覧しているホームページをブックマーク登録する際、確認するためのＯＳＤが表示されている。
【００１０】
図２９でその後マイコン２２はその指示を解釈しＷＷＷブラウザ部２６が取得しているＨＴＭＬファイルよりホームページのＵＲＬとタイトルを抜き出す（ステップＳ３２）。次にマイコン２２の制御により抜き出したＵＲＬをＵＲＬメモリ３２にタイトルをタイトルメモリ３３に記憶する（ステップＳ３３）。この時にタイトルとＵＲＬは関連付けて記憶される。その関連付けはそれぞれの記憶したアドレスを別途図示しないメモリに予めプログラムにより関連付けている領域を設けて保持することや、予めメモリに保持するアドレスに相関関係を持たす事で可能である。
以上の動作によりユーザが現在ＷＷＷブラウザで閲覧中のホームページをブックマーク登録することが可能である。
【００１１】
次にブックマーク一覧を表示してホームページを閲覧する場合の動作を図３０を用いて説明する。図３０は従来の形態における動作フローチャートである。図３０では、ユーザがマウス２４を用いてブックマーク一覧表示の指示があった場合（ステップＳ４１）、マイコン２２の制御でタイトルメモリ３３に記憶されているタイトルを読み出してグラフィクス部２７を使用して一覧表示してユーザの選択を待つ（ステップＳ４２）。
【００１２】
ブックマーク一覧表示した場合の例を図３２を用いて説明する。図３２は従来の形態におけるブックマーク一覧の表示を示した図である。図３２では登録されているホームページ３つのタイトルが一覧表として表示している事が分かる。一覧表の個々のタイトルはマウス２４で選択し押下できるボタンとなっており、ユーザはマウス２４を用いてタイトルを選択し決定する事ができる。
【００１３】
図３０において、ユーザがタイトルを選択し決定した場合（ステップＳ４３）、マイコン２２の制御により選択されたタイトルに関連付けられているＵＲＬをＵＲＬメモリ３２から読み出す（ステップＳ４４）。次にマイコン２２は読み出したＵＲＬを使用し、ＷＷＷブラウザ部２６とホームページ受信プロトコル部２５とモデム２１を使用して該当する情報サーバ３４に接続し、読み出したＵＲＬで指定されるコンテンツのＨＴＭＬファイルを受信する（ステップＳ４５）。
【００１４】
次にマイコン２２はＨＴＭＬファイルを解釈し、定義されている個々のデータである画像ファイルやテキストファイル等をＷＷＷブラウザ部２６とホームページ受信プロトコル部２５とモデム２１を使用して取得し、ファイルの属性に応じて適当にデコードすると共に、同様に入力するＨＴＭＬファイルの内容に応じてデコードしたコンテンツを組み立ててホームページを再生し、画素データに変換してグラフィクス部２７を使用して表示すると共に、ＨＴＭＬファイルを解釈しホームページのＵＲＬやタイトルを取得する（ステップＳ４６）。以上のように登録したホームページをブックマーク一覧で表示することや保守する事ができる。
【００１５】
次に電子メールを用いて現在閲覧中のホームページのＵＲＬを送信する動作を、図３３を用いて説明する。図３３は従来の形態における動作フローチャートである。閲覧中のホームページのＵＲＬを電子メールに貼り付けて送信する場合（ステップＳ９１）、閲覧中のブラウザのＵＲＬ欄やブラウザ画面上のＵＲＬをマウス２４を用いてドラッグしてコピーする（ステップＳ９２）。例えば図３１で示したｈｔｔｐ：//ＷＷＷ．ＡＢＣＤＥ．Ｃ０．ＪＰ／ｔｏｐ．ｃｏｍをドラッグしコピーする。次にメール作成部２９を用い電子メールの本文のエディタを起動させコピーしたＵＲＬを貼り付けるとともにメール送信部２８、モデム２１を用いて送信する（ステップＳ９３）。
【特許文献１】特開２００２−５６０２８号公報
【発明の開示】
【発明が解決しようとする課題】
【００１６】
しかしながら上記のような構成では、あるホームページをブックマークに登録する場合には、ユーザが一旦情報サーバに接続してＨＴＭＬファイルからＵＲＬ情報を取得する操作をする必要があり、受信した電子メールからＵＲＬを取得して自動的にブックマークに登録する事ができないため、ＵＲＬ情報を取得する端末から離れた場所の別の端末ではブックマークを登録する事ができないという問題が生じていた。
【００１７】
また、ブックマークに登録する場合に受信メール内に記載されているＵＲＬをコピーしてブックマークに貼り付ける操作を手動で行う必要があり、そのためには文字列の範囲を指定するマウスのようなポインティングデバイスが必要となり、テレビのリモコンのようなキーのみのデバイスでは操作できないという問題が生じていた。
また、ＵＲＬを電子メールで紹介することにより対価を得るビジネスモデルの構築ができないという問題が生じていた。
【００１８】
また、放送波で送信されるＵＲＬ情報ＩＵＲＬを受信してＵＲＬ情報を格納した電子メールを送信することができないことにより受信機端末から離れた場所や別の端末に対してブックマークを登録することや受信機端末の蓄積領域を使わずに後に別端末や自端末を用いＵＲＬで示されている情報を視聴することを実現できない。
【００１９】
また、電子メールにブラウザで表示されているＵＲＬをコピーしてブックマークに貼り付ける操作を手動で行う必要があり、そのためには文字列の範囲を指定するマウスのようなポインティングデバイスが必要となり、テレビのリモコンのようなキーのみのデバイスでは操作できないという問題が生じていた。また、ＵＲＬを電子メールで紹介することにより対価を得るビジネスモデルの構築ができないという問題が生じていた。
【００２０】
さらに、上述の方法では、ユーザがブラウザで表示しているＵＲＬを電子メールにコピーするという作業は、ユーザが時間に余裕のある時にしか行えない。そのために、本来ユーザにとって好ましいＵＲＬが放送されていても、ユーザはそのことに気づかずに入手できないというプル型データ配信に固有の問題がある。この意味からは、プル型データ配信である放送波から、所望のＵＲＬのみをプッシュ型のように取得できることが非常に望ましい。
本発明は上記従来の問題点を解決する情報取得装置および情報提供装置を提供することを目的とする。
【課題を解決するための手段】
【００２１】
本発明は、ネットワーク上の電子メールサーバと情報サーバに接続する通信手段と、電子メールを受信するための電子メール受信プロトコル処理手段と、前記電子メール受信通信プロトコル処理手段を用いてネットワーク上の別端末から送信された電子メールを電子メールサーバより受信しデータを取得するメール受信手段と、取得した受信メールのデータを解析する解析手段と、情報サーバ内の情報を受信するための情報受信通信プロトコル手段と、情報サーバ内の定義ファイルやコンテンツを取得し定義ファイルで定義された様式でコンテンツを表示するブラウザ手段と、前記ブラウザ手段が定義ファイルやコンテンツを取得するために使用するネットワーク上の所在情報を記憶する所在メモリと、前記解析手段の解析により取得した受信メールのデータ内に前記所在情報が存在すると認識した場合は、認識した所在情報を前記所在メモリに記憶するよう制御する制御手段とを備えることを特徴とする。
【発明の効果】
【００２２】
本発明の情報取得装置は、あるホームページをブックマークに登録する場合には、ユーザが一旦情報サーバに接続してＨＴＭＬファイルからＵＲＬ情報を取得する操作をする必要が無く、受信した電子メールからＵＲＬを取得して自動的にブックマークに登録する事ができるため、ＵＲＬ情報を取得する端末から離れた場所の別の端末においてもブックマークを登録することを実現できる。また、ブックマークに登録する場合に受信メール内に記載されているＵＲＬをコピーしてブックマークに貼り付ける操作を手動で行う必要が無く、テレビのリモコンのようなキーのみのデバイスでも操作を実現できるものである。またＵＲＬを電子メールで紹介することにより対価を得るビジネスモデルの構築も実現できる。
【００２３】
また本発明の情報提供装置は放送波等で送信されるＵＲＬ情報をブックマークに登録することに加えてＵＲＬ情報を格納した電子メールを自動的に作成し予め登録されている登録先に送信することができるため、簡単に端末から離れた場所や別の端末に対してブックマークを登録することや自端末の蓄積領域を使わずメールサーバの蓄積領域を利用して後に別端末や自端末を用いＵＲＬで示されている情報を視聴することを実現できる。
【００２４】
また、電子メールを送信する場合にＵＲＬをコピーして本文に貼り付ける操作を手動で行う必要が無く、テレビのリモコンのようなキーのみのデバイスでも操作を実現できるものである。またＵＲＬを電子メールで紹介することにより対価を得るビジネスモデルの構築も実現できる。
【００２５】
また本発明の情報提供装置と情報取得装置を用いれば、電子メールの受信側で送信者の認証を行いブックマークの自動登録可否の制御や送信側で受信側におけるブックマーク格納フォルダの指定もできる。また、送信端末が自端末の場合はＵＲＬ情報Ｉが格納されている電子メールを受信しないようにすることもできる。
【００２６】
また、本発明による情報取得装置および情報提供装置を用いれば、プル型データ配信サービスである放送波に含まれるＵＲＬ情報のうちで、ユーザの所望するもののみを自動的に取得して、所得したＵＲＬを電子メールの一部としてユーザに提供すことで、プッシュ型データ配信サービスのような便宜をユーザに提供できる。さらに、電子メールをＵＲＬの提供手段として用いることによって、ユーザが不在等でＵＲＬ情報を取得できない場合にも、電子メールはメールサーバ上に保存される。それゆえに、ユーザは提供されたＵＲＬ情報をリアルタイムにピックアップする必要がなく、時間の制約を受けることなく、所望のＵＲＬを入手できる。また、電子メールを利用できる環境下を満足さえすれば、入手する場所の制約すら受けない。
【発明を実施するための最良の形態】
【００２７】
（第１の実施形態）
以下に、図１、図２、図３、図４、図５、および図６を参照して、本発明の第１の実施の形態に係る、ＵＲＬ情報蓄積システムについて説明する。図１に示すように、ＵＲＬ情報蓄積システムＩＳ１は、チューナ１０１、トランスポートストリームデコーダ（図１では、「ＴＳＤ」と表示）１０２、ＡＶデコーダ（図１では、「ＡＶＤ」と表示）１０３、自端末ＩＤメモリ１０４、マイコン１０５、受光器１０７、ＯＳＤコントローラ１０８、モデム１１０、コネクタ１１１、バッファメモリ１１４、ブックマークメモリ１１７、ＵＲＬ識別情報メモリ１１８、登録情報メモリ１１９、送信条件情報メモリ１２１、送信書式情報メモリ１２３、タイトルメモリ１３３を含む。マイコン１０５は、ＵＲＬ情報蓄積システムＩＳ１の各要素の制御を行う。なお、このように構成されたＵＲＬ情報蓄積システムＩＳ１は、本発明の目的である情報提供装置と情報取得装置の機能を同時に満たすことができることを、後ほど詳しく説明する。
【００２８】
本実施形態においては、ＵＲＬ情報蓄積システムＩＳ１は、デジタルテレビジョン受信器に組み込まれて構成されている。つまり、ＵＲＬ情報蓄積システムＩＳ１は、デジタル放送を受信して、本発明に固有の処理の前後の処理をデジタルテレビジョン受信機に負うものである。この意味において、本明細書において、ＵＲＬ情報蓄積システムＩＳ１の動作で、主にデジタルテレビジョン受信器の機能を利用するものについては、特に誤解を生じない場合には、デジタルテレビジョン受信機の動作として説明する。
【００２９】
チューナ１０１で、アンテナ２０１が受信したデジタルテレビジョン放送の選局を行った後、復調したトランスポートストリームＴＳを出力する。トランスポートストリームデコーダ１０２は、チューナ１０１から出力されたトランスポートストリームＴＳをデコードして、ユーザが選択した番組の映像／音声ストリームＡＶＳと、データ放送関係のパケットＰＤと、番組表情報ＩＰとをフィルタリングして出力する。
【００３０】
本発明においては、デジタル放送波に含まれている、放送される番組に関する情報である番組表情報ＩＰには、それぞれの番組に関連するホームページのＵＲＬが組み込まれていることを前提としている。番組表情報ＩＰにＵＲＬを組み込んで放送する事は、技術的には容易であり将来実現が期待されている。また、フィルタリングはＰＡＴパケットやＰＭＴパケット内に記載されているパケットＩＤ（ＰＩＤ）に基づいて行われる事は、デジタルテレビジョンにおいて周知の技術である。
【００３１】
ＵＲＬ情報ＩＵＲＬ取得器１１５と関連情報ＩＲ取得器１２２とは、それぞれ、トランスポートストリームデコーダ１０２から出力される番組表情報ＩＰからＵＲＬ情報ＩＵＲＬと関連情報ＩＲを取得してマイコン１０５に入力する。マイコン１０５は、関連情報ＩＲをＵＲＬ情報ＩＵＲＬ対応づけてバッファメモリ１１４に格納させる。
【００３２】
バッファメモリ１１４は、トランスポートデコーダ１０２がフィルタリングしたデータ放送のパケットデータＰＤと、ＵＲＬ情報ＩＵＲＬ取得器１１５で取得されたＵＲＬ情報ＩＵＲＬと、関連情報ＩＲ取得器１２２で取得された関連情報ＩＲと、外部の情報サーバ（図示せず）から取得するホームページのデータ等を含むデジタルデータＤを記憶する。
【００３３】
ＡＶデコーダ１０３は、トランスポートストリームデコーダ１０２から出力される映像／音声ストリームＡＶＳをデコードして、映音像信号Ａａｖを出力する。リモコン１０６は、ボタンキー等の操作手段を備えたユーザインターフェースである。リモコン１０６は、ユーザのボタンキーの操作に基づいて、ユーザの指示を表す指示信号Ｓｃを発生させる。
【００３４】
受光器１０７は、リモコン１０６で発生された指示信号Ｓｃを受信し、電気信号に変換して、マイコン１０５に出力する。ＯＳＤコントローラ１０８は、ディスプレイ２０３にオンスクリーンメッセージＯＳＭとして表示される画像を表す画素データＳｐｘを生成してＡＶデコーダ１０３に出力する。オンスクリーンメッセージＯＳＭには、データ放送画面の画像、外部の情報サーバ（図示せず）から入手したホームページ画面の画像、およびデジタルテレビジョン放送受信機（ＵＲＬ情報蓄積システムＩＳ１）を操作する為の操作画面の画像を構成する文字やグラフィクスデータが含まれる。
【００３５】
モデム１１０は、通信会社の通信回線やサービスプロバイダを介してインターネット網ＮＷに接続されている。そして、モデム１１０は、インターネット網ＮＷから電子メールやホームページのデータを入手し、入手したデータを復調して、マイコン１０５に出力する。さらに、モデム１１０は、マイコン１０５が作成した電子メール等の送信データを変調して通信回線に出力する。説明の便宜上、モデム１１０がインターネット網ＮＷから入手してマイコン１０５に渡すデータを受信データＤｎｉと呼び、モデム１１０がマイコン１０５から入手してインターネット網ＮＷに出力するデータを送信データＤｎｏと呼び、受信データＤｎｉと送信データＤｎｏをまとめて通信データＤｎと総称する。
【００３６】
モデム１１０は、電話回線を使用するいわゆるモデムに限定されるものではなく、電話回線を使用するＡＤＳＬモデムや、光ファーバー網を使用するＦＴＴＨのＯＮＵや、ケーブルテレビ回線を使用するケーブルモデム等あらゆる通信端末でも良く、接続方式はダイヤルアップ接続のみでなく常時接続の方式でも良い。要するに、モデム１１０はＵＲＬ情報蓄積システムＩＳ１とインターネット網ＮＷとの伝送路の違いによる信号形態の違いを相殺するために、通信データＤｎを変復調できる機能を有していればよい。
【００３７】
マイコン１０５は、送信条件照合処理部１０５ａ、メール送受信プロトコル処理部１０５ｂ、メール作成部１０５ｃ、メール解析部１０５ｄ、およびＷＷＷブラウザ部１０５ｅを含む。具体的には、送信条件照合処理部１０５ａは、ＵＲＬ情報ＩＵＲＬまたは関連情報ＩＲ内のデータにおいて、後述する送信条件に合致するデータが存在するか否かを照合する送信条件照合処理を行うプログラムを備えている。
【００３８】
メール送受信プロトコル処理部１０５ｂは、モデム１１０を利用して電子メールを送受信するためのプロトコル処理を実施する。受信した電子メールを解析するプログラム、そしてデータ放送やホームページをデコードして表示するためのＷＷＷブラウザを備えている。メール作成部１０５ｃは、電子メールを作成するプログラムを含む。メール解析部１０５ｄは、電子メールに含まれている情報の有無を判断する。ＷＷＷブラウザ部１０５ｅは、データ放送やホームページをデコードしてディスプレイ２０３に表示させる。メール取得制御部１０５ｆは、後述するようにＵＲＬ情報蓄積システムＩＳ１に送られてくる電子メールの取得動作を制御する。
【００３９】
メールサーバＡ１２０は、デジタル放送受信機（ＵＲＬ情報蓄積システムＩＳ１）が使用するメールサーバであり、デジタル放送受信機（ＵＲＬ情報蓄積システムＩＳ１）のメールアドレスが登録されている。デジタル放送受信機（ＵＲＬ情報蓄積システムＩＳ１）は、電子メールをこのメールサーバＡ１２０から受信する。
【００４０】
メールサーバＢ１１２は、別のメールアドレスを所有する相手端末（図示せず）が使用するメールサーバである。つまり、ＵＲＬ情報蓄積システムＩＳ１が２台あり、それぞれに別のユーザが互いに相手にＵＲＬ情報を電子メールで送るような場合に、利用されるサーバである。
【００４１】
ＵＲＬ識別情報メモリ１１８は、電子メール本体において、ＵＲＬ情報を配信するメールを識別するまたはＵＲＬ情報ＩＵＲＬを識別するために用いるＵＲＬ識別情報Ｕｉｄｘが記憶されている。ＵＲＬ識別情報Ｕｉｄｘは複数個あっても良い。ＵＲＬ識別情報Ｕｉｄｘは送受の間で予め取り決められている必要がある。
【００４２】
タイトルメモリ１３３は、ユーザがブックマーク登録したホームページのタイトルを記憶する。なお、タイトルメモリ１３３は、マイコン１０５の指示に基づいて、ＷＷＷブラウザ（ＷＷＷブラウザ部１０５ｅ）が表示している閲覧中のホームページのタイトルを記憶したり、受信したホームページのＨＴＭＬファイルに記載されているタイトルを抜き出して記憶する。ユーザがブックマーク一覧を表示する指示をリモコン１０６を用いて行った場合は、マイコン１０５は、タイトルメモリ１３３から記憶されているタイトルを読み出して、ＯＳＤコントローラ１０８を使用して、ディスプレイ２０３にタイトルを一覧表示させる。
【００４３】
ＵＲＬメモリ１３２は、マイコン１０５の制御によりユーザがブックマーク登録したホームページのＵＲＬを記憶する。ＵＲＬメモリ１３２は、マイコン１０５の指示に基づいて、ＷＷＷブラウザが表示している現在閲覧中のホームページのＵＲＬを記憶したり、メール解析部１０５ｄの検出したＵＲＬを記憶する。
【００４４】
タイトルメモリ１３３に記憶されているタイトルと、ＵＲＬメモリ１３２に記憶されているＵＲＬは、同一のホームページについては、後述するブックマークメモリ１１７を用いて関連付けられている。そして、ユーザが前述のブックマーク一覧の中から閲覧するホームページのタイトルを選択する場合には、マイコン１０５は選択されたタイトルに関連付けられているＵＲＬをＵＲＬメモリ１３２から読み出し、ＷＷＷブラウザとモデム１１０を使用して、該当する情報サーバ（図示せず）からＵＲＬで指定されるファイルを受信する。なお、メール送受信プロトコル処理部１０５ｂ、メール解析部１０５ｄ、およびＷＷＷブラウザ部１０５ｅ、およびメール取得制御部１０５ｆは、マイコン１０５中のプログラムとして構成できるだけでなく、ハードウェアで構成してもよい。
【００４５】
自端末ＩＤメモリ１０４は、自端末の端末ＩＤ（図面においては、「Ｔｉｄ」と表記）が記憶されている。端末ＩＤは、個々の端末に固有に与えられる。ＵＲＬを含ませた電子メールの送受信時に、マイコン１０５の制御で読み出される。なお、自端末ＩＤメモリ１０４への端末ＩＤの記憶は、ＯＳＤコントローラ１０８を利用してディスプレイ２０３に入力用のオンスクリーンメッセージＯＳＭを表示させて、ユーザに自分の所有する端末の範囲で固有となるリモコン１０６を用いて端末ＩＤを入力することにより実行してもよい。さらに、予めデジタルテレビジョン放送受信機（ＵＲＬ情報蓄積システムＩＳ１）の出荷時に、端末ＩＤとして固有の値を記憶させておいても良い。このように、端末ＩＤは、ユーザの使用範囲で任意に設定しても良いし、出荷時にメーカーの管理によって一義的に設定しても良い。
【００４６】
登録情報メモリ１１９は、端末の名称と端末内のフォルダを示すフォルダＩＤと端末に記憶されているメールアドレスと、端末が自端末であるか否かを表す情報とを関連付けて記憶している。なお、登録情報メモリ１１９へのこれらの情報の記憶は、ＯＳＤコントローラ１０８を利用してディスプレイ２０３にオンスクリーンメッセージＯＳＭを表示させて、ユーザがリモコン１０６を用いて入力させることにより実行しても良い。
【００４７】
図２を参照して、上述の登録情報メモリ１１９におけるデータの関連付けについて説明する。データの関連付けは、端末毎に、端末名、フォルダＩＤ、自端末か他端末かどうかを表す自他識別、メールアドレス、および端末ＩＤの情報が記憶されることで実現される。なお、図２には、説明の便宜上、これらの関連付け情報を模式的に表として表している。この意味において、登録情報メモリ１１９に記憶されている関連付け情報を、便宜上、関連付け表と呼ぶ。
【００４８】
本実施形態においては、４の端末が登録されている関連付け表ＴＲが例示されている。関連付け表ＴＲの列Ｃ１、Ｃ２、Ｃ３、Ｃ４、およびＣ５はそれぞれ、関連付け情報Ｉｒｄの各項目である、端末名、フォルダＩＤ、自他識別、メールアドレス、および端末ＩＤが対応している。そして、列Ｌ１、Ｌ２、Ｌ３、およびＬ４は、４つの端末の個々に対応している。つまり、行Ｌ１には、端末名が「自分」であり、フォルダＩＤが「ＭｙＵＲＬ」、自他識別が「自」、メールアドレスが「ｙａｍａｄａ＠ｘｙｚ．ｃｏ．ｊｐ」、そして端末ＩＤが「Ｆ４５６７８９」である端末が登録されている。行Ｌ２には、端末名が「ＭｙＰＣ」であり、フォルダＩＤが「ＵＲＬ」、自他識別が「他」、メールアドレスが「ｙａｍａｄａ＠ｘｙｚ．ｃｏ．ｊｐ」、そして端末ＩＤが「Ｊ１２３４５」である端末が登録されている。列Ｌ３には、端末名が「ＭｙＰＣ」であり、フォルダＩＤが「ＴＥＭＰ」、自他識別が「他」、メールアドレスが「ｙａｍａｄａ＠ｘｙｚ．ｃｏ．ｊｐ」、そして端末ＩＤが「Ｊ１２３４５である端末が登録されている。行Ｌ４には、端末名が「鈴木」であり、フォルダＩＤが「山田」、自他識別が「他」、メールアドレスが「ｓｕｚｕｋｉ＠ａｂｃ．ｃｏｍ」、そして端末ＩＤが「ＡＧＨＴ７８」である端末の関連付け情報Ｉｒｄが記録されている。
【００４９】
上述のように、行Ｌ１の端末名が「自分」の端末は、ユーザのメールアドレスおよび自端末ＩＤが関連付けて記憶されている。また、行Ｌ２の端末名が「ＭｙＰＣ」の端末は、「自分」とメールアドレスが「ｙａｍａｄａ＠ｘｙｚ．ｃｏ．ｊｐ」と同じであることから、行Ｌ１と行Ｌ２のそれぞれに登録されている端末は、同一のユーザに属することがわかる。しかしながら、端末ＩＤが「Ｆ４５６７８９」と「Ｊ１２３４５」と異なることから、行Ｌ１と行Ｌ２には登録されている端末は同一ではないことが分かる。
【００５０】
また、行Ｌ２と行Ｌ３には、フォルダＩＤが「ＵＲＬ」と「ＴＥＭＰ」と異なる点を除けば、同一の情報が記録されている。よって、行Ｌ２と行Ｌ３に登録されている端末は同一であることが分かる。なお、フォルダＩＤは、電子メールに含ませたＵＲＬが示すホームページを記憶するフォルダを指定する為のＩＤであり、受信側で使用される。
【００５１】
なお、行Ｌ４には、すべての項目が他の行に登録されている端末と異なる情報が記録されている。よって、行Ｌ４に登録されている端末は、行Ｌ１あるいは行Ｌ２（Ｌ３）に登録されている端末のユーザとは異なるユーザに属する異なる端末であることが分かる。
【００５２】
なお、端末としては、パーソナルコンピュータ（ＰＣ）、携帯電話機、および携帯型情報端末等を登録できることは言うまでも無い。また、ＵＲＬ情報ＩＵＲＬと関連情報ＩＲの入手は、放送に限定されるものではなく、モデム１１０を用いて通信網より受信しても良い。また、ＵＲＬを含ませた電子メールを送受信できる構成を示したが、送信あるいは受信のみの形態においても同様に構成できる。
【００５３】
図１に戻って、ブックマークメモリ１１７は、ブックマークのフォルダ構造、つまり、フォルダ名とそれぞれのフォルダ内に記憶されているホームページのタイトルおよびＵＲＬの所在とを階層的に記憶する。具体的には、ブックマークメモリ１１７には、フォルダＩＤに対応するフォルダ名、およびユーザが設定したフォルダ名が記憶されている。また、タイトルメモリ１３３に記憶されているタイトルと、ＵＲＬメモリ１３２に記憶されているＵＲＬとについて、それぞれが記憶されているアドレスが関連付けて記憶されている。
【００５４】
送信条件情報メモリ１２１は、取得したＵＲＬ情報ＩＵＲＬを端末に自動的に送信するための条件を記憶する。送信条件情報メモリ１２１への自動送信条件の記憶は、ＯＳＤコントローラ１０８を使用してディスプレイ２０３に入力用のオンスクリーンメッセージＯＳＭを表示させて、ユーザがリモコン１０６を用いて送信条件を入力させることにより実行できる。
【００５５】
次に、図３を参照して、上述の送信条件情報メモリ１２１において記憶される自動送信条件について説明する。本例においては、自動送信条件データＩｓｃは、送信先情報と送信条件情報に大別される。送信先情報は、さらにフォルダＩＤ、メールアドレス、および端末ＩＤに細分化される。送信条件情報は、ＵＲＬ内の文字列と関連情報ＩＲのキーワードに細分化される。自動送信条件データＩｓｃは、送信先毎に送信先情報と送信条件情報が記憶されることで実現される。なお、図３には、説明の便宜上、これらの情報が表として表されている。この意味において、送信条件情報メモリ１２１に記憶されている自動送信条件データＩｓｃを自動送信条件表と呼ぶ。
【００５６】
本実施形態においては、３つの送信先が、自動送信条件表ＴＳＣに登録されている。自動送信条件表ＴＳＣの列Ｃ１１、Ｃ１２、Ｃ１３、Ｃ１４、およびＣ１５はそれぞれ、自動送信条件表ＴＳＣ項目であり、フォルダＩＤ、メールアドレス、端末ＩＤ、ＵＲＬ内の文字列、および関連情報ＩＲのキーワードがそれぞれ対応している。そして、列Ｌ１１、Ｌ１２、およびＬ１３は、３つの送信先の個々に対応している。つまり、行Ｌ１１には、フォルダＩＤが「ＵＲＬ」、メールアドレスが「ｙａｍａｄａ＠ｘｙｚ．ｃｏ．ｊｐ」、端末ＩＤが「Ｊ１２３４５」である送信先と、ＵＲＬ内の文字列が「ｏｐｑ．ｃｏ．ｊｐ、ａａａ．ｃｏｍ，ｂｂｂ．ｃｏｍ」、関連情報ＩＲのキーワードが「野球、サッカー」である自動送信条件データＩｓｃからなる自動送信条件データＩｓｃが登録されている。
【００５７】
行Ｌ１２には、フォルダＩＤが「ＴＥＭＰ」、メールアドレスが「ｙａｍａｄａ＠ｘｙｚ．ｃｏ．ｊｐ」、端末ＩＤが「Ｊ１２３４５」である送信先と、ＵＲＬ内の文字列が「ａａａ．ｃｏｍ，ｋｅｙ．ｃｏ．ｊｐ」、関連情報ＩＲのキーワードが「田中  太郎」である自動送信条件データＩｓｃからなる自動送信条件データＩｓｃが登録されている。
【００５８】
行Ｌ１３には、フォルダＩＤが「山田」、メールアドレスが「Ｓｕｚｕｋｉ＠ａｂｃ．ｃｏｍ」、端末ＩＤが「ＡＧＨＴ７８」である送信先と、ＵＲＬ内の文字列および関連情報ＩＲのキーワードが共にブランクである自動送信条件データＩｓｃからなる自動送信条件データＩｓｃが登録されている。
【００５９】
本例では、自動送信条件表ＴＳＣに登録されている送信先条件は、図２に例示した関連付け表ＴＲにおいて記憶されている端末の内で、「自分」以外のものに対応している。マイコン１０５は、登録情報メモリ１１９に記憶されている「自分」以外の端末についての情報を読み出し、送信条件情報メモリ１２１の該当領域に書き込む事ができる。
【００６０】
自動送信条件データＩｓｃのＵＲＬ内の文字列のデータは、取得するＵＲＬ情報ＩＵＲＬの文字列と比較する為のデータであり、複数のドメインネームが記憶されている。関連情報ＩＲのキーワードのデータは、取得する関連情報ＩＲと比較する為のデータであり、複数のジャンルや俳優名が記憶されている。送信先情報のメールアドレスが「Ｓｕｚｕｋｉ＠ａｂｃ．ｃｏｍ」に対応する自動送信条件データＩｓｃが無いのは、ユーザが自動的に送信させないように、敢えて設定していないからである。
【００６１】
ＵＲＬ情報ＩＵＲＬ取得器１１５がＵＲＬ情報ＩＵＲＬを取得した場合、マイコン１０５は、送信条件情報メモリ１２１に記憶されているＵＲＬ内の文字列のデータ（Ｃ１４）および関連情報ＩＲのキーワード（Ｃ１５）を読み出す。そして、送信条件照合処理部１０５ａによって、ＵＲＬ情報ＩＵＲＬ内にＵＲＬ内の文字列のデータが含まれるかどうか、またはＵＲＬ情報ＩＵＲＬと関連する関連情報ＩＲ内に関連情報ＩＲのキーワードを一致する物があるかどうかが照合される。合致した場合は、対応する送信先を認識して、自動送信条件表ＴＳＣから送信先情報を読み出す。
【００６２】
送信書式情報メモリ１２３は、ＵＲＬ情報ＩＵＲＬを含む電子メールの書式情報を記憶する。書式情報Ｆｍｔは、デジタルテレビジョン放送受信機（ＵＲＬ情報蓄積システムＩＳ１）が出荷される時に予め記憶されている。マイコン１０５は、ＵＲＬ情報ＩＵＲＬを含む電子メールを送受信する場合に、書式情報Ｆｍｔを読み出す。
【００６３】
図４を参照して、送信書式情報メモリ１２３に記憶されている書式情報Ｆｍｔについて説明する。図４には、電子メールの本体が例示されている。「Ｓｕｂｊｅｃｔ：」には、ＵＲＬを配信するメールである事を示すデータであるＵＲＬの文字、送信先の端末を示す端末ＩＤ（ＴＯ：ＡＧＨＴ７８）、送信元の端末を示す端末ＩＤ（Ｆｒｏｍ：Ｆ４５６７８９）が順番に配置されている。本文には、２つの端末ＩＤ（ＡＧＨＴ７８）の間には、フォルダＩＤ  （Ｆｏｌｄｅｒ＝山田）およびＵＲＬ情報ＩＵＲＬ（ｈｔｔｐ：／／ＷＷＷ．ｔａｎａｋａｙａ．ｃｏ．ｊｐ／ａａａ．ｈｔｍｌ）が配置されている。これらのデータは、送信時にマイコン１０５によって自動的に配置される。なお、「Ｄａｔｅ：」、「Ｆｒｏｍ：」、「Ｔｏ：」については、一般的な電子メールと同一の書式であるので説明は省略する。
【００６４】
なお、本実施の形態ではデジタルテレビジョン放送受信機について説明したが、アナログのテレビジョン受信機の場合も同様に可能である。
【００６５】
次に図５を参照して、ＵＲＬ情報蓄積システムＩＳ１における、ＵＲＬ情報ＩＵＲＬを含ませた電子メールの送信動作について説明する。ＵＲＬ情報蓄積システムＩＳ１に電源が投入されると、アンテナ２０１を介してテレビジョン放送波の受信が開始される。
【００６６】
先ず、ステップＳ１０１において、受信したテレビジョン放送波からチューナ１０１およびトランスポートストリームデコーダ１０２を経て、パケットデータＰＤおよび番組表情報ＩＰが抽出される。ＵＲＬ情報ＩＵＲＬ取得器１１５および関連情報ＩＲ取得器１２２は、それぞれ、番組表情報ＩＰからＵＲＬ情報ＩＵＲＬと関連情報ＩＲを取得する。そして、制御はステップＳ１０２に進む。
【００６７】
ステップＳ１０２において、マイコン１０５によって、送信条件情報メモリ１２１から自動送信条件データＩｓｃが読み出される。そして、送信条件照合処理部１０５ａによって、ステップＳ１０１で取得されたＵＲＬ情報ＩＵＲＬまたは関連情報ＩＲが、ステップＳ１０２で読み出された自動送信条件データＩｓｃと照合されて、自動送信条件データＩｓｃと合致する情報があるか否かが判断される。合致する情報がある場合は、Ｙｅｓと判断されて制御は、ステップＳ１０４に進む。一方、合致する情報がない場合は、Ｎｏと判断されて、ＵＲＬ情報蓄積システムＩＳ１の動作は終了する。
【００６８】
ステップＳ１０４において、マイコン１０５によって、自動送信条件データＩｓｃが合致する送信先が認識されると共に、送信書式情報メモリ１２３から電子メールの書式情報Ｆｍｔが読み出される。そして、ステップＳ１０１で取得したＵＲＬ情報ＩＵＲＬを該当する認識された送信先に電子メールで送信する処理に移行する。そして、制御はステップＳ１０５に進む。
【００６９】
ステップＳ１０５において、ＵＲＬ識別情報メモリ１１８からＵＲＬ識別情報Ｕｉｄｘが読み出されると共に、自端末ＩＤメモリ１０４から自端末ＩＤを読み出されて、バッファメモリ１１４に記憶される。そして、制御はステップＳ１０６に進む。
【００７０】
ステップＳ１０６において、ステップＳ１０４において把握した送信先のフォルダＩＤおよび端末ＩＤおよびメールアドレスが、送信条件情報メモリ１２１から読み出されて、バッファメモリ１１４に記憶される。そして、制御はステップＳ１０７に進む。
【００７１】
ステップＳ１０７において、ステップＳ１０５で読み出されたＵＲＬ識別情報Ｕｉｄｘおよび自端末ＩＤと、ステップＳ１０６で読み出された送信先のフォルダＩＤおよび端末ＩＤおよびメールアドレスを用いて、ステップＳ１０４で把握された送信書式（書式情報Ｆｍｔ）に則り、電子メールの本体が作成される。そして、制御はステップＳ１０８に進む。
【００７２】
ステップＳ１０８において、ステップＳ１０７で作成された電子メールがモデム１１０を介して送信される。そして、ＵＲＬ情報蓄積システムＩＳ１による電子メールの送信動作が終了する。
【００７３】
次に図６を参照して、ＵＲＬ情報ＩＵＲＬが含まれた電子メール受信しブックマーク登録する動作について説明する。本実施の形態ではユーザが現在ＷＷＷブラウザで閲覧中のホームページをブックマークに記憶することに加えて、受信した電子メール内に含まれているＵＲＬに関するホームページを、ブックマークに自動登録することができる。また、前述した２つの方法で記憶したホームページを同一のブックマーク一覧で表示することや管理する事ができる。
【００７４】
ユーザがＷＷＷブラウザで特定のホームページを閲覧中であるとし、ユーザがそのホームページをブックマーク登録したいと欲した場合、ユーザは、ステップＳ１１１において、ユーザはリモコン１０６を用いてブックマーク登録の操作を行う。操作は専用キーを押しても良いし、画面上のＧＵＩに応じて行っても良い。そして、制御はステップＳ１１２に進む。
【００７５】
ステップＳ１１２において、マイコン１０５によって、ユーザの指示が解釈されて、ＷＷＷブラウザ部が取得しているＨＴＭＬファイルより、ホームページのＵＲＬとタイトルが抜き出される。そして、制御はステップＳ１１３に進む。
【００７６】
ステップＳ１１３において、抜き出されたＵＲＬとタイトルがそれぞれＵＲＬメモリ１３２とタイトルメモリ１３３とに記憶される。この時にタイトルとＵＲＬは、関連付けて記憶される。その関連付けは、それぞれの記憶したアドレスをブックマークメモリ１１７に関連付けて保持する事で可能である。以上の動作により、ユーザが現在ＷＷＷブラウザで閲覧中のホームページをブックマークに登録することが可能である。そして、制御は終了する。
【００７７】
一方、電子メールを受信した場合は、ステップＳ１１４においてＹｅｓと判断される。この場合、メール送受信プロトコル処理部１０５ｂによって、受信メールの本体が取得される。さらに、送信書式情報メモリ１２３から電子メールの書式情報Ｆｍｔが読み出されて、メールの書式が把握される。
【００７８】
さらに、ステップＳ１１５において、受信電子メール本体の所定の場所において、ＵＲＬ識別情報Ｕｉｄｘの存在有無が判断される。つまり、ＵＲＬ識別情報メモリ１１８からＵＲＬ識別情報Ｕｉｄｘを読み出され、メール解析部１０５ｄにより、受信電子メール本体の所定の場所において、ＵＲＬ識別情報Ｕｉｄｘの存在有無が解析される。有りと判断される場合、制御はステップＳ１１６に進む。
【００７９】
ステップＳ１１６において、自端末ＩＤメモリ１０４から自端末ＩＤが読み出されて、受信電子メール本体の所定の送信先の端末ＩＤを示す場所において、自端末ＩＤと一致する文字列が存在するか否かが判断される。データの一致があった場合は、Ｙｅｓと判断されると共にブックマークへの自動登録可能と判定される。そして、制御はステップＳ１１７に進む。
【００８０】
ステップＳ１１７において、ＵＲＬは検出されたが、自端末ＩＤが不一致あるいは検出できなかった場合は、ＯＳＤコントローラ１０８を使用して、検出したＵＲＬに関連するホームページをブックマークに登録するか否かを確認するオンスクリーンメッセージＯＳＭがディスプレイ２０３に表示されてユーザの選択を促す。
【００８１】
図７に、ディスプレイ２０３に表示されるオンスクリーンメッセージＯＳＭを例示する。同図は、ユーザの操作により電子メールを受信し、内容を表示している例である。受信メールとオンスクリーンメッセージＯＳＭは画面上に同時に表示されている。受信メール内にＵＲＬが２つ含まれていることが検出されて、２つのＵＲＬをブックマークに登録するＵＲＬを選択するためのオンスクリーンメッセージＯＳＭを表示されている。オンスクリーンメッセージＯＳＭでは、検出したＵＲＬをボタンとして並べて表示されている。マイコン１０５は、リモコン１０６によるボタンの選択や押下を解釈する事ができる。ユーザはリモコン１０６の上下キーと決定キーを用いてボタンを押すことにより、登録するＵＲＬを選択決定する事が可能である。検出した全てのＵＲＬを登録しない場合は、戻るボタンを選択決定すれば記憶動作を解除する事ができる。
【００８２】
図６に戻って、ステップＳ１１７において、ユーザがリモコン１０６を用いて登録すると指示した場合、あるいは、ステップＳ１１６でＹＥＳの場合、制御はステップＳ１１８に進む。
【００８３】
ステップＳ１１８において、ステップＳ１１５で検出されたＵＲＬがＵＲＬメモリ１３２に記憶される。そして、制御はステップＳ１１９に進む。
【００８４】
ステップＳ１１９において、検出されたＵＲＬを使用して、ＷＷＷブラウザ部とモデム１１０を使用して、該当する情報サーバ（図示せず）に接続して、検出したＵＲＬで指定されるコンテンツのＨＴＭＬファイルが受信される。そして、制御は次のステップＳ１２０に進む。
【００８５】
ステップＳ１２０において、受信したＨＴＭＬファイルが解釈されて、タイトルが抜き出される。そして、制御はステップＳ１２６に進む。
【００８６】
ステップＳ１２６において、受信電子メール本体の所定の場所において、フォルダＩＤの文字列が存在するか否かが判断される。フォルダＩＤが検出されなかった場合は、制御はステップＳ１２１に進む。一方検出された場合は、制御はステップＳ１２７に進む。
【００８７】
ステップＳ１２１においては、ステップＳ１１３におけるのと同様の方法で、ステップＳ１２０で抜き出されたタイトルが、ステップＳ１１５において検出されたＵＲＬと関連付けられてタイトルメモリ１３３に記憶される。そして、制御は終了する。
【００８８】
ステップＳ１２７においては、送信者が特にＵＲＬを記憶するフォルダを指定しなかったと解釈されて、ステップＳ１２１と同様にタイトルがＵＲＬと関連付けられてタイトルメモリ１３３に記憶されると共に、デフォルトで決められているブックマークメモリ１１７内のフォルダに記憶するように登録制御される。デフォルトのフォルダとは例えばルートフォルダが考えられる。そして、制御は終了する。
【００８９】
なお、上述のステップＳ１１４でフォルダＩＤを検出した場合は、ステップＳ１１３と同様な方法で、ステップＳ１２０で抜き出したタイトルを、ステップＳ１１５において検出したＵＲＬと関連付けてタイトルメモリ１３３に記憶する（ステップＳ１１７）。この場合は、送信者がＵＲＬを記憶するフォルダを指定したと解釈されて、フォルダＩＤで示されるブックマークメモリ１１７内のフォルダに、記憶するよう制御する。なお、ＨＴＭＬファイルにはタイトルが含まれており、その識別方法はＨＴＭＬにおいて一般的であるので説明は省略する。
【００９０】
ステップＳ１１５やステップＳ１１７においてユーザが拒否した場合は、受信したメールを削除するか否かを、ＯＳＤコントローラ１０８を使用しオンスクリーンメッセージＯＳＭを表示して、ユーザの判定を待つ（ステップＳ１２２）。ユーザの判定が削除であれば、受信メールを削除する（ステップＳ１２３）。
【００９１】
次に、図８を参照して、上述のステップＳ１１４における動作について、詳細に説明する。本実施の形態においては、ユーザが自分の所有する端末間で、前述したようなＵＲＬを含ませた電子メールを送受信することが考えられる。例えばテレビジョン受信機が放送から取得したＵＲＬ情報ＩＵＲＬを自動的に送信し、後に別の場所において、ＰＣあるいは携帯電話機で受信するという使用法が考えられる。また、そのような場合、それぞれの端末においてメールアドレスが同一であることも想定され、ユーザが電子メールを受信する際に、その端末が本来受信したい端末であるとは限らない。仮に受信したい端末以外で受信してしまうと、メールサーバでは消去されてしまい本来受信させたい端末で受信できなくなる。従ってそのような場合に対応する例を説明する。
【００９２】
なお、本図に示すフローチャートは、上述の図４を参照して説明した電子メールを受信する場合の動作を示している。電子メールを受信した場合（ステップＳ１６１）、マイコン１０５は、モデム１１０、メール受信プロトコル処理部１０５ｂ、メール解析部１０５ｄを用いて、受信する予定の電子メールの差出人メールアドレス（図４においては「Ｆｒｏｍ：ｙａｍａｄａ＠ｘｆｚ．ｃｏ．ｊｐ」）を認識し、自端末に与えられている図示していない不揮発性のメモリに格納されているメールアドレスと同じかどうかを検証する（ステップＳ１６２）。同じであれば、次にＳｕｂｊｅｃｔを検証して、送信元端末ＩＤ領域（図４では「Ｆｒｏｍ：」に続く領域）に、自端末ＩＤメモリ１０４に記憶されている自端末ＩＤと一致するか否かを検証する（ステップＳ１６３）。
【００９３】
一致するものがあれば、そのメールは自端末が送信したものと判断し、その電子メールを受信しない（ステップＳ１６４）。ステップＳ１６２やステップＳ１６３の検証において、差出人のメールアドレスが自端末のメールアドレスと同一でない場合、またはＳｕｂｊｅｃｔの差出人領域に自端末ＩＤと一致するデータが無い場合は、その電子メールを受信して（ステップＳ１６５）、図６におけるステップＳ１１５に移行する。
【００９４】
以上のように、従来の電子メールには無い端末ＩＤを用いた受信可否の制御を行うことにより、メールサーバ内の電子メールの削除を調整する事ができる。このことにより、送信端末が誤って、自身が送信したＵＲＬ情報ＩＵＲＬを含ませた電子メールを受信することにより、本来受信したい端末において受信できないという課題を解決している。なお、端末ＩＤをＳｕｂｊｅｃｔに配置しているのは、ＩＭＡＰ４等の主要な電子メール受信プロトコルにおいて、受信前にＳｕｂｊｅｃｔを読み出す事が可能である為である。
【００９５】
次にブックマーク一覧を表示して、ホームページを閲覧する場合の動作を図９を用いて説明する。
ユーザがリモコン１０６を用いて、ブックマーク一覧表示指示があった場合（ステップＳ２２１）、マイコン１０５は、ブックマークメモリ１１７に記憶されているフォルダ名と、階層構造とタイトルメモリ１３３に記憶されているタイトルを読み出し、ＯＳＤコントローラ１０８を使用して、一覧表示する（ステップＳ２２２）。
【００９６】
ブックマーク一覧表示した場合の例を図２０を用いて説明する。図２０は本発明の第一の実施の形態におけるブックマーク一覧表示を示した図である。図２０では、記憶されているホームページ３つのタイトルが一覧表として表示している事が分かる。一覧表の個々のタイトルはリモコン１０６で選択し押下できるボタンとなっており、ユーザはリモコン１０６を用いてタイトルを選択し決定する事ができる。
【００９７】
図９において、ユーザがタイトルを選択し決定した場合（ステップＳ２２３）、マイコン１０５は、選択されたタイトルに関連付けられているＵＲＬをＵＲＬメモリ１３２から読み出す（ステップＳ２２４）。次にマイコン１０５は、読み出したＵＲＬを使用し、ＷＷＷブラウザ部とモデム１１０を使用して該当する情報サーバ（図示せず）に接続し、読み出したＵＲＬで指定されるコンテンツのＨＴＭＬファイルを受信する（ステップＳ２２５）。
【００９８】
次にマイコン１０５は、ＨＴＭＬファイルを解釈し、定義されている個々のデータである画像ファイルやテキストファイル等をＷＷＷブラウザ部とモデム１１０を使用して取得し、ファイルの属性に応じて適当にデコードすると共に、同様に入力するＨＴＭＬファイルの内容に応じて、デコードしたコンテンツを組み立ててホームページを再生する。次にマイコン１０５は、再生したホームページを、画素データに変換してＯＳＤコントローラ１０８を使用して表示すると共に、ＨＴＭＬファイルを解釈しホームページのＵＲＬやタイトルを取得する（ステップＳ２２６）。
【００９９】
以上のように本発明の実施の形態は、デジタルテレビジョン放送受信機から自動的に送信された電子メールは、外部のメールサーバに蓄積される。従って、デジタルテレビジョン放送受信機内に取得する情報の蓄積領域を確保する必要は無い。また、放送から逐次的に送られてくる情報の内、予め決められた条件で選択された情報は、自動的にメールサーバに蓄積される。従って、ユーザは、様々なメディアから逐次的に送られてくる情報を、自分の嗜好に則って選択できると共に、携帯電話機やＰＣ等、自分の所有する別の端末を用いて、電子メールを受信可能な如何なる場所において、いつでも受信して視聴する事やブックマーク登録ができる。
【０１００】
さらに、プル型データ配信サービスである放送波に含まれるＵＲＬ情報のうちで、ユーザの所望するもののみを自動的に取得して、所得したＵＲＬを電子メールの一部としてユーザに提供すことで、プッシュ型データ配信サービスのような便宜をユーザに提供できる。さらに、電子メールをＵＲＬの提供手段として用いることによって、ユーザが不在等でＵＲＬ情報を取得できない場合にも、電子メールはメールサーバ上に保存される。それゆえに、ユーザは提供されたＵＲＬ情報をリアルタイムにピックアップする必要がなく、時間の制約を受けることなく所望のＵＲＬを入手できる。また、電子メールを利用できる環境下を満足さえすれば、入手する場所の制約すら受けない。さらに、端末ＩＤを電子メールに含ませることによって、同端末ＩＤに基づいて、ユーザがＵＲＬの蓄積を望む端末に集中させることもできる。
【０１０１】
（第２の実施形態）
以下本発明の第２の実施の形態を図面を参照しながら説明する。
図１０は本発明の第２の実施形態の構成を示すブロック図である。第２の実施形態は情報取得装置の実施形態を示す。図１０において、１はモデムで、図示していない通信会社の通信回線やサービスプロバイダを介してインターネット網に接続されており、後述するマイコン２の制御で通信回線からのデータを受信して復調し出力することと、送信データを変調して通信回線に出力する。モデム１においては電話回線を使用するいわゆるモデムのみでなく、電話線を使用するＡＤＳＬモデムや光ファーバー網を使用するＦＴＴＨのＯＮＵやケーブルテレビ回線を使用するケーブルモデム等あらゆる通信端末でも良く、接続方式はダイヤルアップ接続のみでなく常時接続の方式でも良い。
【０１０２】
２はマイコンで、情報取得装置３の各要素の制御を行うと共に、後述するホームページ受信プロトコル処理やメール受信プロトコル処理やメール取得制御やメール解析やＷＷＷブラウザ機能をソフトウェアプログラムにより実現している。４はリモコンで上下左右のカーソルキーや決定キーや戻るキーやブックマーク一覧表示キー等を有する情報取得装置３のユーザインターフェースである。
【０１０３】
マイコン２は図示していないリモコン受光回路を介してリモコン４の出力する赤外線に重畳されたデータを受信しユーザの指示を解釈する。５はホームページ受信プロトコル処理部であり、ＴＣＰ／ＩＰやＨＴＴＰ等の通信プロコトル処理を行う部分でモデム１を介したホームページに関するデータ通信を行う。６はＷＷＷブラウザ部であり、パソコンでのＩｎｔｅｒｎｅｔ  Ｅｘｐｌｏｒｅｒ（マイクロソフト社の商標）と同様のソフトウェアであり、ホームページ受信プロトコル処理部５が出力する個々のデータである画像やテキスト等を入力し、入力するデータの属性に応じて適当にデコードすると共に、同様に入力するＨＴＭＬファイルの内容に応じてデコードしたコンテンツを組み立ててホームページを再生し画素データに変換すると共に、ＨＴＭＬファイルを解釈しホームページのＵＲＬやタイトルを取得する。
【０１０４】
再生されたホームページはグラフィック部７の表示プレーンに画素データで描画された後映像データとして出力される。グラフィック部７はマイコン２の指示により描画データの表示サイズ縮小や拡大のスケーリング処理も行う。グラフィック部７には画素変換やスケーリング処理のためのメモリが通常接続されているが本発明に直接関係しないので省略している。８はメール受信プロトコル処理部であり、モデム１が受信した電子メール関係のデータを入力しＴＣＰ/ＩＰやＰＯＰ等のプロトコル処理を行い出力する。９はメール取得部であり、メール受信プロトコル処理部２８が出力したデータを入力し受信メールのデータを抜き出す。
【０１０５】
１０はメール解析部であり、メール取得部９の抜き出した受信メールのデータを解析しＵＲＬ情報ＩＵＲＬやユーザＩＤやフォルダＩＤ等予め決められた文字列を検出しその結果を出力する。電子メール機能には一般的には送信機能もあるが本発明に直接関係しないので説明を省略している。１１は端末ＩＤメモリであり、電子メールの送信者を認証するために用いる自端末の端末ＩＤが記憶されている。自分の端末ＩＤを知っている送信者を認証する。端末ＩＤは複数あっても良い。
【０１０６】
メール解析部１０において端末ＩＤと同一の文字列が含まれているかどうかを解析する時にマイコン２の制御で読み出される、端末ＩＤの書き込みは、マイコン２の制御によりグラフィック部７を使用して入力用のＯＳＤ（Ｏｎ  Ｓｃｒｅｅｎ  Ｄｉｓｐｌａｙ）を表示し、ユーザにリモコン４を用いて端末ＩＤを入力させ決定した上で書き込む事が可能である。１５はフォルダＩＤメモリであり、後述するが電子メール内に含まれているＵＲＬに関連するホームページのブックマークへの登録について、登録するフォルダを指定する為に送られてくるフォルダＩＤを記憶するためのメモリである。ここで言うフォルダＩＤとはフォルダ名であっても良い。
【０１０７】
メール解析部１０においてフォルダＩＤを示す文字列が含まれているかどうかを解析した結果、フォルダＩＤがあった場合はマイコン２の制御により書き込まれる。フォルダＩＤはＵＲＬの数に対応して複数個あってもよい。１６はＵＲＬ識別情報Ｕｉｄｘメモリで、受信した電子メールがＵＲＬ情報ＩＵＲＬを登録する目的で送信されたものかどうかを識別するために用いるＵＲＬ識別情報Ｕｉｄｘが記憶されている。
【０１０８】
ＵＲＬ識別情報Ｕｉｄｘは複数個あっても良い。ＵＲＬ識別情報Ｕｉｄｘは送信者との間で予め取り決められている必要がある。１３はタイトルメモリであり、ユーザが登録したブックマークのタイトルを記憶する為のメモリである。ＷＷＷブラウザ部が表示している現在閲覧中のホームページのタイトルをマイコン２の制御で書き込む場合と、ホームページ受信プロトコル処理部が受信したＨＴＭＬファイルに記載されているタイトルをマイコン２の制御により抜き出して書き込む事ができる。
【０１０９】
ユーザがブックマーク一覧を表示する指示をリモコン４を用いて行った場合は、マイコン２の制御により書き込まれているタイトルを読み出して、グラフィック部７を使用して一覧表示する。１２はＵＲＬメモリであり、ユーザが登録したブックマークのＵＲＬを記憶する為のメモリである。ＷＷＷブラウザ部が表示している現在閲覧中のホームページのＵＲＬをマイコン２の制御で書き込む場合と、メール解析部１０の検出したＵＲＬをマイコン２の制御で書き込む事が可能である。
【０１１０】
タイトルメモリ１３とＵＲＬメモリ１２に書き込まれているタイトルとＵＲＬは同一のホームページについては関連付けられている。詳細は後述する。前述したブックマーク一覧の中からユーザが閲覧するホームページのタイトルを選択した場合には、マイコン２の制御で関連付けられているＵＲＬを読み出し、ＷＷＷブラウザ部６とホームページ受信プロトコル部５とモデム１を使用して該当する情報サーバ１４に接続し、読み出したＵＲＬで指定されるファイルを受信する。なお、ホームページプロトコル処理やメール受信プロトコル処理やメール取得制御やメール解析やＷＷＷブラウザ機能はソフトウェアプログラムでなくハードウェアで実現する場合もある。
【０１１１】
次に図１１と図１２を用いて動作の説明をする。図１１、図１２は本発明の第２の実施形態における動作フローチャートである。本実施形態ではユーザが現在ＷＷＷブラウザで閲覧中のホームページをブックマークに登録することに加えて受信電子メール内に記載されているＵＲＬに関するホームページをブックマークに自動登録することができる。また、前述した両方法で登録したホームページを同一のブックマーク一覧で表示することや管理する事ができる。
【０１１２】
図１１においてユーザがＷＷＷブラウザで特定のホームページを閲覧中であるとし、ユーザがそのホームページをブックマーク登録したいと欲した場合、ユーザはリモコン４を用いてブックマーク登録の操作を行う（ステップＳ１）。操作は専用キーを押しても良いし画面上のＧＵＩに応じて行っても良い。その後マイコン２はその指示を解釈しＷＷＷブラウザ部６が取得しているＨＴＭＬファイルよりホームページのＵＲＬとタイトルを抜き出す（ステップＳ２）。次にマイコン２の制御により抜き出したＵＲＬをＵＲＬメモリ１２にタイトルをタイトルメモリ１３に記憶する（ステップＳ３）。この時にタイトルとＵＲＬは関連付けて記憶される。その関連付けはそれぞれの記憶したアドレスを別途図示しないメモリに関連付けて保持することや、予めメモリに保持するアドレスに相関関係を持たす事で可能である。
【０１１３】
一例としてＵＲＬメモリとタイトルメモリを同一メモリ上で領域を分けて記憶し、アドレスの相関関係で関連付ける例を図１３を用いて説明する。図１３は本発明の第２の実施形態におけるデータ構造図である。図１３では７個のホームページを登録する事ができ現在３つのホームページが登録されている例である。アドレスとはタイトルとＵＲＬが記憶されているメモリのアドレスであり図１３では１６進で示されている。この場合タイトルとＵＲＬはアドレス（４ｎ）と（４ｎ＋２）というように関連付けられており、７つのホームページに固有のｎ（０〜６）を割り振ることにより固有のホームページのタイトルとＵＲＬを関連付けて管理する事ができる。
【０１１４】
以上の動作によりユーザが現在ＷＷＷブラウザで閲覧中のホームページをブックマークにＵＲＬとタイトル登録することが可能である。また、電子メールをユーザの操作で受信した場合は（ステップＳ４）、マイコン２の制御によりモデム１とメール受信プロトコル処理部８とメール受信部９とを使用して受信メールのデータを取得する。次にマイコン２はメール解析部１０を使用してデータ中に予め決められた文字列の存在有無を解析しＵＲＬを検出する（ステップＳ５）。
【０１１５】
この解析について図１４と図１５を用いて説明する。図１４、図１５は本発明の第２の実施形態における受信メールデータを示した図である。図１４と図１５はメール取得部９が出力した受信メールのテキストデータを示している。図１４ではメール解析部１０においてはｈｔｔｐ：／／という文字列を検索してＵＲＬを検出する例であり、データ内のｈｔｔｐ：／／ｗｗｗ．ｔａｎａｋａｙａ．ｃｏ．ｊｐ／ａａａ．ｈｔｍというＵＲＬが検出可能である事が分かる。ＵＲＬの末尾は改行を持って認識する事が可能である。
【０１１６】
図１５ではメール解析部１０においてはＪ１２３４５という端末ＩＤとｈｔｔｐ：／／という文字列を検索してＵＲＬを検出する例であり、ｈｔｔｐ：／／ｗｗｗ．ｔａｎａｋａｙａ．ｃｏ．ｊｐ／ａａａ．ｈｔｍというＵＲＬが検出可能である事が分かる。ＵＲＬの末尾は改行を持って認識する事が可能である。また詳細は後述するがＪ１２３４５という端末ＩＤを用いることにより送信者の認証やブックマークへの登録制御も可能である。
【０１１７】
図１１において、メール解析部１０は受信メールのデータ内に端末ＩＤメモリ１１に記憶されている端末ＩＤと一致する文字列が存在するか否かも解析する。マイコン２の制御により端末ＩＤメモリ中の端末ＩＤは全て読み出され受信メールのデータと照合される。データの一致があった場合はユーザ認証が通るとともにブックマークへの登録可能と判定する（ステップＳ６）。なお図１５ではＵＲＬの上下に端末ＩＤは位置しているがＳｕｂｊｅｃｔにあっても良く予め取り決められた位置であれば良い。
【０１１８】
図１１において、ＵＲＬは検出したが端末ＩＤが不一致あるいは検出できなかった場合は、マイコン２の制御によりグラフィック部７を使用して検出したＵＲＬに関連するホームページをブックマークに登録するか否かを確認するＯＳＤを表示しユーザの選択を待つ（ステップＳ７）。この表示について図７を用いて説明する。図７は本発明の第２の実施形態における受信メールを表示する場合の図である。
【０１１９】
図７ではユーザの操作で電子メールを受信し内容を表示している例である。受信メール内にＵＲＬが２つ記載されており、マイコン２は前述した方法で検出して、２つのＵＲＬをブックマークに登録するＵＲＬを選択するＯＳＤを表示している。ＯＳＤでは検出したＵＲＬをボタンとして並べて表示しており、マイコン２はリモコン４によるボタンの選択や押下を解釈する事ができる。そのことによりユーザはリモコン４の上下キーと決定キーを用いてボタンを押して登録するＵＲＬを選択決定する事が可能である。検出した全てのＵＲＬを登録しない場合は、戻るボタンを選択決定すれば登録動作を解除する事ができる。
【０１２０】
図１１において、ユーザがリモコン４を用いて登録すると指示した場合、ステップＳ５で検出したＵＲＬをマイコン２の制御によりＵＲＬメモリ１２に記憶する（ステップＳ８）。そしてメール解析部１０は受信メールのデータ内に予め決められていたフォルダＩＤを示す文字列が存在するか否かも解析する（ステップＳ１４）。図１６を用いて説明する。図１６は本発明の第２の実施形態における受信メールデータを示した図である。図１６ではメール解析部１０においてはＪ１２３４５という端末ＩＤとｈｔｔｐ：／／という文字列を検索してＵＲＬを検出する例であり、ｈｔｔｐ：／／ｗｗｗ．ｔａｎａｋａｙａ．ｃｏ．ｊｐ／ａａａ．ｈｔｍというＵＲＬが検出可能である事が分かる。
【０１２１】
ＵＲＬの末尾は改行を持って認識する事が可能である。またＪ１２３４５という端末ＩＤを検出することにより送信者の認証も可能である。また、Ｆｏｌｄｅｒ＝レストランという文字列については、Ｆｏｌｄｅｒ＝は次に続く文字列がフォルダＩＤであることを示しており、レストランという文字列のフォルダＩＤを検出可能である。送信者はブックマーク一覧内のレストランというフォルダの中に前記ＵＲＬを登録したいためにこのようにしてフォルダＩＤも含めている。Ｆｏｌｄｅｒ＝というフォルダＩＤを示す文字列はメール受信事前に送信者との間で取り決められていれば特にどのような文字列であっても良い。マイコン２は検出したフォルダＩＤを抜き取りステップＳ５において検出したＵＲＬと関連付けてフォルダＩＤメモリ１５に記憶する（ステップＳ１５）。
【０１２２】
それとともにマイコン２は検出したＵＲＬを使用しＷＷＷブラウザ部６とホームページ受信プロトコル部５とモデム１を使用して該当する情報サーバ１４に接続し検出したＵＲＬで指定されるコンテンツのＨＴＭＬファイルを受信する（ステップＳ９）。次にマイコン２はホームページ受信プロトコル受信部５の受信したＨＴＭＬファイルを解釈しタイトルを抜き出して（ステップＳ１０）、ステップＳ１４でフォルダＩＤを検出しなかった場合は、タイトルメモリ１３にステップＳ３と同様な方法でステップＳ５において検出したＵＲＬと関連付けて記憶する（ステップＳ１１）。
【０１２３】
この場合は送信者が特にＵＲＬを登録するフォルダを指定しなかったと解釈しデフォルトで決められているフォルダ内に登録するようマイコン２は制御する。デフォルトのフォルダとは例えばルートフォルダが考えられる。
【０１２４】
ステップＳ１４でフォルダＩＤを検出した場合は、タイトルメモリ１３にステップＳ３と同様な方法でステップＳ５において検出したＵＲＬと関連付けて記憶する（ステップＳ１７）。この場合は送信者がＵＲＬを登録するフォルダを指定したと解釈しフォルダＩＤメモリ１５に記憶されているフォルダＩＤで示されるフォルダ内に登録するようマイコン２は制御する。
【０１２５】
なお、ＨＴＭＬファイルにタイトルが含まれておりその識別方法はＨＴＭＬにおいて一般的であるので説明は省略する。ステップＳ５やステップＳ７においてユーザが拒否した場合は受信したメールを削除するかをマイコン２の制御によりグラフィクス部７を使用してＯＳＤを表示してユーザの判定を待つ（ステップＳ１２）。ユーザの判定が削除であれば受信メールを削除する（ステップＳ１３）。
【０１２６】
次にステップＳ４についてより詳細に図１７と図１８を用いて説明する。図１７と図１８は本発明の第２の実施形態における動作フローチャートである。本実施形態においてはユーザが自分の所有する端末間で前述したようなＵＲＬを登録する目的の電子メールを送受信することも考えられる。例えばテレビジョン受信機から送信しＰＣで受信するという使用法が考えられる。逆の場合も考えられる。そのような場合、それぞれの端末においてメールアドレスが同一であることも想定され、ユーザが電子メールを受信する際にその端末が本来受信させたい端末であるとは限らない。
【０１２７】
仮に受信させたい端末以外で受信してしまうとメールサーバでは消去されてしまい本来受信させたい端末で受信できなくなる。従ってそのような場合に対応する例を説明する。図１９は本発明の第２の実施形態における受信メールのデータを示した図である。
【０１２８】
図１８のフローチャートは図１９で示す電子メールを受信する場合の例である。ユーザがある端末を用いて電子メールを受信する指示をした場合（ステップＳ６１）、モデム１、メール受信プロトコル処理部８、メール取得部９、メール解析部１０を用いてマイコンは受信する予定の電子メールの差出人メールアドレス（図１９においてはＦｒｏｍ：ｙａｍａｄａ＠ｘｙｚ．ｃｏ．ｊｐ）を認識し自端末に与えられている図示していない不揮発性のメモリに格納されているメールアドレスと同じかどうかを検証する（ステップＳ６２）。
【０１２９】
もし同じであれば次にＳｕｂｊｅｃｔを検証し、差出人領域（図１９ではＦｒｏｍ：に続く領域）に端末ＩＤメモリ１１に記憶されている端末ＩＤと一致するか否かを検証する（ステップＳ６３）。一致するものがあればそのメールは自端末が送信したものと判断しその電子メールを受信しない（ステップＳ６４）。ステップＳ６２やステップＳ６３の検証で差出人のメールアドレスが自端末のメールアドレスと同一でない場合またはＳｕｂｊｅｃｔの差出人領域に端末ＩＤと一致するデータが無い場合はその電子メールを受信して（ステップＳ６５）、図１１におけるステップＳ５に移行する。
【０１３０】
この場合端末ＩＤが書かれている差出人領域は電子メール中のＳｕｂｊｅｃｔ中のＦｒｏｍ：に続く領域でなく図１６のように本文中にあっても良い。また別の例を図１７を用いて説明する。図１７は本発明の第２の実施形態における動作フローチャートである。図１７のフローチャートは図１６で示す電子メールを受信する場合の例である。ユーザがある端末を用いて電子メールを受信する指示をした場合（ステップＳ５１）、モデム１、メール受信プロトコル処理部８、メール取得部９、メール解析部１０を用いてマイコンは受信する予定の電子メールのＳｕｂｊｅｃｔ情報（図１６においてはＵＲＬ）を認識しＵＲＬ識別情報メモリ１６に格納されているＵＲＬ識別情報Ｕｉｄｘと同じかどうかを検証する（ステップＳ５２）。
【０１３１】
もし同じであれば次に本文を検証し端末ＩＤメモリ１１に記憶されている端末ＩＤと一致するデータがあるかどうかを検証する（ステップＳ５３）。一致するものがあればそのメールは自端末が送信したものと判断しその電子メールを受信しない（ステップＳ５４）。
【０１３２】
ステップＳ５２やステップＳ５３の検証でＵＲＬ識別情報Ｕｉｄｘが検出できない場合または端末ＩＤを検出できない場合はその電子メールを受信して（ステップＳ５５）図１１におけるステップＳ５に移行する。この場合ＵＲＬ識別情報ＵｉｄｘはＳｕｂｊｅｃｔでなく本文中にあっても良く端末ＩＤはＳｕｂｊｅｃｔにあっても良い。
【０１３３】
次にブックマーク一覧を表示してホームページを閲覧する場合の動作を図１２を用いて説明する。
【０１３４】
図１２では、ユーザがリモコン４を用いてブックマーク一覧表示指示があった場合（ステップＳ２１）、マイコン２の制御でタイトルメモリ１３に記憶されているタイトルを読み出してグラフィクス部７を使用して一覧表示してユーザの選択を待つ（ステップＳ２２）。
【０１３５】
ブックマーク一覧表示した場合の例を図２０を用いて説明する。図２０は本発明の第２の実施形態におけるブックマーク一覧表示を示した図である。図２０では登録されているホームページ３つのタイトルが一覧表として表示している事が分かる。一覧表の個々のタイトルはリモコン４で選択し押下できるボタンとなっており、ユーザはリモコン４を用いてタイトルを選択し決定する事ができる。
【０１３６】
図１２において、ユーザがタイトルを選択し決定した場合（ステップＳ２３）、マイコン２の制御により選択されたタイトルに関連付けられているＵＲＬをＵＲＬメモリ１２から読み出す（ステップＳ２４）。次にマイコン２は読み出したＵＲＬを使用し、ＷＷＷブラウザ部６とホームページ受信プロトコル部５とモデム１を使用して該当する情報サーバ１４に接続し、読み出したＵＲＬで指定されるコンテンツのＨＴＭＬファイルを受信する（ステップＳ２５）。
【０１３７】
次にマイコン２はＨＴＭＬファイルを解釈し、定義されている個々のデータである画像ファイルやテキストファイル等をＷＷＷブラウザ部６とホームページ受信プロトコル部５とモデム１を使用して取得し、ファイルの属性に応じて適当にデコードすると共に、同様に入力するＨＴＭＬファイルの内容に応じてデコードしたコンテンツを組み立ててホームページを再生し、画素データに変換してグラフィクス部７を使用して表示すると共に、ＨＴＭＬファイルを解釈しホームページのＵＲＬやタイトルを取得する（ステップＳ２６）。
【０１３８】
以上のようにユーザが現在ＷＷＷブラウザで閲覧中のホームページをブックマーク登録することに加えて、受信電子メール内に記載されているＵＲＬに関するホームページを同一のブックマークに登録することができるので、両方法で登録したホームページを同一のブックマーク一覧で表示することや保守する事ができる。
【０１３９】
以上のように本発明の情報取得装置は、ユーザが現在ＷＷＷブラウザで閲覧中のホームページをブックマークに登録することに加えて受信電子メール内に記載されているＵＲＬに関するホームページをブックマークに自動登録することができる。その場合、送信者の認証や格納フォルダの指定もできる。また、送信端末が自端末の場合は受信しないようにすることもできる。
【０１４０】
なお、前述した両方法で登録したホームページを同一のブックマーク一覧で表示することや管理する事ができるため、あるホームページをブックマークに登録する場合には、受信した電子メールからＵＲＬを取得して自動的にブックマークに登録する事により、端末から離れた場所や別の端末からブックマークを登録する事ができる。また、ブックマークに登録する場合に受信メール内に記載されているＵＲＬをコピーしてブックマークに貼り付ける操作を手動で行う必要も無く、文字列の範囲を指定するマウスのようなポインティングデバイスを使わずにテレビのリモコンのようなキーのみのデバイスで操作できる。
【０１４１】
（第３の実施形態）
以下本発明の第３の実施形態を図面を参照しながら説明する。第３の実施形態は情報提供装置の例である。
図２１は本発明の第３の実施形態の構成を示すブロック図である。図２１において、５３はデジタルテレビジョン放送受信機である。４１はチューナで、アンテナが受信したデジタルテレビジョン放送の選局を行った後復調したトランスポートストリームＴＳを出力する。４２はトランスポートストリームデコーダで、チューナ４１が出力するトランスポートストリームＴＳを入力し、ユーザが選択した番組の映像／音声ストリームＡＶＳやデータ放送関係のパケットをフィルタリングして出力する。そのフィルタリングはＰＡＴパケットやＰＭＴパケット内に記載されているＰＩＤを用いて行われる事はデジタルテレビジョンにおいて周知の技術であるので詳細説明は省略する。
【０１４２】
４３はＡＶデコーダでトランスポートストリームデコーダ４２が出力する映像／音声ストリームＡＶＳを入力し、ＡＶデコードして出力する。５４はバッファメモリで、トランスポートデコーダ４２がフィルタリングしたデータ放送のパケットや後述するＵＲＬ情報ＩＵＲＬや後述するモデム５０を用いて図示しない情報サーバから取得するホームページのデータ等をマイコン４５の制御により展開して記憶する。
【０１４３】
４５はマイコンで、デジタルテレビジョン放送受信機５３の各要素の制御を行うとともにモデム５０を用いて電子メールを送信するためのプロトコル処理や電子メールを作成するプログラムそしてデータ放送やホームページをデコードして表示するためのブラウザを備えている。４６はリモコンで、ユーザインターフェースである。４７は受光回路で、リモコン４６からの信号を受信し電気信号をマイコン４５に出力する。４８はＯＳＤコントローラで、データ放送画面や図示しない情報サーバから得た情報をマイコン４５の制御により、構成する文字やグラフィクスデータを画素データに変換しＡＶデコーダ４３に出力する。
【０１４４】
ＡＶデコーダ４３ではビデオデコードした映像とＯＳＤコントローラ４８から入力した文字やグラフィクスを合成して出力する。５０はモデムで、通信会社の通信回線やサービスプロバイダを介してインターネット網に接続されており、マイコン４５の制御で通信回線から電子メールやホームページのデータを受信して復調しマイコン４５に出力することと、電子メール等の送信データを変調して通信回線に出力する。６０はメールサーバＡで、デジタル放送受信機５３が使用するメールサーバでありデジタル放送受信機５３が送受信するメールはこのメールサーバとやり取りされる。６２はメールサーバＢで、図示しない相手端末が使用するメールサーバである。
【０１４５】
モデム５０においては電話回線を使用するいわゆるモデムのみではなく、電話回線を使用するＡＤＳＬモデムや光ファーバー網を使用するＦＴＴＨのＯＮＵやケーブルテレビ回線を使用するケーブルモデム等あらゆる通信端末でも良く、接続方式はダイヤルアップ接続のみでなく常時接続の方式でも良い。５５はＵＲＬ情報取得回路で、前述したバッファメモリ４４に展開されている放送波により送信されるホームページ等のＵＲＬ情報ＩＵＲＬを取得し図示していないメモリに格納するとともにマイコン４５に出力する。
【０１４６】
例えばＢＳデジタル放送等ではブックマークサービスにより広告主のホームページ等のＵＲＬを送信する規格があり、その規格に則って放送されるＵＲＬ情報ＩＵＲＬをデジタル放送受信機５３は取得することができる。５８はＵＲＬ識別情報メモリで、第２の実施形態で説明したＵＲＬ識別情報Ｕｉｄｘを格納するメモリでありマイコン４５はＵＲＬ識別情報Ｕｉｄｘを読み出すことができる。ＵＲＬ識別情報Ｕｉｄｘは複数あっても良い。ＵＲＬ識別情報Ｕｉｄｘはユーザが登録する場合やデジタル放送受信機５３のメーカーが予め書き込んで出荷する場合がある。ユーザの登録はマイコン４５の制御でＯＳＤコントローラ４８を用い登録させるＯＳＤを表示しリモコン４６を用いてユーザに入力させることで可能である。
【０１４７】
５９はＵＲＬ送信先情報メモリで、ＵＲＬ情報ＩＵＲＬを電子メールで送信するために登録している送信先の名称とメールアドレスと送信先が自端末かどうかの情報を関連付けて記憶している。送信先の登録はマイコン４５の制御でＯＳＤコントローラ４８を用い送信先の名称およびメールアドレスの入力と自端末かどうかを選択させるＯＳＤを表示しリモコン４６を用いてユーザに入力させることで可能である。５６はフォルダＩＤメモリで、第２の実施形態で説明したフォルダＩＤを格納するためのメモリである。
【０１４８】
フォルダＩＤはユーザによって送信先と同様に登録され送信先と関連付けられて記憶されている。４４は端末ＩＤメモリで、第２の実施形態で説明した端末ＩＤを格納するためのメモリである。端末ＩＤはユーザによって送信先と同様に登録され送信先と関連付けられて記憶されている。ここでいうフォルダＩＤと端末ＩＤは送信先のフォルダＩＤと端末ＩＤであり予め送信先から提供されるものである。ここで図２２を用いて各データの関連付けについて説明する。図２２は本発明の第３の実施形態におけるデータ構造図である。
【０１４９】
図２２では送信先名、フォルダＩＤ、自端末かどうかの情報、メールアドレス、端末ＩＤのデータが同じメモリに領域を分けてアドレスにより関連付けられている。図２２では４つの送信先が登録されている。送信先名が自分の送信先は自端末かどうかの情報が自端末を示すデータとなっており、自端末のメールアドレスや端末ＩＤが関連付けて記憶されている。送信先名がＭｙＰＣの送信先は自端末とメールアドレスが同じであることから同じユーザの端末であるが自端末かどうかの情報が他端末を示すデータとなっており端末ＩＤも自端末と異なり他端末であることが分かる。
【０１５０】
またＭｙＰＣの送信先はＵＲＬとＴＥＭＰの２つのフォルダＩＤが登録されている。送信先名が鈴木の送信先はメールアドレスと端末ＩＤが自端末と異なる他端末であることが分かる。関連付けはアドレス（表では１６進表示）の下位４ビットをもってデータ識別を行い、上位４ビットをもって送信先名識別ができるようになっている。図２１において５７はブックマークメモリでＵＲＬ情報取得回路５５が取得したＵＲＬ情報ＩＵＲＬのホームページを後に閲覧するためにブックマークとして格納するメモリである。
なお、本実施形態ではデジタルテレビジョン放送受信機について説明したが、アナログのテレビジョン受信機の場合も同様に可能である。
【０１５１】
次に図２３と図２４を用いてＵＲＬ情報ＩＵＲＬの電子メール送信動作について説明する。図２３、図２４は本発明の第３の実施形態における動作フローチャートである。
図２３と図２４において、放送よりＵＲＬ情報ＩＵＲＬを受信しＵＲＬ情報取得回路５５が取得すると（ステップＳ７１）、マイコン４５はＯＳＤコントローラ４８を制御して取得したＵＲＬ情報ＩＵＲＬをＵＲＬ送信先情報メモリ５９に登録されている送信先に電子メールで送信するか否かを確認するＯＳＤを表示する（ステップＳ７２）。このＯＳＤの表示例を図２５に示した。
【０１５２】
図２５は本発明の第３の実施形態におけるＵＲＬ情報ＩＵＲＬの取扱い確認表示を示した図である。図２５では受信したＵＲＬ情報ＩＵＲＬの取り扱い方法を選択できるように電子メールで登録されている送信先に送信するボタンとブックマークに登録するボタンを表示してユーザがリモコン４６を用いて選択決定できるようになっている。またどちらも行わない場合は戻るボタンを選択することもできる。図２３と図２４において、ユーザがリモコン４６を用いて電子メールで送信する指示を行った場合は、マイコン４５はＵＲＬ送信先情報メモリ５９とフォルダＩＤメモリ５６に記憶されている図２２で示したデータを読み出し、ＯＳＤコントローラ４８を制御して送信先と送信フォルダを選択させるＯＳＤを表示する。このＯＳＤの例を図２６に示した。
【０１５３】
図２６は本発明の第３の実施形態におけるＵＲＬ情報ＩＵＲＬの送信先確認表示を示した図である。図２６では登録されている送信先と関連付けられているフォルダＩＤがペアで選択できるボタンが表示されておりユーザがリモコン４６を用いて選択決定できるようになっている。図２２における鈴木を選択したい場合は次ページのボタンを選択決定すれば良くどれも選択したくない場合は戻るボタンを選択決定すればよい。図示していないが次ページボタンを選択決定した場合は前ページのボタンも表示される。
【０１５４】
図２３と図２４において、ユーザがリモコン４６を用いて送信先と送信フォルダを選択決定した場合（ステップＳ７３）、図２３の例ではマイコン４５の制御でＵＲＬ情報取得回路５５の図示しないメモリからＵＲＬを読み出し、ＵＲＬ識別情報Ｕｉｄｘメモリ５８からＵＲＬ識別情報Ｕｉｄｘを読み出すとともに端末ＩＤメモリ４４から該当する送信先の端末ＩＤを読み出して電子メールを作成する（ステップＳ７４）。図２７にステップＳ７３で送信先に鈴木、フォルダＩＤに山田を選択した場合のマイコン４５が作成する電子メールの例を示した。
【０１５５】
図２７は本発明の第３の実施形態における送信メールのデータを示した図である。ＳｕｂｊｅｃｔにＵＲＬ識別情報ＵｉｄｘであるＵＲＬの文字が書かれ本文に鈴木の端末ＩＤであるＡＧＨＴ７８がかかれていることが分かる。この場合ＵＲＬ識別情報ＵｉｄｘはＳｕｂｊｅｃｔでなく本文に書かれても良く端末ＩＤはＳｕｂｊｅｃｔにも書かれても良い。次に図２４の例ではマイコン４５の制御でＵＲＬ情報取得回路５５の図示しないメモリからＵＲＬを読み出し、端末ＩＤメモリ４４から自端末の端末ＩＤと該当する送信先の端末ＩＤを読み出して電子メールを作成する（ステップＳ８１）。
【０１５６】
図４にステップＳ７３で送信先に鈴木、フォルダＩＤに山田を選択した場合のマイコン４５が作成する電子メールの例を示した。図４は本発明の第３の実施形態における送信メールのデータを示した図である。Ｓｕｂｊｅｃｔの送信先識別領域（Ｔｏ：に続く領域）に鈴木の端末ＩＤであるＡＧＨＴ７８がかかれており差出人識別領域（Ｆｒｏｍ：に続く領域）に自端末の端末ＩＤであるＪ１２３４５が書かれていることが分かる。この場合それぞれの識別領域はＳｕｂｊｅｃｔでなく本文に書かれても良い。次にマイコン４５の制御によりモデム５０を用いてメール送信プロトコル処理を行い送信先に送信する（実際はメールサーバＡに送信してメールサーバＡからメールサーバＢに送信される）。
【０１５７】
またステップＳ７２でブックマークに登録することをユーザがリモコン４６を用いて指示した場合は、マイコン４５はＯＳＤコントローラ４８を用いて受信したＵＲＬ情報ＩＵＲＬをブックマークに登録するか否かを確認する図３１で示したようなＯＳＤを表示しユーザに選択させる（ステップＳ７６）。ユーザがＹＥＳを選択決定した場合は受信したＵＲＬ情報ＩＵＲＬをマイコン４５の制御でＵＲＬ情報取得回路の図示しないメモリから読み出してブックマークメモリ５７に記憶する（ステップＳ７７）。ステップＳ７６でＮＯを選択決定した場合は終了する。なお、本第３の実施形態では放送波からＵＲＬ情報ＩＵＲＬを受信する例を示したが、モデム５０を用いて通信網からＵＲＬ情報ＩＵＲＬを受信する場合も同様に考えられる。
【０１５８】
以上のように本発明の情報提供装置は、放送波等で送信されるＵＲＬ情報ＩＵＲＬをブックマークに登録することに加えてＵＲＬを確認した電子メールを自動的に作成し用いて予め登録されている登録先に送信することができる。その場合、受信側において送信者の認証を可能にすることや格納するフォルダの指定もできる。
また、端末から離れた場所や別の端末に対しブックマークを登録する事ができる。
【０１５９】
また、ＵＲＬ情報ＩＵＲＬを格納した電子メールを送信する場合にブラウザ等に記載されているＵＲＬをコピーして電子メールの本文に貼り付ける操作を手動で行う必要も無く、文字列の範囲を指定するマウスのようなポインティングデバイスを使わずにテレビのリモコンのようなキーのみのデバイスで操作できる。
【０１６０】
また、第２の実施形態に記載した情報取得装置および第３の実施形態に記載した情報提供装置の組み合わせもありうる。
【産業上の利用可能性】
【０１６１】
プル型データ配信サービスにおいて、ユーザの所望する情報をプッシュ型データ配信サービスの如く蓄積できるサービス等に利用できる。
【図面の簡単な説明】
【０１６２】
【図１】本発明の第１の実施形態にかかるＵＲＬ情報蓄積システムの構成を示すブロック図
【図２】図１に示したＵＲＬ情報蓄積システムの登録情報メモリにおけるデータの関連付けの説明図
【図３】図１に示したＵＲＬ情報蓄積システムの登録情報メモリにおけるデータの関連付けの説明図
【図４】図１に示したＵＲＬ情報蓄積システムにおける、送信書式情報メモリ１２３に記憶されている書式情報の説明図
【図５】図１に示したＵＲＬ情報蓄積システムにおける、ＵＲＬ情報を含ませた電子メールの送信動作を表すフローチャート
【図６】図１に示したＵＲＬ情報蓄積システムにおける、ＵＲＬ情報が含まれた電子メール受信しブックマーク登録する動作を表すフローチャート図
【図７】図１に示したＵＲＬ情報蓄積システムにおいて、ディスプレイに表示されるオンスクリーンメッセージＯＳＭの説明図
【図８】図６に示す、電子メール受信時の処理の詳細を示すフローチャート
【図９】図１に示したＵＲＬ情報蓄積システムにおいて、ブックマーク一覧を表示して、ホームページを閲覧する場合の動作を表すフローチャート
【図１０】本発明の第２の実施形態におけるブロック図
【図１１】本発明の第２の実施形態における第一の動作フローチャート
【図１２】本発明の第２の実施形態における第二の動作フローチャート
【図１３】本発明の第２の実施形態におけるデータ構造例図
【図１４】本発明の第２の実施形態における第一の受信メールデータ例図
【図１５】本発明の第２の実施形態における第二の受信メールデータ例図
【図１６】本発明の第２の実施形態における第三の受信メールデータ例図
【図１７】本発明の第２の実施形態における第三の動作フローチャート
【図１８】本発明の第２の実施形態における第四の動作フローチャート
【図１９】本発明の第２の実施形態における第四の受信メールデータ例図
【図２０】本発明の第２の実施形態におけるブックマーク一覧表示例図
【図２１】本発明の第３の実施形態におけるブロック図
【図２２】本発明の第３の実施形態におけるデータ構造例図
【図２３】本発明の第３の実施形態における第一の動作フローチャート
【図２４】本発明の第３の実施形態における第二の動作フローチャート
【図２５】本発明の第３の実施形態におけるＵＲＬ情報取り扱い確認表示例図
【図２６】本発明の第３の実施形態におけるＵＲＬ情報送信先確認表示例図
【図２７】本発明の第３の実施の形態における第一の送信メールデータ例図
【図２８】従来の形態のブロック図
【図２９】従来の形態における第一の動作フローチャート
【図３０】従来の形態における第二の動作フローチャート
【図３１】従来の形態におけるブックマーク登録確認表示例図
【図３２】従来の形態におけるブックマーク一覧表示例図
【図３３】従来の形態における第三の動作フローチャート
【符号の説明】
【０１６３】
ＩＳ１ ＵＲＬ情報蓄積システム
１ モデム
２ マイコン
３ 情報取得装置
４ リモコン
５ ホームぺージ受信プロトコル処理部
６ ＷＷＷブラウザ
７ グラフィック部
８ メール受信プロトコル処理部
９ メール取得部
１０ メール解析部
１１ 端末ＩＤメモリ
１２ ＵＲＬメモリ
１３ タイトルメモリ
１４ 情報サーバ
１５ フォルダＩＤメモリ
１６ ＵＲＬ識別情報メモリ
２１ モデム
２２ マイコン
２３ 情報取得装置
２４ マウス
２５ ホームページ受信プロトコル処理部
２６ ＷＷＷブラウザ部
２７ グラフィック部
２８ メール受信／送信プロトコル処理部
２９ メール取得／作成部
３２ ＵＲＬメモリ
３３ タイトルメモリ
３４ 情報サーバ
４１ チューナ
４２ トランスポートデコーダ
４３ ＡＶデコーダ
４４ 端末ＩＤメモリ
４５ マイコン
４６ リモコン
４７ 受光回路
４８ ＯＳＤコントローラ
５０ ＵＲＬ送信先情報メモリ
５１ コネクタ
５２ メールサーバＢ
５３ デジタルテレビジョン放送受信機
５４ バッファーメモリ
５５ ＵＲＬ情報取得回路
５６ フォルダＩＤメモリ
５７ ブックマークメモリ
５８ ＵＲＬ識別情報メモリ
５９ ＵＲＬ送信先情報メモリ
６０ メースサーバＢ
１０１ チューナ
１０２ トランスポートストリームデコーダ
１０３ ＡＶデコーダ
１０４ 自端末ＩＤメモリ
１０５ マイコン
１０５ａ 送信条件照合処理部
１０５ｂ メール送受信プロトコル処理部
１０５ｃ メール作成部
１０５ｄ メール解析部
１０５ｅ ＷＷＷブラウザ部
１０５ｆ メール取得制御部
１０６ リモコン
１０７ 受光器
１０８ ＯＳＤコントローラ
１１０ モデム
１１１ コネクタ
１１２ メールサーバＢ
１１４ バッファメモリ
１１５ ＵＲＬ情報取得器
１１７ ブックマークメモリ
１１８ ＵＲＬ識別情報メモリ
１１９ 登録情報メモリ
１２０ メールサーバＡ
１２１ 送信条件情報メモリ
１２２ 関連情報取得器
１２３ 送信書式情報メモリ
２０１ アンテナ
２０３ ディスプレイ
【手続補正３】
【補正対象書類名】図面
【補正対象項目名】全図
【補正方法】変更
【補正の内容】
【図１】
2004027627.tif 000036
【図２】
2004027627.tif 000037
【図３】
2004027627.tif 000038
【図４】
2004027627.tif 000039
【図５】
2004027627.tif 000040
【図６】
2004027627.tif 000041
【図７】
2004027627.tif 000042
【図８】
2004027627.tif 000043
【図９】
2004027627.tif 000044
【図１０】
2004027627.tif 000045
【図１１】
2004027627.tif 000046
【図１２】
2004027627.tif 000047
【図１３】
2004027627.tif 000048
【図１４】
2004027627.tif 000049
【図１５】
2004027627.tif 000050
【図１６】
2004027627.tif 000051
【図１７】
2004027627.tif 000052
【図１８】
2004027627.tif 000053
【図１９】
2004027627.tif 000054
【図２０】
2004027627.tif 000055
【図２１】
2004027627.tif 000056
【図２２】
2004027627.tif 000057
【図２３】
2004027627.tif 000058
【図２４】
2004027627.tif 000059
【図２５】
2004027627.tif 000060
【図２６】
2004027627.tif 000061
【図２７】
2004027627.tif 000062
【図２８】
2004027627.tif 000063
【図２９】
2004027627.tif 000064
【図３０】
2004027627.tif 000065
【図３１】
2004027627.tif 000066
【図３２】
2004027627.tif 000067
【図３３】
2004027627.tif 000068
【国際調査報告】
2004027627.tif 000069
2004027627.tif 000070
2004027627.tif 000071
2004027627.tif 000072
2004027627.tif 000073
2004027627.tif 000074